(57)【特許請求の範囲】
【請求項１】
第１表示パネルと、第２表示パネルとを備えた電子機器であって、
前記電子機器で実行可能なアプリケーションソフトウェアと、当該アプリケーションソフトウェアに関連付けられた、サーバを特定するための第１情報とを格納した記憶装置と、
前記アプリケーションソフトウェアの起動に基づき、当該アプリケーションソフトウェアの操作画面を前記第１表示パネルに表示させる表示制御部と、
前記アプリケーションソフトウェアの操作に関する第１入力を前記電子機器が受付けたことを検知する第１検知部と、
前記検知に基づき、前記第１情報により特定されるサーバを送信先とする信号を生成する生成部と、
前記サーバに、前記生成された信号を送信する送信部と、
前記送信に基づき、広告を示した第１画像データを前記サーバから受信する受信部と、
予め定められた時間にわたり前記電子機器を操作するための入力を受付けていないことを検知する第２検知部とを備え、
前記アプリケーションソフトウェアの操作画面が前記第１表示パネルに表示されている場合、前記第２検知部による検知がなされたとき、前記表示制御部は、前記第１画像データに基づく画像を前記第２表示パネルに表示させる、電子機器。
【請求項２】
第１表示パネルと、第２表示パネルとを備えた電子機器であって、
前記電子機器で実行可能なアプリケーションソフトウェアと、当該アプリケーションソフトウェアに関連付けられた、サーバを特定するための第１情報とを格納した記憶装置と、
前記アプリケーションソフトウェアの起動に基づき、当該アプリケーションソフトウェアの操作画面を前記第１表示パネルに表示させる表示制御部と、
前記アプリケーションソフトウェアの操作に関する第１入力を前記電子機器が受付けたことを検知する第１検知部と、
前記検知に基づき、前記第１情報により特定されるサーバを送信先とする信号を生成する生成部と、
前記サーバに、前記生成された信号を送信する送信部と、
前記送信に基づき、広告を示した第１画像データを前記サーバから受信する受信部とを備え、
前記表示制御部は、第１コマンドを受付けた場合、前記第２表示パネルの表示をオンとし、第２コマンドを受付けた場合、前記第２表示パネルの表示をオフとし、
前記表示制御部が前記第２コマンドを受付けることによって前記第２表示パネルの表示がオフとなっている状態で、前記受信部が前記第１画像データを受信したとき、
前記受信部は、前記第１コマンドを前記表示制御部に送信し、
前記表示制御部は、前記第１コマンドに基づいて、前記第１画像データに基づく画像を前記第２表示パネルに表示させる、電子機器。
【請求項３】
前記記憶装置は、前記第２表示パネルを識別するための第２情報をさらに格納しており、
前記生成部は、前記信号として、前記第２情報を含む信号を生成し、
前記送信部は、前記サーバに、前記第２情報を含んだ前記信号を送信し、
前記受信部は、前記第１画像データとして、前記第２情報に基づき前記サーバにおいて生成された画像データを、前記サーバから受信する、請求項１または２に記載の電子機器。
【請求項４】
前記第１検知部は、さらに、前記第１画像データに基づく画像を選択する第２入力を受付けたことを検知し、
前記送信部は、前記第２入力の検知に基づき、前記選択されたことを示す情報と前記第２情報とを前記サーバに送信する、請求項３に記載の電子機器。
【請求項５】
前記第２表示パネルは、タッチパネルであって、
前記第２入力は、前記タッチパネルに対する入力であり、
前記記憶装置は、さらに、前記電子機器のユーザの指紋を示す第２画像データと、前記ユーザの属性を示す属性情報とを当該ユーザ毎に関連付けて格納し、
前記タッチパネルは、当該タッチパネルの画面に沿って内蔵された複数の光センサを含み、
前記電子機器は、前記光センサによってセンシングされた画像データに一致する前記第２画像データを、前記記憶装置が格納しているか否かを判断する判断部をさらに備え、
前記一致する第２画像データを前記記憶装置が格納していると判断された場合、前記送信部は、さらに、一致したと判断された第２画像データに関連付けされた前記属性情報を、前記サーバに送信する、請求項４に記載の電子機器。
【請求項６】
第１表示パネルおよび第２表示パネルを含む電子機器と通信を行なうサーバであって、
広告を示した第１画像データを格納した記憶装置と、
前記電子機器から、前記第１表示パネルを識別するための第１情報と前記第２表示パネルを識別するための第２情報とを含んだ信号を受信する第１受信部と、
前記第２情報を他のサーバに送信する第１送信部と、
前記送信に基づき、前記第２情報に基づき前記他のサーバにおいて特定された、前記第２表示パネルのデバイス情報を、前記他のサーバから受信する第２受信部と、
前記受信したデバイス情報に基づき、前記第１画像データから第２画像データを生成する生成部と、
前記生成された第２画像データを前記電子機器に送信する第２送信部とを備える、サーバ。
【請求項７】
第１表示パネルと第２表示パネルとを含む電子機器と、第１サーバとを備えた通信システムであって、
前記電子機器は、
前記電子機器で実行可能なアプリケーションソフトウェアと、当該アプリケーションソフトウェアに関連付けられた、第１サーバを特定するための第１情報と、前記第２表示パネルを識別するための第２情報とを格納した第１記憶装置と、
前記アプリケーションソフトウェアの起動に基づき、当該アプリケーションソフトウェアの操作画面を前記第１表示パネルに表示させる表示制御部と、
前記アプリケーションソフトウェアの操作に関する入力を前記電子機器が受付けたことを検知する第１検知部と、
前記検知に基づき、前記第１情報により特定される第１サーバを送信先とする、前記第２情報を含んだ信号を生成する第１生成部と、
前記第１サーバに前記生成された信号を送信する第１送信部とを含み、
前記第１サーバは、
広告を示した第１画像データを格納した第２記憶装置と、
前記電子機器から、前記第２情報を含んだ信号を受信する第１受信部と、
前記第２情報を第２サーバに送信する第２送信部と、
前記送信に基づき、前記第２情報に基づき前記第２サーバにおいて特定された、前記第２表示パネルのデバイス情報を、前記第２サーバから受信する第２受信部と、
前記受信したデバイス情報に基づき、前記第１画像データから第２画像データを生成する第２生成部と、
前記生成された第２画像データを前記電子機器に送信する第３送信部とを含み、
前記電子機器は、前記第２画像データを前記第１サーバから受信する第３受信部をさらに含み、
前記表示制御部は、前記第２画像データに基づく画像を前記第２表示パネルに表示させる、通信システム。
【請求項８】
第１表示パネルと第２表示パネルとを含む電子機器における表示制御方法であって、
前記電子機器でのアプリケーションソフトウェアの起動に基づき、当該アプリケーションソフトウェアの操作画面を前記第１表示パネルに表示させるステップと、
前記アプリケーションソフトウェアの操作に関する第１入力を前記電子機器が受付けたことを検知するステップと、
前記検知に基づき、当該アプリケーションソフトウェアに関連付けられた情報により特定されるサーバを送信先とする信号を生成するステップと、
前記サーバに前記生成された信号を送信するステップと、
前記送信に基づき、広告を示した画像データを前記サーバから受信するステップと、
予め定められた時間にわたり前記電子機器を操作するための入力を受付けていないことを検知するステップと、
前記アプリケーションソフトウェアの操作画面が前記第１表示パネルに表示されている場合、予め定められた時間にわたり前記電子機器を操作するための入力を受付けていないことが検知されたとき、前記画像データに基づく画像を前記第２表示パネルに表示させるステップとを備える、表示制御方法。
【請求項９】
第１表示パネルと第２表示パネルとを含む電子機器における表示制御方法であって、
前記電子機器でのアプリケーションソフトウェアの起動に基づき、当該アプリケーションソフトウェアの操作画面を前記第１表示パネルに表示させるステップと、
前記アプリケーションソフトウェアの操作に関する第１入力を前記電子機器が受付けたことを検知するステップと、
前記検知に基づき、当該アプリケーションソフトウェアに関連付けられた情報により特定されるサーバを送信先とする信号を生成するステップと、
前記サーバに前記生成された信号を送信するステップと、
前記送信に基づき、広告を示した画像データを前記サーバから受信するステップと、
第１コマンドを受付けた場合、前記第２表示パネルの表示をオンとし、第２コマンドを受付けた場合、前記第２表示パネルの表示をオフとするステップと、
前記第２コマンドを受付けることによって前記第２表示パネルの表示がオフとなっている状態で、前記サーバから前記画像データを受信したとき、前記画像データに基づく画像を前記第２表示パネルに表示させるステップとを備える、表示制御方法。
【請求項１０】
第１表示パネルおよび第２表示パネルを含む電子機器と通信を行なうサーバにおけるデータ通信方法であって、
前記電子機器から、前記第１表示パネルを識別するための第１情報と前記第２表示パネルを識別するための第２情報とを含んだ信号を受信するステップと、
前記第２情報を他のサーバに送信するステップと、
前記送信に基づき、前記第２情報に基づき前記他のサーバにおいて特定された、前記第２表示パネルのデバイス情報を、前記他のサーバから受信するステップと、
前記受信したデバイス情報に基づき、広告を示した第１画像データから第２画像データを生成するステップと、
前記生成された第２画像データを前記電子機器に送信するステップとを備える、データ通信方法。
【請求項１１】
第１表示パネルと、第２表示パネルとを備えた電子機器であって、
第１広告を含むウェブページを表示するための第１情報の送信を要求する第１信号を、第１サーバに送信するための送信部と、
前記第１信号の送信に基づき、前記第１情報と、前記第１広告に対応付けられた、第２サーバを特定するための第２情報とを、前記第１サーバから受信するための受信部と、
前記第１情報に基づき、前記ウェブページを前記第１表示パネルに表示させるための表示制御部と、
前記表示されたウェブページにおける前記第１広告を選択する第１入力を前記電子機器が受付けたこと検知するための第１検知部と、
前記検知に基づき、前記第２情報により特定される前記第２サーバを送信先とする第２信号を生成するための生成部とを備え、
前記検知がなされた場合、前記送信部は、さらに、前記生成された第２信号を前記第２サーバに送信し、
前記受信部は、前記第２信号の送信に基づき、さらに、前記第２サーバから、前記選択された第１広告が示す情報よりも詳細な情報を含んだ画像データを受信し、
前記電子機器は、予め定められた時間にわたり前記電子機器を操作するための入力を受付けていないことを検知するための第２検知部をさらに備え、
前記第１広告が前記第１表示パネルに表示されている場合、前記第２検知部による検知がなされたとき、前記表示制御部は、前記画像データに基づく第２広告を前記第２表示パネルに表示させる、電子機器。
【請求項１２】
第１表示パネルと、第２表示パネルとを備えた電子機器であって、
第１広告を含むウェブページを表示するための第１情報の送信を要求する第１信号を、第１サーバに送信するための送信部と、
前記第１信号の送信に基づき、前記第１情報と、前記第１広告に対応付けられた、第２サーバを特定するための第２情報とを、前記第１サーバから受信するための受信部と、
前記第１情報に基づき、前記ウェブページを前記第１表示パネルに表示させるための表示制御部と、
前記表示されたウェブページにおける前記第１広告を選択する第１入力を前記電子機器が受付けたこと検知するための第１検知部と、
前記検知に基づき、前記第２情報により特定される前記第２サーバを送信先とする第２信号を生成するための生成部とを備え、
前記検知がなされた場合、前記送信部は、さらに、前記生成された第２信号を前記第２サーバに送信し、
前記受信部は、前記第２信号の送信に基づき、さらに、前記第２サーバから、前記選択された第１広告が示す情報よりも詳細な情報を含んだ画像データを受信し、
前記表示制御部は、第１コマンドを受付けた場合、前記第２表示パネルの表示をオンとし、第２コマンドを受付けた場合、前記第２表示パネルの表示をオフとし、
前記表示制御部が前記第２コマンドを受付けることによって前記第２表示パネルの表示がオフとなっている状態で、前記受信部が前記画像データを受信したとき、
前記受信部は、前記第１コマンドを前記表示制御部に送信し、
前記表示制御部は、前記第１コマンドに基づいて、前記画像データに基づく第２広告を前記第２表示パネルに表示させる、電子機器。
【請求項１３】
前記電子機器は、前記第２表示パネルを識別するための第３情報を格納するための記憶装置をさらに備え、
前記生成部は、前記第２信号として、前記第３情報を含む信号を生成し、
前記送信部は、前記第２サーバに、前記第３情報を含んだ信号を送信し、
前記受信部は、前記画像データとして、前記第３情報に基づき前記第２サーバにおいて生成された画像データを、前記第２サーバから受信する、請求項１１または１２に記載の電子機器。
【請求項１４】
前記電子機器は、前記第２表示パネルに表示された前記第２広告を選択する第２入力を、前記電子機器が受付けたことを検知するための第３検知部をさらに備え、
前記生成部は、前記第２入力の検知に基づき、当該選択されたことを示す情報と前記第３情報とを含んだ第３信号を生成し、
前記送信部は、前記第３信号を前記第２サーバに送信する、請求項１３に記載の電子機器。
【請求項１５】
画像を表示する第１の表示部と、
画像を表示する第２の表示部と、
前記第１の表示部に表示させるコンテンツデータを記憶する記憶部と、
前記記憶されたコンテンツデータから、特定の属性を付加された画像のデータを抽出する抽出部と、
前記抽出部が抽出した前記特定の属性を付加された画像のデータに基づいて、当該画像を前記第２の表示部に表示させるためのデータを生成する生成部と、
前記生成部の生成したデータに基づいて前記第２の表示部に前記特定の属性を付加された画像を表示させる制御部とを備える、電子機器。
【請求項１６】
前記特定の属性を付加された画像が前記第１の表示部に表示されているか否かを判断する判断部をさらに備え、
前記抽出部は、前記判断部が前記特定の属性を付加された画像が前記第１の表示部に表示されていないと判断したことを条件として、前記特定の属性を付加された画像のデータを抽出する、請求項１５に記載の電子機器。
【請求項１７】
前記記憶部は、前記コンテンツデータを前記第１の表示部に表示させる第１のアプリケーションを含む複数のアプリケーションのプログラムを記憶し、
前記電子機器は、前記記憶部に記憶されたアプリケーションのプログラムを実行するアプリケーション実行部をさらに備え、
前記判断部は、前記第１のアプリケーションおよび前記第１のアプリケーションとは異なる他のアプリケーションが起動され、前記第１の表示部において、当該他のアプリケーションの表示画面が、前記第１のアプリケーションの表示画面内の前記特定の属性を付加された画像の表示位置の上に重ねられて表示されているときに、前記特定の属性を付加された画像が前記第１の表示部に表示されていないと判断する、請求項１６に記載の電子機器。
【請求項１８】
前記抽出部は、前記コンテンツデータから、複数の、前記特定の属性を付加された画像のデータを抽出し、
前記生成部は、前記抽出部が抽出した複数の画像のデータのそれぞれについて、当該画像を前記第２の表示部に表示させるためのデータを生成し、
前記制御部は、前記生成部が生成した、複数の、前記画像を前記第２の表示部に表示させるためのデータに基づいて、複数の、前記特定の属性を付加された画像を交代で前記第２の表示部に表示させる、請求項１７に記載の電子機器。
【発明の詳細な説明】
【技術分野】
【０００１】
本発明は、タッチパネルを備えた電子機器、電子機器と通信するサーバ、電子機器とサーバとを備えた通信システム、電子機器における表示制御方法、サーバにおけるデータ通信方法、電子機器を制御するためのプログラム、およびサーバを制御するためのプログラムに関する。また、本発明は、複数の表示画面を備える電子機器、その制御方法および情報表示用のプログラムに関する。
【背景技術】
【０００２】
従来、ネットワークを介して受信した広告を表示する電子機器と、当該広告を上記ネットワークを介して上記電子機器に送信するサーバとを含む通信システムが知られている。【０００３】
また、従来、アフィリエイトといった広告手法が知られている。「アフィリエイト」とは、ウェブサイトの閲覧者が、当該ウェブサイトに張られたリンクを経由して表示された他のウェブサイトにおいて商品を購入したりすると、リンク元のウェブサイトの主催者に報酬が支払われる広告手法である。【０００４】
特開２００３−８７４２０号公報（特許文献１）には、上記のように広告の送受信を行なう広告表示システムが開示されている。当該広告表示システムは、携帯通信端末と広告表示サーバとを備える。携帯通信端末は、メイン表示部と、メイン表示部の背面に配されたサブ表示部とを備える。携帯通信端末は、広告表示サーバから受信した広告を、サブ表示部に表示する。携帯通信端末は、当該広告の表示により、携帯通信端末のユーザ以外の第三者への広告を可能としている。【０００５】
特開２００３−１０８２８２号公報（特許文献２）には、上記広告を表示するための装置として、第１広告画像および第２広告画像を表示させるコンテンツ表示装置が開示されている。コンテンツ表示装置は、当該コンテンツ表示装置の属性に応じた広告画像を選択し、当該選択された広告画像を表示する。【０００６】
特開２００７−１５０９４６号公報（特許文献３）には、上記広告を表示するシステムとして、録画したテレビ放送（映像コンテンツ）を再生している際に、映像コンテンツとともに録画されたコマーシャルを、所定のタイミングで指定された位置に表示させる表示システムが開示されている。また、特許文献３には、受信端末に予め試聴するユーザに関する情報を入力しておき、情報を入力されたユーザを対象とするような広告情報を表示するための技術が開示されている。【０００７】
特開２００７−１６４７１０号公報（特許文献４）には、インターネットを通じて配信されるコンテンツデータに上記広告などを示すバナーデータを挿入するバナー配信システムが開示されている。当該バナー配信システムは、バナーデータの注目頻度を計測し、注目頻度に応じた課金処理を行なう。また、特許文献４には、バナー広告が表示された情報端末におけるマウスオーバーなどのイベントの発生に基づいて課金を行なうシステムが開示されている。【０００８】
特開２００２−１９７３６１号公報（特許文献５）、特開２００８−９９５０号公報（特許文献６）、および特開２００８−９０４９９号公報（特許文献７）には、上記アフィリエイトに関する技術が開示されている。特許文献５には、報酬の支払い先（報酬付与対象者）を公正に抽出するための報酬付与システムが開示されている。特許文献６には、どの店舗を経由してアクセスしてきたかを識別し、店舗別の成功報酬型の広告手数料を計算するアフィリエイトサーバが開示されている。特許文献７には、広告媒体主の所在に基づいて広告の掲載可能地域を限定する広告代理サーバが開示されている。
【先行技術文献】
【特許文献】
【０００９】
【特許文献１】特開２００３−８７４２０号公報
【特許文献２】特開２００３−１０８２８２号公報
【特許文献３】特開２００７−１５０９４６号公報
【特許文献４】特開２００７−１６４７１０号公報
【特許文献５】特開２００２−１９７３６１号公報
【特許文献６】特開２００８−９９５０号公報
【特許文献７】特開２００８−９０４９９号公報
【発明の概要】
【発明が解決しようとする課題】
【００１０】
ところで、特許文献１に開示された広告表示システムは、携帯通信端末のサブ表示部に、携帯通信端末のステータス（たとえば位置，時間帯，折りたたんでいるか否か、充電中か否か）に応じた広告を表示することができる。しかしながら、当該広告表示システムでは、第三者が携帯通信端末を見ていない場合であっても広告を表示するため、サブ表示部を用いた広告の効果が期待できない。また、当該広告表示システムでは、携帯通信端末のユーザが希望する広告をサブ表示部に表示できない。特許文献２から７の各機器（装置やシステム）は、サブ表示部を備えていないため、そもそもサブ表示部に広告を表示できない。【００１１】
また、特許文献５や特許文献６に開示された技術では、広告情報がコンテンツを表示する画面と同じ画面に表示されることとなり、本来コンテンツの試聴を希望するユーザにおいて不都合を生じる場合があった。【００１２】
また、特許文献７に開示された技術では、上記した背面側の表示装置に表示された広告情報を見る者は、主画面に表示されたコンテンツを試聴するユーザとは異なる。したがって、このような広告方法では、広告を見る者と特定できず、的を絞った広告情報の配信を行なうことができない。また、このような技術によれば、携帯電話のユーザは、広告主のために、自らの携帯電話を使用して、第三者に対して広告を行なうこととなる。したがって、当該携帯電話のユーザは、上記背面側の表示装置の表示を停止してしまうなど、自身に必要性の低い広告情報の表示を停止してしまう可能性もあり、確実に広告情報の表示が行なわれなくなる事態も想定できる。【００１３】
本願発明は上記問題点に鑑みなされたものであって、その目的は、第１表示パネルとは異なる第２表示パネルに適切なタイミングで広告を表示可能な電子機器、当該電子機器に広告を提供するサーバ、当該電子機器およびサーバを備えた通信システム、当該電子機器における表示制御方法、当該サーバ装置におけるデータ通信方法、当該電子機器で実行可能なプログラム、当該サーバで実行可能なプログラムを提供することにある。【００１４】
他の目的は、第１表示パネルに表示された情報に関連する広告を、上記適切なタイミングで第２表示パネルに表示可能な電子機器、当該電子機器に広告を提供するサーバ、当該電子機器およびサーバを備えた通信システム、当該電子機器における表示制御方法、当該サーバ装置におけるデータ通信方法、当該電子機器で実行可能なプログラム、当該サーバで実行可能なプログラムを提供することにある。【００１５】
さらに他の目的は、第１表示パネルとは異なる第２表示パネルに適切なタイミングで広告を表示可能な電子機器、当該電子機器に広告を提供するサーバ、当該電子機器およびサーバを備えた通信システム、当該電子機器における表示制御方法、当該サーバにおけるデータ通信方法、当該電子機器で実行可能なプログラム、当該サーバで実行可能なプログラムを提供することにある。【００１６】
さらに他の目的は、第１表示パネルとは異なる第２表示パネルにユーザが希望する広告を表示可能な電子機器、当該電子機器に広告を提供するサーバ、当該電子機器およびサーバを備えた通信システム、当該電子機器における表示制御方法、当該サーバ装置におけるデータ通信方法、当該電子機器で実行可能なプログラム、当該サーバで実行可能なプログラムを提供することにある。【００１７】
さらに他の目的は、電子機器において、当該電子機器で表示されるべきコンテンツに含まれる広告情報を確実に表示できるようにすることである。
【課題を解決するための手段】
【００１８】
（１）本発明のある局面に従うと、電子機器は、第１表示パネルと、第２表示パネルとを備えた電子機器であって、電子機器で実行可能なアプリケーションソフトウェアと、当該アプリケーションソフトウェアに関連付けられた、サーバを特定するための第１情報とを格納した記憶装置と、アプリケーションソフトウェアの起動に基づき、当該アプリケーションソフトウェアの操作画面を第１表示パネルに表示させる表示制御手段と、アプリケーションソフトウェアの操作に関する第１入力を電子機器が受付けたことを検知する第１検知手段と、検知に基づき、第１情報により特定されるサーバを送信先とする信号を生成する生成手段と、サーバに、生成された信号を送信する送信手段と、送信に基づき、広告を示した第１画像データをサーバから受信する受信手段とを備え、表示制御手段は、第１画像データに基づく画像を第２表示パネルに表示させる。【００１９】
好ましくは、記憶装置は、第２表示パネルを識別するための第２情報をさらに格納している。生成手段は、上記信号として第２情報を含む信号を生成する。送信手段は、サーバに第２情報を含んだ信号を送信する。受信手段は、第１画像データとして、第２情報に基づきサーバおいて生成された画像データを、サーバから受信する。【００２０】
好ましくは、第１検知手段は、さらに、第１画像データに基づく画像を選択する第２入力を受付けたことを検知する。送信手段は、第２入力の検知に基づき、選択されたことを示す情報と第２情報とをサーバに送信する。【００２１】
好ましくは、第２表示パネルは、タッチパネルである。第２入力は、タッチパネルに対する入力である。【００２２】
好ましくは、記憶装置は、さらに、電子機器のユーザの指紋を示す第２画像データと、ユーザの属性を示す属性情報とを、当該ユーザ毎に関連付けて格納する。タッチパネルは、当該タッチパネルの画面に沿って内蔵された複数の光センサを含む。電子機器は、光センサによってセンシングされた画像データに一致する第２画像データを記憶装置が格納しているか否かを判断する判断手段をさらに備える。一致する第２画像データを記憶装置が格納している判断された場合、送信手段は、さらに、一致したと判断された第２画像データに関連付けされた属性情報をサーバに送信する。【００２３】
好ましくは、電子機器は、予め定められた時間にわたり電子機器を操作するための入力を受付けていないことを検知する第２検知手段をさらに備える。アプリケーションソフトウェアの操作画面が第１表示パネルに表示されている場合、第２検知手段による検知がなされたとき、表示制御手段は、第１画像データに基づく画像を第２表示パネルに表示させる。【００２４】
好ましくは、表示制御手段は、第１コマンドを受付けた場合、第２表示パネルの表示をオンとし、第２コマンドを受付けた場合、第２表示パネルの表示をオフとする。表示制御手段が第２コマンドを受付けることによって第２表示パネルの表示がオフとなっている状態で、受信手段が第１画像データを受信したとき、受信手段は、第１コマンドを表示制御手段に送信する。表示制御手段は、第１コマンドに基づいて、第１画像データに基づく画像を第２表示パネルに表示させる。【００２５】
好ましくは、生成手段は、上記信号として、アプリケーションソフトウェアを示す情報を含む信号を生成する。送信手段は、サーバに、アプリケーションソフトウェアを示す情報を含む信号を送信する。受信手段は、第１画像データとして、起動しているアプリケーションソフトウェアに関連する広告を示した画像データを、サーバから受信する。【００２６】
好ましくは、第１入力は、アプリケーションソフトウェアを起動させるための入力、またはアプリケーションソフトウェアを実行している際に生じたエラーをサーバに送信するための入力である。【００２７】
本発明の他の局面に従うと、サーバは、第１表示パネルおよび第２表示パネルを含む電子機器と通信を行なうサーバであって、広告を示した第１画像データを格納した記憶装置と、電子機器から、第１表示パネルを識別するための第１情報と第２表示パネルを識別するための第２情報とを含んだ信号を受信する第１受信手段と、第２情報を他のサーバに送信する第１送信手段と、送信に基づき、第２情報に基づき他のサーバおいて特定された第２表示パネルのデバイス情報を他のサーバから受信する第２受信手段と、受信したデバイス情報に基づき、第１画像データから第２画像データを生成する生成手段と、生成された第２画像データを電子機器に送信する第２送信手段とを備える。【００２８】
本発明のさらに他の局面に従うと、通信システムは、第１表示パネルと第２表示パネルとを含む電子機器と、第１サーバとを備えた通信システムである。電子機器は、電子機器で実行可能なアプリケーションソフトウェアと、当該アプリケーションソフトウェアに関連付けられた、第１サーバを特定するための第１情報と、第２表示パネルを識別するための第２情報とを格納した第１記憶装置と、アプリケーションソフトウェアの起動に基づき、当該アプリケーションソフトウェアの操作画面を第１表示パネルに表示させる表示制御手段と、アプリケーションソフトウェアの操作に関する入力を電子機器が受付けたことを検知する第１検知手段と、検知に基づき、第１情報により特定される第１サーバを送信先とする、第２情報を含んだ信号を生成する第１生成手段と、第１サーバに生成された信号を送信する第１送信手段とを含む。第１サーバは、広告を示した第１画像データを格納した第２記憶装置と、電子機器から、第２情報を含んだ信号を受信する第１受信手段と、第２情報を第２サーバに送信する第２送信手段と、送信に基づき、第２情報に基づき第２サーバおいて特定された、第２表示パネルのデバイス情報を、第２サーバから受信する第２受信手段と、受信したデバイス情報に基づき、第１画像データから第２画像データを生成する第２生成手段と、生成された第２画像データを電子機器に送信する第３送信手段とを含む。電子機器は、第２画像データを第１サーバから受信する第３受信手段をさらに含む。表示制御手段は、第２画像データに基づく画像を第２表示パネルに表示させる。【００２９】
好ましくは、通信システムは、第２サーバをさらに備える。第２サーバは、第２情報を第１サーバから受信する第４受信手段と、第２情報に基づき特定した、第２表示パネルのデバイス情報を第１サーバに送信する第４送信手段とを含む。【００３０】
本発明のさらに他の局面に従うと、表示制御方法は、第１表示パネルと第２表示パネルとを含む電子機器における表示制御方法であって、電子機器でのアプリケーションソフトウェアの起動に基づき、当該アプリケーションソフトウェアの操作画面を第１表示パネルに表示させるステップと、アプリケーションソフトウェアの操作に関する第１入力を電子機器が受付けたことを検知するステップと、検知に基づき、当該アプリケーションソフトウェアに関連付けられた情報により特定されるサーバを送信先とする信号を生成するステップと、サーバに生成された信号を送信するステップと、送信に基づき、広告を示した画像データをサーバから受信するステップと、画像データに基づく画像を第２表示パネルに表示させるステップとを備える。【００３１】
好ましくは、信号を生成するステップでは、第２表示パネルを識別するための第２情報を含む信号を生成する。信号を送信するステップでは、サーバに、第２情報を含んだ信号を送信する。画像データを受信するステップでは、第２情報に基づきサーバおいて生成された画像データをサーバから受信する。【００３２】
好ましくは、表示制御方法は、画像データに基づく画像を選択する第２入力を受付けたことを検知するステップと、第２入力の検知に基づき、選択されたことを示す情報と第２情報とをサーバに送信する送信ステップとをさらに備える。【００３３】
好ましくは、信号を生成するステップでは、アプリケーションソフトウェアを示す情報を含む信号を生成する。信号を送信するステップでは、サーバに、アプリケーションソフトウェアを示す情報を含む前記信号を送信する。画像データを受信するステップでは、画像データとして、起動しているアプリケーションソフトウェアに関連する広告を示した画像データを、サーバから受信する。【００３４】
好ましくは、第１入力は、アプリケーションソフトウェアを起動させるための入力、またはアプリケーションソフトウェアを実行している際に生じたエラーをサーバに送信するための入力である。【００３５】
本発明のさらに他の局面に従うと、データ通信方法は、第１表示パネルおよび第２表示パネルを含む電子機器と通信を行なうサーバにおけるデータ通信方法であって、電子機器から、第１表示パネルを識別するための第１情報と第２表示パネルを識別するための第２情報とを含んだ信号を受信するステップと、第２情報を他のサーバに送信するステップと、上記送信に基づき、第２情報に基づき他のサーバおいて特定された、第２表示パネルのデバイス情報を、他のサーバから受信するステップと、受信したデバイス情報に基づき、広告を示した第１画像データから第２画像データを生成するステップと、生成された第２画像データを電子機器に送信するステップとを備える。【００３６】
本発明のさらに他の局面に従うと、プログラムは、第１表示パネルと第２表示パネルとを含む電子機器を制御するプログラムであって、電子機器でのアプリケーションソフトウェアの起動に基づき、当該アプリケーションソフトウェアの操作画面を第１表示パネルに表示させるステップと、アプリケーションソフトウェアの操作に関する入力を電子機器が受付けたことを検知するステップと、検知に基づき、当該アプリケーションソフトウェアに関連付けられた情報により特定されるサーバを送信先とする信号を生成するステップと、サーバに生成された信号を送信するステップと、送信に基づき、広告を示した画像データをサーバから受信するステップと、画像データに基づく画像を第２表示パネルに表示させるステップとを、電子機器に実行させる。【００３７】
本発明のさらに他の局面に従うと、プログラムは、第１表示パネルおよび第２表示パネルを含む電子機器と通信を行なうサーバを制御するプログラムであって、電子機器から、第１表示パネルを識別するための第１情報と第２表示パネルを識別するための第２情報とを含んだ信号を受信するステップと、第２情報を他のサーバに送信するステップと、上記送信に基づき、第２情報に基づき他のサーバおいて特定された、第２表示パネルのデバイス情報を、他のサーバから受信するステップと、受信したデバイス情報に基づき、広告を示した第１画像データから第２画像データを生成するステップと、生成された第２画像データを電子機器に送信するステップとを、サーバに実行させる。【００３８】
（２）本発明のさらに他の局面に従うと、電子機器は、第１表示パネルと、第２表示パネルと、電子機器で実行可能なソフトウェアと、サーバを特定するための特定情報とを格納した記憶装置と、ソフトウェアの起動に基づき、当該ソフトウェアの操作画面を第１表示パネルに表示させる表示制御手段と、ソフトウェアを実行している際にエラーが生じたことに基づき、特定情報により特定されるサーバを送信先とする、エラーを示すエラー情報を含む信号を生成する生成手段と、サーバに、生成された信号を送信する送信手段と、送信に基づき、広告を示した第１画像データをサーバから受信する受信手段とを備える。記憶装置は、さらに、エラーに関連するメッセージを示した第２画像データを格納しており、表示制御手段は、第１画像データに基づく画像と第２画像データに基づく画像とを第２表示パネルに表示させる。【００３９】
好ましくは、受信手段は、サーバから、エラーに関連するメッセージを示した画像データを受信し、当該受信した画像データを、記憶装置に第２画像データとして格納する。【００４０】
好ましくは、記憶装置は、第２表示パネルを識別するための識別情報をさらに格納している。生成手段は、上記信号として、識別情報をさらに含む信号を生成する。送信手段は、サーバに、識別情報を含む上記信号を送信する。受信手段は、第１画像データおよび第２画像データとして、識別情報に基づきサーバおいて生成された画像データを、サーバから受信する。【００４１】
好ましくは、電子機器は、第１画像データに基づく画像を選択する入力を受け付けたことを検知する検知手段をさらに備える。送信手段は、入力の検知に基づき、選択されたことを示す情報と識別情報とをサーバに送信する。【００４２】
好ましくは、第２表示パネルは、タッチパネルであって、入力は、タッチパネルに対する入力である。【００４３】
好ましくは、記憶装置は、さらに、電子機器のユーザの指紋を示す第３画像データと、ユーザの属性を示す属性情報とを当該ユーザに関連付けて格納している。タッチパネルは、当該タッチパネルの画面に沿って内蔵された複数の光センサを含む。電子機器は、光センサによるセンシングによって得られた画像データに一致する第３画像データを、記憶装置が格納しているか否かを判断する判断手段をさらに備える。一致する第３画像データを記憶装置が格納していると判断された場合、送信手段は、さらに、一致したと判断された第３画像データに関連付けされた属性情報を、サーバに送信する。【００４４】
好ましくは、表示制御手段は、第１コマンドを受付けた場合、第２表示パネルの表示をオンとし、第２コマンドを受付けた場合、第２表示パネルの表示をオフとする。表示制御手段が第２コマンドを受付けることによって第２表示パネルの表示がオフとなっている状態で、受信手段が第１画像データを受信したとき、受信手段は、第１コマンドを表示制御手段に送信する。表示制御手段は、第１コマンドに基づいて、第１画像データに基づく画像と第２画像データに基づく画像とを第２表示パネルに表示させる。【００４５】
本発明のさらに他の局面に従うと、サーバは、第１表示パネルおよび第２表示パネルを含む電子機器、および第１通信装置と通信を行なうサーバであって、第２表示パネルのデバイス情報と、広告を示す第１画像データとを格納した記憶装置と、電子機器においてソフトウェアを実行している際に生じたエラーを示すエラー情報を含む信号を、電子機器から受信する第１受信手段と、第１通信装置に、エラー情報を送信する第１送信手段と、エラー情報の送信に基づき、第１通信装置から、エラーに関連するメッセージを示した第２画像データを受信する第２受信手段と、デバイス情報に基づいて、第１画像データから第３画像データを生成し、かつ第２画像データから第４画像データを生成する生成手段と、第２画像データと第４画像データとを電子機器に送信する第２送信手段とを備える。【００４６】
好ましくは、サーバは、第２通信装置から、広告を示す画像データを受信し、当該受信した画像データを、記憶装置に第１画像データとして格納する第３受信手段をさらに備える。【００４７】
好ましくは、記憶装置は、第２表示パネルを識別するための識別情報をデバイス情報に対応付けて格納している。第１受信手段は、信号として、識別情報をさらに含む信号を受信する。生成手段は、受信した識別情報に対応付けられたデバイス情報に基づいて、第３画像データと第４画像データを生成する。【００４８】
本発明のさらに他の局面に従うと、通信システムは、第１表示パネルと第２表示パネルとを含む電子機器と、第１通信装置とを備えた通信システムであって、電子機器は、電子機器で実行可能なソフトウェアと、第１通信装置を特定するための特定情報と、第２表示パネルを識別するための識別情報とを格納した第１記憶装置と、ソフトウェアの起動に基づき、当該ソフトウェアの操作画面を第１表示パネルに表示させる表示制御手段と、ソフトウェアを実行している際にエラーが生じたことに基づき、特定情報により特定される第１通信装置を送信先とする、エラーを示すエラー情報と識別情報とを含む信号を生成する生成手段と、第１通信装置に、生成された信号を送信する第１送信手段とを含む。第１通信装置は、第２表示パネルのデバイス情報と識別情報とを対応付けて格納し、かつ広告を示す第１画像データを格納した第２記憶装置と、エラー情報と識別情報とを含む信号を、電子機器から受信する第１受信手段と、第２通信装置に、エラー情報を送信する第２送信手段と、エラー情報の送信に基づき、第２通信装置から、エラーに関連するメッセージを示した第２画像データを受信する第２受信手段と、受信した識別情報に対応付けられたデバイス情報に基づいて、第１画像データから第３画像データを生成し、かつ第２画像データから第４画像データを生成する第２生成手段と、第２画像データと第４画像データとを電子機器に送信する第３送信手段とを含む。電子機器は、第２画像データおよび第４画像データを第１通信装置から受信する第３受信手段をさらに含み、表示制御手段は、第２画像データに基づく画像と第４画像データに基づく画像とを第２表示パネルに表示させる。【００４９】
好ましくは、通信システムは、第２通信装置をさらに備える。第２通信装置は、第１通信装置から、エラー情報を受信する第４受信手段と、第１通信装置に、第２画像データを送信する第４送信手段とを含む。【００５０】
本発明のさらに他の局面に従うと、表示制御方法は、第１表示パネルと第２表示パネルとを備えた電子機器における表示制御方法であって、電子機器でのソフトウェアの起動に基づき、当該ソフトウェアの操作画面を第１表示パネルに表示させるステップと、ソフトウェアを実行している際にエラーが生じたことに基づき、電子機器に格納された情報により特定されるサーバを送信先とする、エラーを示すエラー情報を含む信号を生成するステップと、サーバに、生成された信号を送信するステップと、送信に基づき、広告を示した第１画像データをサーバから受信するステップと、第１画像データに基づく画像と、電子機器の記憶装置に格納されたエラーに関連するメッセージを示した第２画像データに基づく画像とを、第２表示パネルに表示させるステップとを備える。【００５１】
好ましくは、表示制御方法は、サーバから、エラーに関連するメッセージを示した画像データを受信するステップと、受信した画像データを、記憶装置に第２画像データとして格納するステップとをさらに備える。【００５２】
好ましくは、エラー情報を含む信号は、第２表示パネルを識別するための識別情報をさらに含む。第１画像データおよび第２画像データは、識別情報に基づきサーバおいて生成された画像データである。【００５３】
好ましくは、表示制御方法は、第１画像データに基づく画像を選択する入力を受け付けたことを検知するステップと、入力の検知に基づき、選択されたことを示す情報と識別情報とをサーバに送信するステップとをさらに備える。【００５４】
本発明のさらに他の局面に従うと、データ通信方法は、第１表示パネルおよび第２表示パネルを含む電子機器、および第１通信装置と通信を行なうサーバにおけるデータ通信方法であって、電子機器においてソフトウェアを実行している際に生じたエラーを示すエラー情報を含む信号を、電子機器から受信するステップと、第１通信装置に、エラー情報を送信するステップと、エラー情報の送信に基づき、第１通信装置から、エラーに関連するメッセージを示した第１画像データを受信するステップと、第２表示パネルのデバイス情報に基づいて、第１画像データから第２画像データを生成し、かつ前記サーバの記憶装置に格納された広告を示す第３画像データから第４画像データを生成するステップと、第２画像データと第４画像データとを電子機器に送信するステップとを備える。【００５５】
好ましくは、データ通信方法は、第２通信装置から、広告を示す画像データを受信するステップと、当該受信した画像データを、記憶装置に第３画像データとして格納するステップとをさらに備える。【００５６】
好ましくは、エラー情報を含む信号は、第２表示パネルを識別するための識別情報をさらに含む。第２画像データおよび第４画像データは、受信した識別情報に対応付けられたデバイス情報に基づいて生成される。【００５７】
本発明のさらに他の局面に従うと、プログラムは、第１表示パネルと第２表示パネルとを備えた電子機器を制御するプログラムであって、電子機器でのソフトウェアの起動に基づき、当該ソフトウェアの操作画面を第１表示パネルに表示させるステップと、ソフトウェアを実行している際にエラーが生じたことに基づき、電子機器に格納された情報により特定されるサーバを送信先とする、エラーを示すエラー情報を含む信号を生成するステップと、サーバに、生成された信号を送信するステップと、送信に基づき、広告を示した第１画像データをサーバから受信するステップと、第１画像データに基づく画像と、電子機器の記憶装置に格納されたエラーに関連するメッセージを示した第２画像データに基づく画像とを、第２表示パネルに表示させるステップとを、電子機器に実行させる。【００５８】
本発明のさらに他の局面に従うと、プログラムは、第１表示パネルおよび第２表示パネルを含む電子機器および第１通信装置と通信を行なう第２通信装置を制御するプログラムであって、電子機器においてソフトウェアを実行している際に生じたエラーを示すエラー情報を含む信号を、電子機器から受信するステップと、第１通信装置に、エラー情報を送信するステップと、エラー情報の送信に基づき、第１通信装置から、エラーに関連するメッセージを示した第１画像データを受信するステップと、第２表示パネルのデバイス情報に基づいて、第１画像データから第２画像データを生成し、かつ第２通信装置の記憶装置に格納された広告を示す第３画像データから第４画像データを生成するステップと、第２画像データと第４画像データとを電子機器に送信するステップとを、第２通信装置に実行させる。【００５９】
（３）本発明のさらに他の局面に従うと、電子機器は、第１表示パネルと、第２表示パネルとを備えた電子機器であって、第１広告を含むウェブページを表示するための第１情報の送信を要求する第１信号を、第１サーバに送信するための送信手段と、第１信号の送信に基づき、第１情報と、第１広告に対応付けられた、第２サーバを特定するための第２情報とを、第１サーバから受信するための受信手段と、記第１情報に基づき、ウェブページを第１表示パネルに表示させるための表示制御手段と、表示されたウェブページにおける第１広告を選択する第１入力を電子機器が受付けたこと検知するための第１検知手段と、検知に基づき、第２情報により特定されるサーバを送信先とする第２信号を生成するための生成手段とを備える。検知がなされた場合、送信手段は、さらに、生成された第２信号を第２サーバに送信し、受信手段は、第２信号の送信に基づき、さらに、第２サーバから、選択された第１広告が示す情報よりも詳細な情報を含んだ第１画像データを受信し、表示制御手段は、第１画像データに基づく第２広告を第２表示パネルに表示させる。【００６０】
好ましくは、受信手段は、第１サーバを介して第１画像データを受信する。
好ましくは、電子機器は、第２表示パネルを識別するための第３情報を格納するための記憶装置をさらに備える。生成手段は、第２信号として、第３情報を含む信号を生成する。送信手段は、第２サーバに、第３情報を含んだ信号を送信する。受信手段は、第１画像データとして、第３情報に基づき第２サーバおいて生成された画像データを、第２サーバから受信する。【００６１】
好ましくは、電子機器は、第２表示パネルに表示された第２広告を選択する第２入力を、電子機器が受付けたことを検知するための第２検知手段をさらに備える。生成手段は、第２入力の検知に基づき、当該選択されたことを示す情報と第３情報とを含んだ第３信号を生成する。送信手段は、第３信号を第２サーバに送信する。【００６２】
好ましくは、第２表示パネルは、タッチパネルである。また、第２入力は、タッチパネルに対する入力である。【００６３】
好ましくは、記憶装置は、電子機器の使用者の指紋を示す第２画像データと、使用者の属性を示す属性情報とを、当該使用者毎に関連付けてさらに格納する。タッチパネルは、当該タッチパネルの画面に沿って内蔵された複数の光センサを含む。電子機器は、光センサによってセンシングされた画像データに一致する第２画像データを、記憶装置が格納しているか否かを判断するための判断手段をさらに備える。一致する第２画像データを記憶装置が格納していると判断された場合、送信手段は、さらに、一致したと判断された第２画像データに関連付けされた属性情報を、第２サーバに送信する。【００６４】
好ましくは、電子機器は、予め定められた時間にわたり電子機器を操作するための入力を受付けていないことを検知するための第３検知手段をさらに備える。第１広告が第１表示パネルに表示されている場合、第３検知手段による検知がなされたとき、表示制御手段は、第２広告を第２表示パネルに表示させる。【００６５】
好ましくは、表示制御手段は、第１コマンドを受付けた場合、第２表示パネルの表示をオンとし、第２コマンドを受付けた場合、第２表示パネルの表示をオフとする。表示制御手段が第２コマンドを受付けることによって第２表示パネルの表示がオフとなっている状態で、受信手段が第１画像データを受信したとき、受信手段は、第１コマンドを表示制御手段に送信する。表示制御手段は、第１コマンドに基づいて、第２広告を第２表示パネルに表示させる。【００６６】
本発明のさらに他の局面に従うと、電子機器は、第１表示パネルと、第２表示パネルとを備えた電子機器であって、第１広告を含むウェブページを表示するための第１情報の送信を要求する第１信号を第１サーバに送信するための送信手段と、第１信号の送信に基づき、第１情報と、第１広告に対応付けられた、第２サーバを特定するための第２情報とを、第１サーバから受信するための受信手段と、第１情報に基づき、ウェブページを第１表示パネルに表示させるための表示制御手段と、表示されたウェブページにおける第１広告を選択する第１入力を電子機器が受付けたこと検知するための第１検知手段とを備える。受信手段は、第１信号の送信に基づき、さらに、第２情報に基づき特定される第２サーバから、第１広告が示す情報よりも詳細な情報を含んだ第２広告を表示するための第１画像データを受信する。表示制御手段は、検知がなされた場合、第１画像データに基づく第２広告を第２表示パネルに表示させる。【００６７】
本発明のさらに他の局面に従うと、サーバは、第１表示パネルおよび第２表示パネルを備えた電子機器と通信を行なうサーバであって、第１広告を含むウェブページを表示するための第１情報と、第１広告に対応付けられた、他のサーバを特定するための第２情報とを格納するための記憶装置と、第１情報を電子機器に送信することを要求する信号を電子機器から受信したことに基づき、第１情報と第２情報とを、電子機器に送信するための送信手段と、送信に基づき、電子機器から、第１表示パネルを識別するための第３情報と第２表示パネルを識別するための第４情報とを含んだ信号を受信するための受信手段とを備える。当該受信に基づき、送信手段は、第３情報および第４情報を他のサーバに送信する。【００６８】
好ましくは、記第３情報および第４情報の送信に基づき、受信手段は、第４情報に基づき他のサーバで生成された、第１広告が示す情報よりも詳細な情報を含んだ画像データを、当該他のサーバから受信する。送信手段は、さらに、受信した画像データを電子機器に送信する。【００６９】
本発明のさらに他の局面に従うと、サーバは、第１表示パネルおよび第２表示パネルを備えた電子機器と通信を行なうサーバであって、第１広告を示した第１画像データと、当該第１画像データに関連付けされた、第１広告が示す情報よりも詳細な情報を含んだ第２画像データと、第２表示パネルのデバイス情報とを格納するための記憶装置と、他のサーバを介して、電子機器から、当該電子機器にて表示された第１広告が選択されたことを示した情報と、第１表示パネルを識別するための第１情報と、第２表示パネルを識別するための第２情報とを受信するための受信手段と、第２情報で特定される第２表示パネルについてのデバイス情報に基づいて、第２画像データから第３画像データを生成するための生成手段と、第３画像データを、電子機器に送信するための送信手段とを備える。【００７０】
好ましくは、送信手段は、他のサーバを介して、電子機器に第３画像データを送信する。【００７１】
本発明のさらに他の局面に従うと、通信システムは、第１サーバと、第１表示パネルおよび第２表示パネルを含む電子機器とを備えた通信システムであって、第１サーバは、第１広告を含むウェブページを表示するための第１情報と、第１広告に対応付けられた、第２サーバを特定するための第２情報とを格納するための記憶装置と、第１情報を電子機器に送信することを要求する第１信号を電子機器から受信したことに基づき、第１情報と第２情報とを、電子機器に送信するための第１送信手段とを含む。電子機器は、第１信号を第１サーバに送信するための第２送信手段と、第１信号の送信に基づき、第１情報と第２情報とを第１サーバから受信するための第１受信手段と、受信された第１情報に基づき、ウェブページを第１表示パネルに表示させるための表示制御手段と、表示されたウェブページにおける第１広告を選択する第１入力を、電子機器が受付けたこと検知するための検知手段とを含む。検知がなされた場合、第２送信手段は、さらに、第２情報に基づき特定される第２サーバに、第２信号を送信し、第１受信手段は、第２信号の送信に基づき、さらに、第２サーバから、選択された第１広告が示す情報よりも詳細な情報を含んだ第１画像データを受信し、表示制御手段は、第１画像データに基づく第２広告を、第２表示パネルに表示させる。【００７２】
好ましくは、通信システムは、第２サーバをさらに備える。第２サーバは、第１広告を示した第２画像データと、当該第２画像データに関連付けされた、第１広告が示す情報よりも詳細な情報を含んだ第３画像データと、第２表示パネルのデバイス情報とを格納するための記憶装置と、第１サーバを介して、電子機器から、当該電子機器にて表示された第１広告が選択されたことを示した情報と、第１表示パネルを識別するための第３情報と、第２表示パネルを識別するための第４情報とを受信するための第２受信手段と、第４情報で特定される第２表示パネルについてのデバイス情報に基づいて、第３画像データから第１画像データを生成するための生成手段と、第１画像データを、電子機器に送信する第３送信手段とを備える。【００７３】
本発明のさらに他の局面に従うと、表示制御方法は、第１表示パネルと、第２表示パネルとを備えた電子機器における表示制御方法であって、第１広告を含むウェブページを表示するための第１情報の送信を要求する第１信号を、第１サーバに送信するステップと、第１信号の送信に基づき、第１情報と、第１広告に対応付けられた、第２サーバを特定するための第２情報とを、第１サーバから受信するステップと、第１情報に基づき、ウェブページを第１表示パネルに表示させるステップと、表示されたウェブページにおける第１広告を選択する入力を電子機器が受付けたこと検知するステップと、検知に基づき、第２情報により特定されるサーバを送信先とする第２信号を生成するステップと、検知に基づき、生成された第２信号を送信するステップと、第２信号の送信に基づき、第２サーバから、選択された第１広告が示す情報よりも詳細な情報を含んだ画像データを受信するステップと、画像データに基づく第２広告を第２表示パネルに表示させるステップとを備える。【００７４】
本発明のさらに他の局面に従うと、表示制御方法は、第１表示パネルと、第２表示パネルとを備えた電子機器における表示制御方法であって、第１広告を含むウェブページを表示するための第１情報の送信を要求する第１信号を第１サーバに送信するステップと、第１信号の送信に基づき、第１情報と、第１広告に対応付けられた、第２サーバを特定するための第２情報とを、第１サーバから受信するステップと、第１信号の送信に基づき、第２情報に基づき特定される第２サーバから、第１広告が示す情報よりも詳細な情報を含んだ第２広告を表示するための画像データを受信するステップと、第１情報に基づき、ウェブページを第１表示パネルに表示させるステップと、表示されたウェブページにおける第１広告を選択する入力を電子機器が受付けたこと検知するステップと、検知がなされた場合、画像データに基づく第２広告を第２表示パネルに表示させるステップとを備える。【００７５】
本発明のさらに他の局面に従うと、データ通信方法は、第１表示パネルおよび第２表示パネルを備えた電子機器と通信を行なうサーバにおけるデータ通信方法であって、広告を含むウェブページを表示するための第１情報の送信を要求する信号を電子機器から受信したことに基づき、第１情報と、広告に対応付けられた、他のサーバを特定するための第２情報とを、電子機器に送信するステップと、送信に基づき、電子機器から、第１表示パネルを識別するための第３情報と第２表示パネルを識別するための第４情報とを含んだ信号を受信するステップと、受信に基づき、第３情報および第４情報を他のサーバに送信するステップとを備える。【００７６】
本発明のさらに他の局面に従うと、データ通信方法は、第１表示パネルおよび第２表示パネルを備えた電子機器と通信を行なうサーバにおけるデータ通信方法であって、他のサーバを介して、電子機器から、当該電子機器にて表示された広告が選択されたことを示した情報と、第１表示パネルを識別するための第１情報と、第２表示パネルを識別するための第２情報とを受信するステップと、第２情報で特定される第２表示パネルについてのデバイス情報に基づいて、広告を示した第１画像データに関連付けられた当該広告が示す情報よりも詳細な情報を含んだ第２画像データから、第３画像データを生成するステップと、第３画像データを、電子機器に送信するステップとを備える。【００７７】
本発明のさらに他の局面に従うと、プログラムは、第１表示パネルと、第２表示パネルとを備えた電子機器を制御するプログラムであって、第１広告を含むウェブページを表示するための第１情報の送信を要求する第１信号を、第１サーバに送信するステップと、第１信号の送信に基づき、第１情報と、第１広告に対応付けられた、第２サーバを特定するための第２情報とを、第１サーバから受信するステップと、第１情報に基づき、ウェブページを第１表示パネルに表示させるステップと、表示されたウェブページにおける第１広告を選択する入力を電子機器が受付けたこと検知するステップと、検知に基づき、第２情報により特定されるサーバを送信先とする第２信号を生成するステップと、検知に基づき、生成された第２信号を送信するステップと、第２信号の送信に基づき、第２サーバから、選択された第１広告が示す情報よりも詳細な情報を含んだ画像データを受信するステップと、画像データに基づく第２広告を第２表示パネルに表示させるステップとを、電子機器に実行させる。【００７８】
本発明のさらに他の局面に従うと、プログラムは、第１表示パネルと、第２表示パネルとを備えた電子機器を制御するプログラムであって、第１広告を含むウェブページを表示するための第１情報の送信を要求する第１信号を第１サーバに送信するステップと、第１信号の送信に基づき、第１情報と、第１広告に対応付けられた、第２サーバを特定するための第２情報とを、第１サーバから受信するステップと、第１信号の送信に基づき、第２情報に基づき特定される第２サーバから、第１広告が示す情報よりも詳細な情報を含んだ第２広告を表示するための画像データを受信するステップと、第１情報に基づき、ウェブページを第１表示パネルに表示させるステップと、表示されたウェブページにおける第１広告を選択する入力を電子機器が受付けたこと検知するステップと、検知がなされた場合、画像データに基づく第２広告を第２表示パネルに表示させるステップとを、電子機器に実行させる。【００７９】
本発明のさらに他の局面に従うと、プログラムは、第１表示パネルおよび第２表示パネルを備えた電子機器と通信を行なうサーバを制御するプログラムであって、広告を含むウェブページを表示するための第１情報の送信を要求する信号を電子機器から受信したことに基づき、第１情報と、広告に対応付けられた、他のサーバを特定するための第２情報とを、電子機器に送信するステップと、送信に基づき、電子機器から、第１表示パネルを識別するための第３情報と第２表示パネルを識別するための第４情報とを含んだ信号を受信するステップと、受信に基づき、第３情報および第４情報を他のサーバに送信するステップとを、サーバに実行させる。【００８０】
本発明のさらに他の局面に従うと、プログラムは、第１表示パネルおよび第２表示パネルを備えた電子機器と通信を行なうサーバを制御するプログラムであって、他のサーバを介して、電子機器から、当該電子機器にて表示された広告が選択されたことを示した情報と、第１表示パネルを識別するための第１情報と、第２表示パネルを識別するための第２情報とを受信するステップと、第２情報で特定される第２表示パネルについてのデバイス情報に基づいて、広告を示した第１画像データに関連付けられた当該広告が示す情報よりも詳細な情報を含んだ第２画像データから、第３画像データを生成するステップと、第３画像データを、電子機器に送信するステップとを、サーバに実行させる。【００８１】
（４）本発明のさらに他の局面に従うと、電子機器は、画像を表示する第１の表示手段と、画像を表示する第２の表示手段と、第１の表示手段に表示させるコンテンツデータを記憶する記憶手段と、記憶されたコンテンツデータから、特定の属性を付加された画像のデータを抽出する抽出手段と、抽出手段が抽出した特定の属性を付加された画像のデータに基づいて、当該画像を第２の表示手段に表示させるためのデータを生成する生成手段と、生成手段の生成したデータに基づいて第２の表示手段に特定の属性を付加された画像を表示させる制御手段とを備える。【００８２】
好ましくは、電子機器は、特定の属性を付加された画像が第１の表示手段に表示されているか否かを判断する判断手段をさらに備える。抽出手段は、判断手段が特定の属性を付加された画像が第１の表示手段に表示されていないと判断したことを条件として、特定の属性を付加された画像のデータを抽出する。【００８３】
好ましくは、記憶手段は、コンテンツデータを第１の表示手段に表示させる第１のアプリケーションを含む複数のアプリケーションのプログラムを記憶している。電子機器は、記憶手段に記憶されたアプリケーションのプログラムを実行するアプリケーション実行手段をさらに備える。第１のアプリケーションおよび第１のアプリケーションとは異なる他のアプリケーションが起動され、第１の表示手段において、当該他のアプリケーションの表示画面が、第１のアプリケーションの表示画面内の特定の属性を付加された画像の表示位置の上に重ねられて表示されているときに、判断手段は、特定の属性を付加された画像が第１の表示手段に表示されていないと判断する。【００８４】
好ましくは、抽出手段は、コンテンツデータから、複数の、特定の属性を付加された画像のデータを抽出する。生成手段は、抽出手段が抽出した複数の画像のデータのそれぞれについて、当該画像を第２の表示手段に表示させるためのデータを生成する。制御手段は、生成手段が生成した、複数の、画像を第２の表示手段に表示させるためのデータに基づいて、複数の、特定の属性を付加された画像を交代で第２の表示手段に表示させる。【００８５】
好ましくは、特定の属性は、リンク情報を含む。第２の表示手段は、タッチセンサを内蔵する。電子機器は、第２の表示手段が特定の属性を有する画像を表示させているときに第２の表示手段に対してタッチ操作がなされたことを条件として、リンク情報にアクセスするアクセス手段をさらに備える。【００８６】
好ましくは、タッチセンサは、光センサによって構成される。
好ましくは、生成手段は、特定の属性を付加された画像が、第２の表示手段に対応したサイズで表示されるようにデータを生成する。【００８７】
本発明のさらに他の局面に従うと、電子機器の制御方法は、画像を表示する第１の表示手段および第２の表示手段を備えた電子機器の制御方法であって、第１の表示手段に表示させるコンテンツデータを記憶するステップと、記憶されたコンテンツデータから、特定の属性を付加された画像のデータを抽出するステップと、抽出した特定の属性を付加された画像のデータに基づいて、当該画像を第２の表示手段に表示させるためのデータを生成するステップと、生成したデータに基づいて第２の表示手段に特定の属性を付加された画像を表示させるステップとを備える。【００８８】
本発明のさらに他の局面に従うと、情報表示用のプログラムは、画像を表示する第１の表示手段および第２の表示手段を備えた電子機器において実行されるコンピュータ読取可能な情報表示用プログラムであって、電子機器に、第１の表示手段に表示させるコンテンツデータを記憶するステップと、記憶されたコンテンツデータから、特定の属性を付加された画像のデータを抽出するステップと、抽出した特定の属性を付加された画像のデータに基づいて、当該画像を第２の表示手段に表示させるためのデータを生成するステップと、生成したデータに基づいて第２の表示手段に特定の属性を付加された画像を表示させるステップとを実行させる。
【発明の効果】
【００８９】
本発明によれば、第１表示パネルとは異なる第２表示パネルに適切なタイミングで広告を表示可能となる。また、本発明によれば、第１表示パネルに表示された情報に関連する広告を、上記適切なタイミングで第２表示パネルに表示可能となる。また、本発明によれば、第１表示パネルとは異なる第２表示パネルに、電子機器のユーザが希望する広告を表示可能になる。【００９０】
本発明によれば、複数の表示手段を備える電子機器において、第１の表示手段に表示させるコンテンツデータから、特定の属性を付加された画像のデータが抽出され、当該抽出された画像のデータに基づいて生成されたデータに基づいて、コンテンツデータにおいて特定の属性を付加された画像を第２の表示手段に表示される。これにより、特定の属性として広告情報についての属性が設定された場合、電子機器において、ユーザがコンテンツデータの表示等に利用する第１の表示手段とは別に設けられた第２の表示手段に、当該コンテンツデータに含まれる広告の画像が、確実に表示されることとなる。
【図面の簡単な説明】
【００９１】
【図１】本実施の形態に係る通信システムに含まれる電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像を示した図である。
【図１６】他の光センサ内蔵液晶パネルの回路図である。
【図１７】スキャンの際にフォトダイオードが外光を受光する構成を示した断面図である。
【図１８】電子機器の変形例のハードウェア構成を表わすブロック図である。
【図１９】通信システムの概略構成を示した図である。
【図２０】広告サーバとして機能するコンピュータシステムのハードウェア構成を表わすブロック図である。
【図２１】電子機器の機能ブロックを示した図である。
【図２２】広告サーバの機能ブロックを示した図である。
【図２３】ＡＳＰサーバの機能ブロックを示した図である。
【図２４】ハードウェア環境情報を模式的に示した図である。
【図２５】液晶パネルのデバイス情報を模式的に示した図である。
【図２６】電子機器の記憶装置に格納されたサーバ特定情報を模式的に示した図である。
【図２７】表計算のアプリケーションソフトを実行している状態の電子機器を示した図である。
【図２８】電子機器が広告画像データに基づく広告を液晶パネルに表示させた状態を示した図である。
【図２９】通信システムにおけるシーケンスを示した図である。
【図３０】電子機器における制御構造を示した図である。
【図３１】広告サーバにおける制御構造を示した図である。
【図３２】ＡＳＰサーバにおける制御構造を示した図である。
【図３３】電子機器の変形例である電子機器の機能ブロックを示した図である。
【図３４】電子機器の他の変形例である他の電子機器の機能ブロックを示した図である。
【図３５】通信システムの概略構成を示した図である。
【図３６】電子機器のブロックを示した図である。
【図３７】ＡＳＰサーバのブロックを示した図である。
【図３８】他のサーバのブロックを示した図である。
【図３９】端末装置のブロックを示した図である。
【図４０】表計算のアプリケーションソフトを実行している状態の電子機器を示した図である。
【図４１】電子機器が表示用画像データに基づく画像を液晶パネルに表示させた状態を示した図である。
【図４２】通信システムにおけるシーケンスを示した図である。
【図４３】電子機器における制御構造を示したフローチャートである。
【図４４】ＡＳＰサーバにおける制御構造を示したフローチャートである。
【図４５】他のサーバにおける制御構造を示したフローチャートである。
【図４６】端末装置における制御構造を示したフローチャートである。
【図４７】電子機器の変形例である他の電子機器の機能ブロックを示した図である。
【図４８】通信システムの概略構成を示した図である。
【図４９】電子機器の機能ブロックを示した図である。
【図５０】検索用サーバの機能ブロックを示した図である。
【図５１】ＡＳＰサーバの機能ブロックを示した図である。
【図５２】端末装置の機能ブロックを示した図である。
【図５３】他の液晶パネルにウェブページを表示している状態の電子機器を示した図である。
【図５４】電子機器が、詳細広告画像データに基づく詳細広告を液晶パネルに表示させた後の状態を示した図である。
【図５５】通信システムにおけるシーケンスを示した図である。
【図５６】電子機器における制御構造を示した図である。
【図５７】検索用サーバにおける制御構造を示した図である。
【図５８】ＡＳＰサーバにおける制御構造を示した図である。
【図５９】端末装置における制御構造を示した図である。
【図６０】電子機器の変形例である電子機器の機能ブロックを示した図である。
【図６１】電子機器の他の変形例である電子機器の機能ブロックを示した図である。
【図６２】通信システムの他の変形例におけるシーケンスを示した図である。
【図６３】通信システムを構成する電子機器における制御構造を示した図である。
【図６４】図１の電子機器を含むネットワークシステムの構成の一例を模式的に示す図である。
【図６５】図１の電子機器の機能構成を模式的に示す図である。
【図６６】図１の電子機器の第１ユニットで実行されるサブ画面広告表示処理のフローチャートである。
【図６７】図６４の電子機器においてダウンロードされるＨＴＭＬデータの一例を示す図である。
【図６８】図６４のサブ画面広告表示処理において生成される広告表示用ソース記述生成コマンドの構成の一例を説明するための図である。
【図６９】図１の第２ユニットで実行される広告表示用処理のフローチャートである。
【図７０】図６９の広告表示用処理において生成される広告表示用ソース技術の一例を示す図である。
【図７１】図６９の広告表示用処理において生成されるメイン画面への表示コマンドの一例を説明するための図である。
【図７２】図１の電子機器における広告表示機能の第１の変形例を説明するための図である。
【図７３】図１の電子機器における広告表示機能の第２の変形例を説明するための図である。
【図７４】図１の電子機器における広告表示機能の第２の変形例を説明するための図である。
【図７５】図１の電子機器における広告表示機能の第３の変形例を説明するための図である。
【図７６】図１の電子機器における広告表示機能の第４の変形例を説明するための図である。
【図７７】図１の電子機器における広告表示機能の第６の変形例として、第１ユニットにおいて実行されるサブ画面広告表示処理のフローチャートである。
【図７８】本発明の一実施の形態である電子機器と情報処理端末の一例からなる情報処理システムの外観を示す概略図である。
【発明を実施するための形態】
【００９２】
以下、図面を参照しつつ、本発明の実施の形態について説明する。以下の説明では、同一の部品には同一の符号を付してある。それらの名称および機能も同じである。したがって、それらについての詳細な説明は繰り返さない。本発明に係る電子機器の一実施態様について、図１から図７８を参照して説明すると以下のとおりである。
【００９３】
＜電子機器の外観＞
図１は、本実施の形態に係る電子機器１００の外観を示した図である。図１を参照して、電子機器１００は、第１の筐体１００Ａと第２の筐体１００Ｂとを含む。
【００９４】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００９５】
なお、電子機器１００は、ＰＤＡ（Personal  Digital  Assistant）、ノート型のパーソナルコンピュータ、携帯型電話機、電子辞書などの表示機能を有する携帯型デバイスとして構成される。
【００９６】
＜ハードウェア構成について＞
次に、図２を参照して、電子機器１００の具体的構成の一態様について説明する。図２は、電子機器１００のハードウェア構成を表わすブロック図である。
【００９７】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００９８】
第１の筐体１００Ａは、表示装置１０２を含む。第２の筐体１００Ｂは、本体装置１０１を含む。また、第２の筐体１００Ｂは、第２ユニット１００２を含む。
【００９９】
（第１ユニットについて）
本体装置１０１は、ＣＰＵ（Central  Processing  Unit）１１０と、ＲＡＭ（Random  Access  Memory）１７１と、ＲＯＭ（Read-Only  Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal  Serial  Bus）コネクタ１９４と、アンテナ１９５と、ＬＡＮ（Local  Area  Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【０１００】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable  Programmable  Read-Only  Memory）やフラッシュメモリなどのデータの書込みおよび消去が可能なＲＯＭである。
【０１０１】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【０１０２】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【０１０３】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【０１０４】
電源検出部１９３は、電源回路１９２からの出力を検出する。また、電源検出部１９３は、当該検出した出力に関する情報（たとえば、電圧値や電流値）を、ＣＰＵ１１０に送る。
【０１０５】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【０１０６】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【０１０７】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【０１０８】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【０１０９】
ドライバ１３０は、液晶パネル１４０およびバックライト１７９を駆動するための駆動回路である。ドライバ１３０に含まれる各種の駆動回路については、後述する。
【０１１０】
液晶パネル１４０は、液晶ディスプレイの機能と光センサの機能とを備えたデバイスである。つまり、液晶パネル１４０は、液晶を用いた画像の表示と、光センサを用いたセンシングとを行なうことができる。液晶パネル１４０の詳細については、後述する。
【０１１１】
内部ＩＦ（Interface）１７８は、本体装置１０１と表示装置１０２との間で、データの遣り取りを仲介する。
【０１１２】
バックライト１７９は、液晶パネル１４０の裏面に配置された光源である。バックライト１７９は、当該裏面に対して均一な光を照射する。
【０１１３】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【０１１４】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【０１１５】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行なう。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【０１１６】
上記コマンドは、上記光センサによりセンシングを指示するセンシングコマンドを含む。当該センシングコマンドの詳細および上記応答データの詳細については、後述する（図７，図８，および図１４）。
【０１１７】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【０１１８】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【０１１９】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【０１２０】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【０１２１】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭやフラッシュメモリなどのデータの書込みおよび消去が可能なＲＯＭである。
【０１２２】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【０１２３】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【０１２４】
信号強度検出部２９７は、アンテナ２９５を介して受信した信号についての強度を検出する。そして、信号強度検出部２９７は、検出した強度を外部通信部２７４に送る。
【０１２５】
ＵＳＢコネクタ２９４は、第２ユニット１００２を第１ユニット１００１に接続するために用いられる。
【０１２６】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【０１２７】
アンテナ２９５は、第２ユニット１００２と、たとえば第１ユニット１００１との間における、Ｂｌｕｅｔｏｏｔｈ（登録商標）の規格に沿った通信に用いられる。
【０１２８】
電源検出部２９３は、ＵＳＢコネクタ２９４を介して給電された電力を検出する。また、電源検出部２９３は、当該検出した電力についての情報を、ＣＰＵ２１０に送る。
【０１２９】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【０１３０】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【０１３１】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【０１３２】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【０１３３】
なお、記憶媒体としては、メモリカードに限られず、ＣＤ−ＲＯＭ（Compact  Disk-Read  Only  Memory）、ＦＤ（Flexible  Disk）、ハードディスク、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）、フラッシュＲＯＭなどの半導体メモリ等の固定的にプログラムを格納する媒体でもよい。
【０１３４】
ここでいうプログラムとは、ＣＰＵにより直接実行可能なプログラムだけでなく、ソースプログラム形式のプログラム、圧縮処理されたプログラム、暗号化されたプログラム等を含む。
【０１３５】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【０１３６】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【０１３７】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【０１３８】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin  Film  Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【０１３９】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【０１４０】
なお、ここでは、いわゆる線順次方式と呼ばれる駆動方式を用いて説明したが、駆動方式はこれに限定されるものではない。
【０１４１】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【０１４２】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【０１４３】
なお、ｎ型のトランジスタとｐ型のトランジスタとを作れるＣＭＯＳ（Complementary  Metal  Oxide  Semiconductor）を実現できること、キャリア（電子または正孔）の移動速度がアモルファスシリコン薄膜トランジスタ（a-Si  TFT）に比べて数百倍早いことなどから、表示装置１０２では、ＴＦＴ１４２として多結晶シリコン薄膜トランジスタ(p-Si  TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【０１４４】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【０１４５】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【０１４６】
光センサ駆動回路１３３は、図２に示すドライバ制御部１８１から制御信号ＴＣ２を受ける。
【０１４７】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【０１４８】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【０１４９】
なお、電圧ＶＤＤＲを印加するタイミング、および電圧ＶＤＤを印加するタイミングについては、後述する。
【０１５０】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【０１５１】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【０１５２】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【０１５３】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【０１５４】
アンプ１３５は、各センサ信号線（ＳＳ１〜ＳＳｎ）から出力された電圧を増幅する。なお、増幅された電圧は、図２に示した信号処理部１８３に送られる。
【０１５５】
なお、画素回路１４１を用いて画像を液晶パネル１４０に表示させるタイミングと、光センサ回路１４４を用いてセンシングするタイミングとについては、画像処理エンジン１８０が制御する。
【０１５６】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【０１５７】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【０１５８】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【０１５９】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【０１６０】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【０１６１】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【０１６２】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【０１６３】
なお、フォトダイオード１４５の位置は、上記の位置に限定されるものではなく、カラーフィルタ１５３ｒに対向する位置やカラーフィルタ１５３ｇに対向する位置に設けることも可能である。
【０１６４】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【０１６５】
以下では、光センサ回路１４４をリセットするためのリセット期間と、光センサ回路１４４を用いて光をセンシングするためのセンシング期間と、センシングした結果を読み出す読出期間とに分けて説明する。
【０１６６】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１６７】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１６８】
ここで、電圧ＶＩＮＴは、ＴＦＴ１４７のゲートをターンオンさせる閾値未満であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１６９】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１７０】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１７１】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１７２】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１７３】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１７４】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１７５】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１７６】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１７７】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１７８】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１７９】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１８０】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１８１】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１８２】
また、上記においては、ｍ×ｎ個の光センサ回路全てを用いてスキャンを行なう構成を例に挙げたが、これに限定されるものではない。予め選択された光センサ回路を用いて、液晶パネル１４０の表面の一部の領域に関してスキャンを行なうことも構成としてもよい。
【０１８３】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行なう場合、画像処理エンジン１８０が、スキャン対象領域の設定を行なう。なお、当該領域の設定を、操作キー１７７を介してユーザが指定できる構成としてもよい。
【０１８４】
このように、液晶パネル１４０の表面の一部の領域に関してスキャンを行なう場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１８５】
図６は、液晶パネル１４０とバックライト１７９との断面図であって、スキャンの際にフォトダイオード１４５がバックライト１７９からの光を受光する構成を示した図である。
【０１８６】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１８７】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１８８】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１８９】
以上により、表示装置１０２は、指９００によって光が反射されることにより得られる像（以下、反射像とも称する）をスキャンすることができる。
【０１９０】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１９１】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１９２】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１９３】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１９４】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１９５】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１９６】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１９７】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１９８】
なお、上記座標値と上記部分画像または上記全体画像とを同時に要求する構成としてもよい。また、液晶パネル２４０の表面の一部の領域に関してスキャンを行なう構成の場合には、上記全体画像はスキャンが行われる領域に対応した画像となる。
【０１９９】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行なうことを指す。
【０２００】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０２０１】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０２０２】
また、上記第１コマンドには、図８に示したデータ以外に、スキャンを行なう領域（光センサ回路１４４を駆動する画素の領域）の指定、スキャンを行なうタイミング、バックライト１７９の点灯のタイミングなどが記述されている。
【０２０３】
なお、画像処理エンジン２８０は、第１コマンドの内容を解析し、当該解析の結果に従ったデータ（つまり、応答データ）を本体装置１０１に送り返す。
【０２０４】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０２０５】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０２０６】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０２０７】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行なう。
【０２０８】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０２０９】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行なう。
【０２１０】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０２１１】
ＣＰＵ１１０，２１０は、ヘッダＤＡ０１に、コマンドの種別（「００１」）、コマンドの送信先等を書き込む。ＣＰＵ１１０，２１０は、第１フィールドＤＡ０２に、番号が「１」のＯＳ（Operating  System）処理要求の値を書き込む。ＣＰＵ１１０，２１０は、第２フィールドＤＡ０３に、番号が「２」のＯＳ情報の値を書き込む。
【０２１２】
第１フィールドＤＡ０２に「０１」または「１０」が設定された第３コマンドは、第２ユニット１００２から第１ユニット１００１に送信される。
【０２１３】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０２１４】
第２フィールドＤＡ０３に「０００」、「００１」、または「０１０」が設定された第３コマンドは、第２ユニット１００２から第１ユニット１００１に送信される。
【０２１５】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０２１６】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０２１７】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０２１８】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０２１９】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０２２０】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０２２１】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０２２２】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０２２３】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０２２４】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０２２５】
第２フィールドＤＡ０３に「０００」が設定された第６コマンドは、通信の接続先を指定する情報を有していないことを示す。
【０２２６】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０２２７】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０２２８】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０２２９】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０２３０】
第３フィールドＤＡ０４に「０００」が設定された第６コマンドは、データ（たとえば、ファイル）の転送先を指定する情報を有していないことを示す。
【０２３１】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０２３２】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０２３３】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０２３４】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０２３５】
第４フィールドＤＡ０５に「００」、「０１」、「１０」、または「１１」が設定された第６コマンドは、第１ユニット１００１によって、第２ユニット１００２に送信される。
【０２３６】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０２３７】
図１４は、応答データの概略構成を示した図である。応答データは、第１コマンド（センシングコマンド）の内容に応じたデータである。
【０２３８】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０２３９】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０２４０】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０２４１】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０２４２】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行なうことにより決定される。つまり、中心座標は、部分画像の図心とは必ずしも一致しない。
【０２４３】
ただし、必ずしも中心座標の位置は上記に限定されるものではなく、中心座標を上記図心の座標あるいは図心の近傍の座標としてもよい。
【０２４４】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０２４５】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０２４６】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０２４７】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０２４８】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０２４９】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０２５０】
＜構成の第１の変形例について＞
ところで、液晶パネル１４０の構成は、図３に示した構成に限定されるものではない。以下では、図３とは異なる態様の液晶パネルについて説明する。
【０２５１】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０２５２】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０２５３】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０２５４】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０２５５】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０２５６】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０２５７】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０２５８】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０２５９】
以上述べたように、電子機器１００が液晶パネル１４０Ａを備えた構成とすることにより、スキャン対象物をカラーでスキャンできることになる。
【０２６０】
次に、図１７を参照して、前述のスキャンの方法（つまり、図６における反射像をスキャンする方法）とは異なるスキャンの方法について説明する。
【０２６１】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０２６２】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０２６３】
以上により、表示装置１０２は、指９００によって外光が遮られることにより得られる像（以下、影像とも称する）をスキャンすることができる。
【０２６４】
さらに、表示装置１０２を、バックライト１７９を点灯させてスキャンを行った後に、バックライト１７９を消灯させて再度スキャンを行なう構成としてもよい。あるいは、表示装置１０２を、バックライト１７９を消灯させてスキャンを行った後に、バックライト１７９を点灯させて再度スキャンを行なう構成としてもよい。
【０２６５】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２６６】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受付けた場合、表示装置１０３は表示装置１０２と同様の動作を行なう。このため、表示装置１０３の構成や動作についての説明は繰り返さない。
【０２６７】
なお、本体装置１０１は、表示装置１０２と表示装置１０３とに対して、命令が異なるコマンドを送ることができる。この場合、表示装置１０２と表示装置１０３とは別々の動作を行なう。また、本体装置１０１は、表示装置１０２および表示装置１０３のいずれかに対して、コマンドを送ってもよい。この場合、一方の表示装置のみがコマンドに応じた動作を行なう。また、本体装置１０１が、表示装置１０２と表示装置１０３とに命令が同じコマンドを送ってもよい。この場合、表示装置１０２と表示装置１０３とは、同じ動作を行なう。
【０２６８】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２６９】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２７０】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２７１】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２７２】
また、第１ユニット１００１は、光センサを内蔵した液晶パネル１４０の代わりに、たとえば抵抗膜方式や静電容量方式のタッチパネルを備えてもよい。
【０２７３】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２７４】
また、本実施の形態では、電子機器１３００を折畳型の機器として説明するが、電子機器１３００は必ずしも折畳型に限定されるものではない。たとえば、電子機器１３００は、第１の筐体１００Ａが第２の筐体１００Ｂに対してスライドする構成のスライド式の機器であってもよい。
【０２７５】
本実施の形態に係る電子機器１３００は、上記のように構成されているため、第２ユニット１００２が、ＵＳＢコネクタ１９４，２９４を介して第１ユニット１００１に着脱自在になっている。
【０２７６】
そして、本実施の形態に係る電子機器１３００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic  Input/Output  System）を起動させる。
【０２７７】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳの種類を選択可能に表示させることができる。
【０２７８】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２７９】
また、たとえば、第２ユニット１００２は、アンテナ２９５を介して外部の携帯電話などとの間でデータの送受信を行なう。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２８０】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２８１】
なお、上述したように、電子機器１３００の第２の液晶パネル２４０は、タブレット機能と表示機能とを有する通常のタッチパネルであってもよい。
【０２８２】
＜＜第１の具体的な実現例＞＞
＜通信システム１の概略構成＞
図１９は、通信システム１の概略構成を示した図である。図１９を参照して、通信システム１は、電子機器１００と、サーバ８０００と、サーバ９０００とを含む。なお、以下では、電子機器１００がノート型のパーソナルコンピュータである場合を例に挙げて説明する。
【０２８３】
サーバ８０００は、電子機器１００およびサーバ９０００と通信を行なう。サーバ８０００は、たとえば、ソフトウェアを提供する事業者に属する。あるいは、サーバ８０００は、たとえば、検索エンジンを提供する事業者に属する。詳細については後述するが、サーバ８０００は、広告を示す画像データを電子機器１００に送信する。以下では、サーバ８０００を、「広告サーバ８０００」と称する。
【０２８４】
サーバ９０００は、サーバ８０００と通信を行なう。サーバ９０００は、アプリケーションサービスプロバイダ（以下、「ＡＳＰ」と称する）が保有するサーバであって、アプリケーションサービスの提供に用いられる。あるいは、サーバ９０００は、ストレージサービスプロバイダ（以下、「ＳＳＰ」と称する）が保有するサーバであって、ストレージサービスの提供に用いられる。なお、以下では、サーバ９０００が、アプリケーションサービスの提供に用いられるサーバである場合を例に挙げて説明する。また、以下では、サーバ９０００を、「ＡＳＰサーバ９０００」と称する。
【０２８５】
なお、上記ＡＳＰは、たとえば、電子機器の部品をセットメーカに供給する事業者である。本実施の形態では、上記ＡＳＰは、電子機器１００の液晶パネル２４０をセットメーカに供給する事業者である。なお、上記ＡＳＰは、電子機器の部品を自社生産し、当該部品を用いて電子機器を製造する事業者であってもよい。
【０２８６】
＜広告サーバ８０００およびＡＳＰサーバ９０００のハードウェア構成＞
図２０は、広告サーバ８０００として機能するコンピュータシステム８１００のハードウェア構成を表わすブロック図である。
【０２８７】
コンピュータシステム８１００は、主たる構成要素として、プログラムを実行するＣＰＵ８１１０と、コンピュータシステム８１００の使用者による指示の入力を受けるマウス８１２０およびキーボード８１３０と、ＣＰＵ８１１０によるプログラムの実行により生成されたデータ、又はマウス８１２０若しくはキーボード８１３０を介して入力されたデータを揮発的に格納するＲＡＭ８１４０と、データを不揮発的に格納するハードディスク８１５０と、ＤＶＤ−ＲＯＭ駆動装置８１６０と、モニタ８１７０と、通信ＩＦ８１８０とを含む。各構成要素は、相互にデータバスによって接続されている。ＤＶＤ−ＲＯＭ駆動装置８１６０には、ＤＶＤ−ＲＯＭ８１６１が装着される。
【０２８８】
コンピュータシステム８１００における処理は、各ハードウェアおよびＣＰＵ８１１０により実行されるソフトウェアによって実現される。このようなソフトウェアは、ハードディスク８１５０に予め記憶されている場合がある。また、ソフトウェアは、ＤＶＤ−ＲＯＭ８１６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＤＶＤ−ＲＯＭ駆動装置８１６０その他の読取装置によりその記憶媒体から読み取られて、あるいは、通信ＩＦ８１８０を介してダウンロードされた後、ハードディスク８１５０に一旦格納される。そのソフトウェアは、ＣＰＵ８１１０によってハードディスク８１５０から読み出され、ＲＡＭ８１４０に実行可能なプログラムの形式で格納される。ＣＰＵ８１１０は、そのプログラムを実行する。
【０２８９】
同図に示されるコンピュータシステム８１００を構成する各構成要素は、一般的なものである。したがって、本発明の本質的な部分は、ＲＡＭ８１４０、ハードディスク８１５０、ＤＶＤ−ＲＯＭ８１６１その他の記憶媒体に格納されたソフトウェア、あるいはネットワークを介してダウンロード可能なソフトウェアであるともいえる。なお、コンピュータシステム８１００の各ハードウェアの動作は周知であるので、詳細な説明は繰り返さない。
【０２９０】
なお、記録媒体としては、ＤＶＤ-ＲＯＭ、ＣＤ−ＲＯＭ、ＦＤ、ハードディスクに限られず、磁気テープ、カセットテープ、光ディスク（ＭＯ／ＭＤ／ＤＶＤ）、ＩＣカード（メモリカードを含む）、光カード、マスクＲＯＭ、ＥＰＲＯＭ、ＥＥＰＲＯＭ、フラッシュＲＯＭなどの半導体メモリ等の固定的にプログラムを担持する媒体でもよい。
【０２９１】
ここでいうプログラムとは、ＣＰＵにより直接実行可能なプログラムだけでなく、ソースプログラム形式のプログラム、圧縮処理されたプログラム、暗号化されたプログラム等を含む。
【０２９２】
ＡＳＰサーバ９０００も、広告サーバ８０００と同様なハードウェア構成を有するため、ＡＳＰサーバ９０００のハードウェア構成についての説明は繰り返さない。
【０２９３】
＜電子機器１００の機能ブロック＞
図２１は、電子機器１００の機能ブロックを示した図である。図２１を参照して、電子機器１００は、制御部１０と、液晶パネル１４０，２４０と、記憶装置９０とを備える。制御部１０は、表示制御部１１と、スキャン部１２と、検知部１３と、生成部１４と、送信部１５と、受信部１６とを備える。
【０２９４】
記憶装置９０は、ＲＡＭ１７１やハードディスク（図示せず）により構成される。記憶装置９０は、電子機器１００で実行可能なアプリケーションソフトウェアと、当該アプリケーションソフトウェアに関連付けられた情報であって、かつ広告サーバ８０００を特定するための情報（以下、「サーバ特定情報」と称する）とを格納している。また、記憶装置９０は、電子機器１００のハードウェアの環境を示した情報（以下、「ハードウェア環境情報」）を格納している。詳しくは後述するが、ハードウェア環境情報は、液晶パネル１４０を識別するための情報と液晶パネル２４０を識別するための情報（以下、「液晶パネル２４０の識別情報」と称する）とを含む。
【０２９５】
表示制御部１１は、記憶装置９０内のＶＲＡＭ（図示せず）に格納された画像データに基づき、液晶パネル１４０,２４０の表示面に画像を表示させる。表示制御部１１は、上記アプリケーションソフトウェアの起動に基づき、当該アプリケーションソフトウェアの操作画面を液晶パネル１４０に表示させる。また、表示制御部１１は、液晶パネル１４０の表示面において表示されている画像の当該表示面での位置を示した位置情報と、液晶パネル２４０の表示面において表示されている画像の当該表示面での位置を示した位置情報とを、検知部１３に送る。
【０２９６】
スキャン部１２は、液晶パネル１４０，２４０にスキャンを実行させる。スキャン部１２は、検知部１３にスキャンデータを送る。
【０２９７】
検知部１３は、スキャンデータに基づいて、アプリケーションソフトウェアの操作に関する入力を電子機器１００が受付けたことを検知する。あるいは、検知部１３は、操作キー１７７を介した上記操作に関する入力を電子機器１００が受付けたことを検知する。好ましくは、検知部１３は、アプリケーションソフトウェアの操作に関する入力のうち予め定められた入力を、電子機器１００が受付けたことを検知する。検知部１３は、検知結果を生成部１４に送る。
【０２９８】
なお、「予め定められた入力」とは、たとえば、アプリケーションソフトウェアを起動するための入力である。あるいは、「予め定められた入力」とは、アプリケーションソフトウェアを実行している際に生じたエラーを広告サーバ８０００に送信するための入力である。あるいは、「予め定められた入力」とは、アプリケーションソフトを用いて作成したファイルを保存するための入力である。
【０２９９】
生成部１４は、検知部１３の上記検知に基づき、上記サーバ特定情報により特定されるサーバを送信先とする信号を生成する。具体的には、生成部１４は、ハードウェア環境情報および上記実行しているアプリケーションを示す情報を記憶装置９０から読み出す。その後、生成部１４は、当該読み出したアプリケーションを示す情報およびハードウェア環境情報を含んだ信号を生成する。生成部１４は、生成した信号を送信部１５に送る。なお、「アプリケーションを示す情報」とは、実行されているアプリケーションがどのアプリケーションであるかを識別するための情報である。以下では、アプリケーションソフトウェアを示した情報を、「アプリケーションソフトウェア情報」と称する。
【０３００】
送信部１５は、生成部１４にて生成された信号を広告サーバ８０００に送信する。受信部１６は、上記信号の送信に基づき、広告を示した第１画像データ（以下、「広告画像データ」と称する）を、広告サーバ８０００から受信する。より詳しくは、受信部１６は、起動しているアプリケーションソフトウェア（図２７参照）に関連する広告画像データを、広告サーバ８０００から受信する。受信部１６は、広告画像データを表示制御部１１に送る。
【０３０１】
表示制御部１１は、広告画像データに基づく画像（つまり広告）を液晶パネル２４０に表示させる。なお、以下では、広告画像データに基づく画像を、「広告画像データに基づく広告」と称する。
【０３０２】
検知部１３は、さらに、液晶パネル２４０に表示された広告を選択する入力を受付けたことを検知する。当該広告を選択する入力は、たとえば、液晶パネル２４０の画面に対するユーザの操作入力に基づいた入力である。
【０３０３】
送信部１５は、当該検知に基づき、上記広告が選択されたことを示す情報と、液晶パネル２４０の識別情報とを広告サーバ８０００に送信する。「広告の選択」とは、たとえば、広告が表示された液晶パネル２４０の表示領域の任意の位置または予め定められた位置を、ユーザが液晶パネル２４０などのポインティングデバイスを用いて選択する処理である。「予め定められた位置」とは、たとえば、広告として表示された商品を取得（たとえば購入）する指示をユーザから受付けるために液晶パネル２４０に表示された画像の位置である。
【０３０４】
＜サーバ８０００の機能ブロック＞
図２２は、広告サーバ８０００の機能ブロックを示した図である。図２２を参照して、広告サーバ８０００は、制御部８０１０と、記憶装置８０９０とを備える。制御部８０１０は、第１受信部８０１１と、判断部８０１２と、第１送信部８０１３と、第２受信部８０１４と、生成部８０１５と、第２送信部８０１６とを備える。
【０３０５】
記憶装置８０９０は、ＲＡＭ８１４０やハードディスク８１５０などにより構成される（図２０参照）。記憶装置８０９０は、上記広告を示した第２画像データを格納している。
【０３０６】
第１受信部８０１１は、電子機器１００から、上記ハードウェア環境情報および上記アプリケーションソフトウェア情報を含んだ信号を受信する。第１受信部８０１１は、ハードウェア環境情報を判断部８０１２に送る。
【０３０７】
判断部８０１２は、ハードウェア環境情報に基づき、電子機器１００がサブ液晶パネルを備えているか否かを判断する。判断部８０１２が、サブ液晶パネルを電子機器１００が備えていると判断した場合、判断部８０１２は、液晶パネル２４０の識別情報を第１送信部８０１３に送る。
【０３０８】
第１送信部８０１３は、液晶パネル２４０の識別情報を、ＡＳＰサーバ９０００に送信する。第２受信部８０１４は、当該識別情報に基づきＡＳＰサーバ９０００おいて特定された、液晶パネル２４０のデバイス情報を、ＡＳＰサーバ９０００から受信する。第２受信部８０１４は、受信したデバイス情報を生成部８０１５に送る。なお、デバイス情報の詳細については、後述する。
【０３０９】
生成部８０１５は、記憶装置８０９０に格納された上記第２画像データのうち、上記アプリケーションソフトウェア情報に関連する画像データを、記憶装置８０９０から読み出す。生成部８０１５は、さらに、上記デバイス情報に基づいて、上記読み出した第２画像データから上述した広告画像データを生成する。つまり、電子機器１００において起動している上記アプリケーションソフトウェアに関連する広告画像データを生成する。より具体的には、生成部８０１５は、デバイス情報に含まれる画面サイズを示した情報や解像度を示した情報に基づき、上記第２画像データから上記広告画像データを生成する。生成部８０１５は、生成した広告画像データを、第２送信部８０１６に送る。第２送信部８０１６は、上記生成された広告画像データを、電子機器１００に送信する。
【０３１０】
＜サーバ９０００の機能ブロック＞
図２３は、ＡＳＰサーバ９０００の機能ブロックを示した図である。図２３を参照して、ＡＳＰサーバ９０００は、制御部９０１０と、記憶装置９０９０とを備える。制御部９０１０は、受信部９０１１と、生成部９０１２と、送信部９０１３とを備える。
【０３１１】
記憶装置９０９０は、ＲＡＭ（図示せず）やハードディスク（図示せず）などにより構成される。記憶装置９０９０は、事業者が供給する各液晶パネルに関する各デバイス情報を、それぞれの液晶パネルの識別情報に関連付けて格納している。記憶装置９０９０は、上記複数のデバイス情報の１つである液晶パネル２４０のデバイス情報を、液晶パネル２４０の識別情報に関連付けて格納している。
【０３１２】
受信部９０１１は、液晶パネル２４０の識別情報を広告サーバ８０００から受信する。受信部９０１１は、受信した識別情報を生成部９０１２に送る。
【０３１３】
生成部９０１２は、上記識別情報に基づき特定した、液晶パネル２４０のデバイス情報を、記憶装置９０９０から読み出す。生成部９０１２は、読み出したデバイス情報を含んだ信号を生成する。生成部９０１２は、生成した信号を送信部９０１３に送る。
【０３１４】
送信部９０１３は、上記生成部９０１２が生成した信号を、広告サーバ８０００に送信する。
【０３１５】
＜データ＞
図２４は、ハードウェア環境情報を模式的に示した図である。図２４を参照して、ハードウェア環境情報は、電子機器１００が備える部品の詳細情報を含む。図２４に示したハードウェア環境情報の場合、当該ハードウェア環境情報は、電子機器１００が液晶パネルとしてメイン液晶パネルとサブ液晶パネルとを備えていることを示す。ここで、メイン液晶パネルの識別情報は部品情報ＩＤ１１である。また、サブ液晶パネル２４０の識別情報は、部品情報ＩＤ１２である。なお、本実施の形態においては、広告サーバ８０００は、液晶パネル２４０の識別情報として部品情報ＩＤ１２をＡＳＰサーバ９０００に送信する。
【０３１６】
図２５は、液晶パネル２４０のデバイス情報を模式的に示した図である。図２５を参照して、液晶パネル２４０のデバイス情報は、液晶パネル２４０の解像度の情報と、液晶パネル２４０が表示可能な色の情報と、液晶パネル２４０のパネルサイズを示した情報とを含んでいる。広告サーバ８０００は、デバイス情報に含まれるこれらの各情報を基にして、上記広告画像データを生成する。
【０３１７】
図２６は、電子機器１００の記憶装置９０に格納された上記サーバ特定情報を模式的に示した図である。図２６を参照して、各アプリケーションソフトには、それぞれ、１つのサーバ特定情報ＩＤ２１〜ＩＤ２４が対応付けられている。たとえば、スプレッドシートＳの操作に関する入力を電子機器１００が受付けた場合、電子機器１００は、サーバ特定情報ＩＤ２２で特定されるサーバにハードウェア環境情報を含んだ信号を送る。
【０３１８】
＜画面の遷移＞
図２７は、表計算のアプリケーションソフトを実行している状態の電子機器１００を示した図である。より詳しくは、図２７は、液晶パネル１４０における表計算のアプリケーションソフトの操作画面１４０１を表示している状態を示した図である。
【０３１９】
図２８は、電子機器１００が、広告画像データに基づく広告を液晶パネル２４０に表示させた状態を示した図である。図２８を参照して、たとえば、ユーザが、領域２４０１を選択する動作を行なうと、電子機器１００は、上記広告が選択されたことを示す情報と液晶パネル２４０の識別情報と広告サーバ８０００に送る。
【０３２０】
＜通信システム１におけるシーケンス＞
図２９は、通信システム１におけるシーケンスを示した図である。図２９を参照して、ステップＳ２において、電子機器１００は、ハードウェア環境情報およびアプリケーションソフトウェア情報を含んだ信号を広告サーバ８０００に送る。ステップＳ４において、広告サーバ８０００は、液晶パネル２４０の識別情報をＡＳＰサーバ９０００に送る。ステップＳ６において、ＡＳＰサーバ９０００は、デバイス情報を含んだ信号を広告サーバ８０００に送信する。
【０３２１】
ステップＳ８において、広告サーバ８０００は、広告画像データを電子機器１００に送る。ステップＳ１０において、電子機器１００は、液晶パネル２４０に表示された広告が選択されたことを示す情報と、液晶パネル２４０の識別情報とを広告サーバ８０００に送信する。広告サーバ８０００は、広告が選択されたことを示す情報に基づいた、選択実績を示す実績データをＡＳＰサーバ９０００に送信する。
【０３２２】
＜電子機器１００の制御構造＞
図３０は、電子機器１００における制御構造を示した図である。図３０を参照して、ステップＳ２２において、電子機器１００は、アプリケーションソフトウェアの操作に関する入力を受付けたか否かを判断する。電子機器１００が当該入力を受付けたと判断した場合（ステップＳ２２においてＹＥＳ）、ステップＳ２４において、電子機器１００は、ハードウェア環境情報とアプリケーションソフトウェア情報とを含んだ信号を生成する。
【０３２３】
一方、電子機器１００が上記入力を受付けていないと判断した場合（ステップＳ２２においてＮＯ）、ステップＳ３６において、電子機器１００は、アプリケーションソフトウェアを終了するための指示を受付けたか否かを判断する。電子機器１００がアプリケーションソフトウェアを終了するための指示を受付けたと判断した場合（ステップＳ３６においてＹＥＳ）、電子機器１００は、一連の処理を終了する。一方、電子機器１００は、アプリケーションソフトウェアを終了するための指示を受付けていないと判断した場合（ステップＳ３６においてＮＯ）、処理をステップＳ２２に戻す。
【０３２４】
ステップＳ２６において、電子機器１００は、生成した信号を広告サーバ８０００に送信する。ステップＳ２８において、電子機器１００は、広告画像データを広告サーバ８０００から受信する。ステップＳ３０において、電子機器１００は、受信した広告画像データに基づく広告を液晶パネル２４０に表示する。
【０３２５】
ステップＳ３２において、電子機器１００は、液晶パネル２４０に表示された広告を選択する入力を受付けたか否かを判断する。電子機器１００が当該入力を受付けたと判断した場合（ステップＳ３２においてＹＥＳ）、ステップＳ３４において、電子機器１００は、広告が選択されたことを示す情報と、液晶パネル２４０の識別情報とを、広告サーバ８０００に送信する。
【０３２６】
一方、電子機器が上記入力を受付けていないと判断した場合（ステップＳ３２においてＮＯ）、ステップＳ３８において、電子機器１００は、アプリケーションソフトウェアを終了するための指示を受付けたか否かを判断する。電子機器１００がアプリケーションソフトウェアを終了するための指示を受付けたと判断した場合（ステップＳ３８においてＹＥＳ）、電子機器１００は、一連の処理を終了する。一方、電子機器１００は、アプリケーションソフトウェアを終了するための指示を受付けていないと判断した場合（ステップＳ３８においてＮＯ）、処理をステップＳ３２に戻す。
【０３２７】
＜広告サーバ８０００の制御構造＞
図３１は、広告サーバ８０００における制御構造を示した図である。図３１を参照して、ステップＳ５２において、広告サーバ８０００は、ハードウェア環境情報とアプリケーションソフトウェア情報とを含んだ信号を、電子機器１００から受信する。ステップＳ５４において、広告サーバ８０００は、ハードウェア環境情報に含まれる液晶パネル２４０の識別情報を、ＡＳＰサーバ９０００に送信する。
【０３２８】
ステップＳ５６において、広告サーバ８０００は、液晶パネル２４０のデバイス情報をＡＳＰサーバ９０００から受信する。ステップＳ５８において、広告サーバ８０００は、受信したデバイス情報に基づき、上記第２画像データから上記広告画像データを生成する。ステップＳ６０において、広告サーバ８０００は、広告画像データを電子機器１００に送信する。
【０３２９】
＜ＡＳＰサーバ９０００の制御構造＞
図３２は、ＡＳＰサーバ９０００における制御構造を示した図である。図３２を参照して、ステップＳ７２において、ＡＳＰサーバ９０００は、液晶パネル２４０の識別情報を広告サーバ８０００から受信する。ステップＳ７４において、ＡＳＰサーバ９０００は、液晶パネル２４０のデバイス情報を広告サーバ８０００に送信する。
【０３３０】
＜第１の具体的な実現例のまとめ＞
（電子機器１００）
（１）以上のように、電子機器１００は、少なくとも、表示制御部１１と、検知部１３と、生成部１４と、送信部１５と、受信部１６とを備える。表示制御部１１は、アプリケーションソフトウェアの起動に基づき、当該アプリケーションソフトウェアの操作画面を液晶パネル１４０に表示させる。検知部１３は、アプリケーションソフトウェアの操作に関する入力を電子機器１００が受付けたことを検知する。生成部１４は、当該検知に基づき、上記サーバ特定情報により特定される広告サーバ８０００を送信先とする信号（以下、「信号Ｑ」と称する）を生成する。送信部１５は、広告サーバ８０００に、生成部１４で生成された信号を送信する。受信部１６は、当該送信に基づき、広告画像データを広告サーバ８０００から受信する。表示制御部１１は、広告画像データに基づく広告を液晶パネル２４０に表示させる。
【０３３１】
したがって、電子機器１００は、アプリケーションソフトウェアの操作画面を液晶パネル１４０に表示させる。また、電子機器１００が、当該アプリケーションソフトウェアの操作に関する入力を受付けたことに基づき、電子機器１００は、液晶パネル２４０に広告画像データに基づく広告を表示する。
【０３３２】
それゆえ、電子機器１００は、アプリケーションソフトウェアの操作画面が表示されている液晶パネル１４０とは異なる液晶パネル２４０に広告を表示する。このため、電子機器１００は、ユーザが電子機器１００を利用している状態で、広告を液晶パネル２４０に表示することができる。その結果、電子機器１００は、広告効果の期待できるタイミングで上記広告を液晶パネル２４０に表示できる。
【０３３３】
（２）生成部１４は、上記信号Ｑとして、少なくとも液晶パネル２４０の識別情報を含む信号を生成する。送信部１５は、広告サーバ８０００に液晶パネル２４０の識別情報を含んだ上記信号を送信する。受信部１６は、広告画像データとして、液晶パネル２４０の識別情報に基づき広告サーバ８０００おいて生成された広告画像データを、広告サーバ８０００から受信する。
【０３３４】
したがって、電子機器１００は、液晶パネル２４０の識別情報に基づき広告サーバ８０００において生成された広告画像データを、液晶パネル２４０に表示することができる。液晶パネル２４０の識別情報に基づいた当該液晶パネル２４０のデバイス情報を用いて広告画像データが生成される場合、電子機器１００は、液晶パネル２４０に適したサイズ等を有する広告画像データを受信することができる。
【０３３５】
（３）検知部１３は、広告画像データに基づく広告を選択する入力を受付けたことを検知する。送信部１５は、当該入力の検知に基づき、選択されたことを示す情報と液晶パネル２４０の識別情報とを広告サーバ８０００に送信する。上記入力は、たとえば、液晶パネル２４０のパネル面（タッチパネル面）に対する入力である。
【０３３６】
このように、電子機器１００は、広告が選択されたことを示す情報以外に、液晶パネル２４０の識別情報を広告サーバ８０００に送信できる。したがって、広告サーバ８０００の所有者は、液晶パネル２４０の識別情報の受信の有無に基づき、広告効果を判断できる。また、広告サーバ８０００の所有者は、広告効果が判断できるため、広告効果に見合った報酬をＡＳＰサーバ９０００の所有者に支払うことができる。
【０３３７】
（４）生成部１４は、上記信号Ｑとして、アプリケーションソフトウェアを示す情報を含めた信号を生成する。送信部１５は、広告サーバ８０００に、上記アプリケーションソフトウェアを示す情報を含めた信号を送信する。受信部１６は、広告画像データとして、起動しているアプリケーションソフトウェアに関連する広告を示した画像データを、広告サーバ８０００から受信する。
【０３３８】
したがって、電子機器１００は、液晶パネル１４０に表示されたアプリケーションに関連する広告を、広告効果の期待できるタイミングで液晶パネル２４０に表示できる。
【０３３９】
（広告サーバ８０００）
以上のように、広告サーバ８０００は、少なくとも、第１受信部８０１１と、第１送信部８０１３と、第２受信部８０１４と、第２送信部８０１６とを備える。第１受信部８０１１は、電子機器１００から、少なくとも液晶パネル１４０を識別するための情報と液晶パネル２４０の識別情報とを含んだ信号を受信する。第１送信部８０１３は、液晶パネル２４０の識別情報をＡＳＰサーバ９０００に送信する。当該識別情報の送信に基づき、第２受信部８０１４は、当該識別情報に基づきＡＳＰサーバ９０００おいて特定された、液晶パネル２４０のデバイス情報を、ＡＳＰサーバ９０００から受信する。生成部８０１５は、受信したデバイス情報に基づき、広告画像データを生成する。第２送信部８０１６は、生成された広告画像データを電子機器１００に送信する。
【０３４０】
したがって、広告サーバ８０００は、液晶パネル２４０のデバイス情報に基づき、広告画像データを生成する。それゆえ、広告サーバ８０００は、液晶パネル２４０に適した広告画像データを生成することができる。それゆえ、電子機器１００は、液晶パネル２４０に適した広告画像データを受信できる。
【０３４１】
（ＡＳＰサーバ９０００）
ＡＳＰサーバ９０００は、少なくとも、受信部９０１１と送信部９０１３とを備える。受信部９０１１は、液晶パネル２４０の識別情報を広告サーバ８０００から受信する。送信部９０１３は、液晶パネル２４０の識別情報に基づき特定した、液晶パネル２４０のデバイス情報を、広告サーバ８０００に送信する。
【０３４２】
したがって、ＡＳＰサーバ９０００は、電子機器１００の液晶パネルのデバイス情報を、広告サーバ８０００に送信することができる。それゆえ、広告サーバ８０００は、上記デバイス情報に基づいて広告画像データを生成することができる。
【０３４３】
＜電子機器１００の変形例＞
（第１の変形例）
図３３は、電子機器１００の変形例である電子機器３３００の機能ブロックを示した図である。図３３を参照して、電子機器３３００は、制御部３３１０と、液晶パネル１４０，２４０と、記憶装置９０Ａとを備える。
【０３４４】
記憶装置９０Ａは、ＲＡＭ１７１やハードディスク（図示せず）により構成される。記憶装置９０Ａは、記憶装置９０が格納している情報以外に、電子機器３３００のユーザの指紋を示す画像データ（以下、「指紋画像データ」と称する）と当該ユーザの属性を示す属性情報とを当該ユーザ毎に関連付けてさらに格納している。「属性情報」とは、ユーザの年齢、性別、住所、職業などを示す情報である。属性情報は、たとえば、電子機器３３００へのユーザ入力により記憶装置９０Ａに格納される。
【０３４５】
制御部３３１０は、表示制御部１１と、スキャン部１２と、検知部１３と、生成部１４と、送信部１５と、受信部１６と、判断部１７とを備える。制御部３３１０は、判断部１７を備える点において、電子機器１００の制御部１０と異なる。
【０３４６】
判断部１７は、スキャン部１２から送られてくるスキャンデータを受付ける。判断部１７は、スキャンデータに一致する指紋画像データが記憶装置９０Ａに格納されているか否かを判断する。判断部１７がスキャンデータに一致する指紋データが格納されていると判断した場合、判断部１７は、一致したと判断した指紋画像データに関連付けて格納された属性情報を記憶装置９０Ａから読み出す。判断部１７は、読み出した属性情報を生成部１４に送る。
【０３４７】
生成部１４は、広告サーバ８０００に送信するための上述した信号に、上記属性情報を含める。送信部１５は、上記属性情報を含んだ信号を広告サーバ８０００に送信する。このように、スキャンデータに一致する指紋データを記憶装置９０Ａが格納していると判断された場合、送信部１５は、スキャンデータに一致したと判断された指紋データに関連付けされた属性情報を広告サーバ８０００に送信する。
【０３４８】
このように、電子機器３３００は、広告を選択したことを示す情報と、液晶パネル２４０の識別情報と、広告を選択したユーザの属性情報とを、広告サーバ８０００に送信する。したがって、広告サーバ８０００は、広告を選択したユーザの属性情報についても取得できる。広告サーバ８０００の所有者は、当該取得した属性情報を、たとえばマーケティングの資料として活用できる。
【０３４９】
（第２の変形例）
図３４は、電子機器１００の他の変形例である電子機器３４００の機能ブロックを示した図である。図３４を参照して、電子機器３４００は、制御部３４１０と、液晶パネル１４０，２４０と、記憶装置９０とを備える。制御部３４１０は、表示制御部１１と、スキャン部１２と、検知部１３と、生成部１４と、送信部１５と、受信部１６と、検知部１８とを備える。制御部３４１０は、検知部１８を備える点において、電子機器１００の制御部１０と異なる。
【０３５０】
検知部１８は、予め定められた時間にわたり電子機器３４００を操作するための入力を受付けていないことを検知する。検知部１８は、たとえば１分間、キー操作入力およびタッチパネルに対する操作入力を受付けていないことを検知する。上記アプリケーションソフトウェアの操作画面が液晶パネル１４０に表示されている場合、検知部１８による検知がなされたとき、表示制御部１１は、上記広告画像データに基づく広告を液晶パネル２４０に表示させる。
【０３５１】
したがって、アプリケーションソフトウェアの操作画面が液晶パネル１４０に表示されている状態において、予め定められた時間にわたりユーザからのキー操作や液晶パネル１４０，２４０を介した入力を受付けていないことを条件に、電子機器３４００は広告を液晶パネル２４０に表示する。
【０３５２】
それゆえ、ユーザが電子機器３４００を操作していないと思われる状態において、電子機器３４００は、上記広告を液晶パネル２４０に表示できる。その結果、電子機器３４００は、広告効果が得やすいタイミングで広告を表示可能となる。
【０３５３】
（第３の変形例）
電子機器１００の表示制御部１１と受信部１６とを、それぞれ以下に述べる構成としてもよい。表示制御部１１は、第１コマンドを受付けた場合に液晶パネル２４０の表示をオンとし、第２コマンドを受付けた場合に液晶パネル２４０の表示をオフとする機能を備える。
【０３５４】
表示制御部１１が上記第２コマンドを受付けることによって液晶パネル２４０の表示がオフとなっている状態で、受信部１６が上記広告画像データを受信したとき、受信部１６は、上記第１コマンドを表示制御部１１に送信する。表示制御部１１は、当該第１コマンドに基づいて、上記広告画像データに基づく広告を液晶パネル２４０に表示させる。
【０３５５】
したがって、電子機器１００は、液晶パネル２４０の表示機能をオフ状態としている場合であっても、広告サーバ８０００から広告画像データを受信した場合には、当該表示機能をオンとする。それゆえ、ユーザが、液晶パネル２４０の表示機能がオフ状態に設定した場合であっても、電子機器１００は、広告画像データを受信した場合には、液晶パネル２４０に広告を表示できる。その結果、液晶パネル２４０の表示機能がオフ状態に設定されている場合であっても、ユーザは、液晶パネル２４０で広告を視認することができる。
【０３５６】
＜その他＞
液晶パネル２４０の製造メーカは、仕様（画面サイズ、解像度、表示色など）が異なる様々なタイプの液晶パネル２４０を、電子機器１００を組み立てるセットメーカに供給する。このように仕様の異なる様々な液晶パネル２４０が市場に流通するような状況下において、本実施の形態において説明した広告の提供手法は、高い広告効果を得るための手法であるといえる。
【０３５７】
＜＜第２の具体的な実現例＞＞
＜通信システム１Ａの概略構成＞
図３５は、通信システム１Ａの概略構成を示した図である。図３５を参照して、通信システム１Ａは、電子機器３６００と、端末装置１７０００と、サーバ１８０００と、サーバ１９０００とを含む。なお、以下では、電子機器３６００がノート型のパーソナルコンピュータである場合を例に挙げて説明する。
【０３５８】
電子機器３６００は、電子機器１００と同様に、図１〜図１８に示した構成および機能を備えている。したがって、図１〜図１８に基づいて説明した内容については、ここでは繰り返さない。
【０３５９】
電子機器３６００は、サーバ１８０００と通信を行なう。端末装置１７０００は、サーバ１８０００と通信を行なう。端末装置１７０００は、たとえば、サーバ１８０００の所有者に対してネットワークを介した広告の掲載を依頼する依頼主に属する。
【０３６０】
サーバ１８０００は、電子機器３６００と端末装置１７０００とサーバ１９０００と通信を行なう。サーバ１８０００は、アプリケーションサービスプロバイダ（以下、「ＡＳＰ」と称する）が保有するコンピュータであって、アプリケーションサービスの提供に用いられる。あるいは、サーバ１８０００は、ストレージサービスプロバイダ（以下、「ＳＳＰ」と称する）が保有するコンピュータであって、ストレージサービスの提供に用いられる。
【０３６１】
上記アプリケーションサービスの提供や上記ストレージサービスの提供は、たとえば、電子機器の部品をセットメーカに供給する事業者によって行われる。本実施の形態では、上記アプリケーションサービスの提供や上記ストレージサービスの提供は、電子機器３６００の液晶パネル２４０をセットメーカに供給する会社が行なうこととする。なお、上記アプリケーションサービスの提供や上記ストレージサービスの提供は、電子機器の部品を自社生産し、当該部品を用いて当該電子機器を製造する事業者が行なってもよい。
【０３６２】
なお、以下では、サーバ１８０００が、アプリケーションサービスの提供に用いられるサーバである場合を例に挙げて説明する。また、以下では、サーバ１８０００を、「ＡＳＰサーバ１８０００」と称する。
【０３６３】
サーバ１９０００はＡＳＰサーバ１８０００と通信を行なう。サーバ１９０００は、たとえば、ソフトウェアを開発および販売している事業者に属する。
【０３６４】
なお、本実施の形態において、「画像」とは、液晶パネル１４０，２４０の表示面に出力（つまり表示）されている情報をいう。つまり、「画像」は、絵、写真、文字列などを含む概念である。また、画像は、画像データに基づき画面に表示されるものとする。
【０３６５】
＜サーバ１８０００，１９０００、および端末装置１７０００のハードウェア構成＞
ＡＳＰサーバ１８０００として機能するコンピュータシステムのハードウェア構成は、図２０に示したコンピュータシステム８１００のハードウェア構成と同じである。このため、ＡＳＰサーバ１８０００のハードウェア構成についての説明は繰り返さない。
【０３６６】
サーバ１９０００も、ＡＳＰサーバ１８０００と同様なハードウェア構成を有するため、サーバ１９０００のハードウェア構成についての説明は繰り返さない。また、端末装置１７０００も、ＡＳＰサーバ１８０００と同様なハードウェア構成を有するため、端末装置１７０００のハードウェア構成についての説明は繰り返さない。
【０３６７】
＜電子機器３６００のブロック＞
図３６は、電子機器３６００のブロックを示した図である。図３６を参照して、電子機器３６００は、制御部３６１０と、液晶パネル１４０，２４０と、記憶装置９０とを備える。制御部３６１０は、表示制御部３６１１と、スキャン部３６１２と、検知部３６１３と、生成部３６１４と、送信部３６１５と、受信部３６１６とを備える。
【０３６８】
記憶装置９０は、ＲＡＭ１７１やハードディスク（図示せず）により構成される。記憶装置９０は、電子機器３６００で実行可能なアプリケーションソフトウェアと、ＡＳＰサーバ１８０００を特定するための情報（以下、「サーバ特定情報」と称する）とを格納している。サーバ特定情報は、たとえば、ＡＳＰサーバ１８０００のネットワーク上のアドレスを示す情報である。また、記憶装置９０は、電子機器３６００のハードウェアの環境を示した情報（ハードウェア環境情報）を格納している。
【０３６９】
表示制御部３６１１は、記憶装置９０内のＶＲＡＭ（図示せず）に格納された画像データに基づき、液晶パネル１４０,２４０の表示面に画像を表示させる。表示制御部３６１１は、上記アプリケーションソフトウェアの起動に基づき、当該アプリケーションソフトウェアの操作画面を液晶パネル１４０に表示させる。また、表示制御部３６１１は、液晶パネル１４０の表示面において表示されている画像の当該表示面での位置を示した位置情報と、液晶パネル２４０の表示面において表示されている画像の当該表示面での位置を示した位置情報とを、検知部３６１３に送る。
【０３７０】
スキャン部３６１２は、液晶パネル１４０，２４０にスキャンを実行させる。スキャン部３６１２は、検知部３６１３にスキャンデータを送る。
【０３７１】
検知部３６１３は、スキャンデータに基づいて、アプリケーションソフトウェアの操作に関する入力を電子機器３６００が受付けたことを検知する。あるいは、検知部３６１３は、操作キー１７７を介した上記操作に関する入力を電子機器３６００が受付けたことを検知する。検知部３６１３が上記入力を検知した場合、電子機器３６００は、当該入力に応じた動作を行なう。
【０３７２】
生成部３６１４は、上記アプリケーションソフトウェアを実行している際にエラーが生じたことに基づき、上記特定情報により特定されるサーバを送信先とする、当該エラーを示すエラー情報を含んだ信号を生成する。具体的には、生成部３６１４は、ハードウェア環境情報を記憶装置９０から読み出す。その後、生成部３６１４は、上記エラー情報と当該読み出したハードウェア環境情報とを含んだ信号を生成する。生成部３６１４は、生成した信号を送信部３６１５に送る。
【０３７３】
なお、「エラー」とは、アプリケーションソフトウェアを実行している最中に起こる致命的なエラーであるアプリケーションエラー、および致命的でないエラーを含む。ここで、「致命的なエラー」とは、たとえば、アプリケーションソフトウェアを終了させ、その後、当該アプリケーションソフトウェアを再起動させなければ、当該アプリケーションソフトウェアによる処理を実行できないエラーである。
【０３７４】
送信部３６１５は、生成部３６１４にて生成された信号をＡＳＰサーバ１８０００に送信する。送信部３６１５は、たとえば、インターネット網を介して、当該信号をＡＳＰサーバ１８０００に送信する。
【０３７５】
受信部３６１６は、上記信号の送信に基づき、広告画像データとヘルプメッセージ画像データとを含む画像データ（以下、「表示用画像データ」と称する）を、ＡＳＰサーバ１８０００から受信する。受信部３６１６は、表示用画像データを表示制御部３６１１に送る。なお、「ヘルプメッセージ画像データ」とは、上記エラーに関連するメッセージを示した画像データである。「エラーに関連するメッセージ」とは、たとえば、エラーへの対応策を示したメッセージである。なお、以下では、広告画像データを「表示用広告データ」と、ヘルプメッセージ画像データを「表示用メッセージデータ」と称する。
【０３７６】
表示制御部３６１１は、表示用画像データに基づく画像（つまり、ヘルプメッセージおよび広告）を液晶パネル２４０に表示させる。なお、以下では、表示用広告データに基づく画像を、「表示用広告データに基づく広告」とも称する。表示用メッセージデータに基づく画像を、「表示用メッセージデータに基づくメッセージ」とも称する。
【０３７７】
検知部３６１３は、さらに、液晶パネル２４０に表示された広告を選択する入力を受付けたことを検知する。当該広告を選択する入力は、たとえば、液晶パネル２４０の画面に対するユーザの操作入力に基づいた入力である。
【０３７８】
送信部３６１５は、当該検知に基づき、上記広告が選択されたことを示す情報と、液晶パネル２４０の識別情報とをＡＳＰサーバ１８０００に送信する。「広告の選択」とは、たとえば、広告が表示された液晶パネル２４０の表示領域の任意の位置または予め定められた位置を、ユーザが液晶パネル２４０などのポインティングデバイスを用いて選択する処理である。「予め定められた位置」とは、たとえば、広告として表示された商品を取得（たとえば購入）する指示をユーザから受付けるために液晶パネル２４０に表示された画像の位置である。
【０３７９】
＜ＡＳＰサーバ１８０００のブロック＞
図３７は、ＡＳＰサーバ１８０００のブロックを示した図である。図３７を参照して、ＡＳＰサーバ１８０００は、制御部１８０１０と、記憶装置１８０９０とを備える。制御部１８０１０は、第１受信部１８０１１と、判断部１８０１２と、第１送信部１８０１３と、第２受信部１８０１４と、生成部１８０１５と、第２送信部１８０１６と、第３受信部１８０１７とを備える。
【０３８０】
記憶装置１８０９０は、ＲＡＭ８１４０やハードディスク８１５０などにより構成される（図２０参照）。記憶装置１８０９０は、後述するデバイス情報を格納している（図２６）。記憶装置１８０９０は、たとえば、上記複数のデバイス情報の１つである液晶パネル２４０のデバイス情報を、液晶パネル２４０の識別情報に関連付けて格納している。
【０３８１】
第３受信部１８０１７は、端末装置１７０００から、上記表示用広告データとは異なる広告画像データ（以下、「オリジナル広告データ」と称する）を受信する。第３受信部１８０１７は、記憶装置１８０９０に、当該オリジナル広告データを格納する。なお、オリジナル広告データと上述した表示用広告データとの関係は後述する。
【０３８２】
第１受信部１８０１１は、電子機器３６００から、上記ハードウェア環境情報および上記エラー情報を含んだ信号を受信する。第１受信部１８０１１は、ハードウェア環境情報を判断部１８０１２に送る。第１受信部１８０１１は、エラー情報を第１送信部１８０１３に送る。
【０３８３】
判断部１８０１２は、ハードウェア環境情報に基づき、電子機器３６００がサブ液晶パネルを備えているか否かを判断する。判断部１８０１２は、サブ液晶パネルを電子機器３６００が備えていると判断した場合、液晶パネル２４０の識別情報を生成部１８０１５に送る。第１送信部１８０１３は、エラー情報を、サーバ１９０００に送信する。
【０３８４】
第２受信部１８０１４は、当該エラー情報の送信に基づき、サーバ１９０００から、上記表示用メッセージデータとは異なる、エラーに関連するメッセージを示した画像データ（以下、「オリジナルメッセージデータ」と称する）を受信する。第２受信部１８０１４は、受信したオリジナルメッセージデータを生成部１８０１５に送る。なお、当該オリジナルメッセージデータと上述した表示用メッセージデータとの関係は後述する。
【０３８５】
生成部１８０１５は、液晶パネル２４０の識別情報に基づき、記憶装置１８０９０に格納されたデバイス情報の中から液晶パネル２４０のデバイス情報を読み出す。生成部１８０１５は、液晶パネル２４０のデバイス情報に基づき、上記オリジナルメッセージデータと上記オリジナル広告データとから、上記表示用画像データを生成する。当該表示用画像データの生成の詳細について、以下説明する。なお、以下では、液晶パネル２４０のデバイス情報に含まれる解像度の情報が、一例として、縦４８０ドット、横１０２４ドットを示しているとして説明する。
【０３８６】
生成部１８０１５は、表示用メッセージデータのサイズが、第１のサイズ（たとえば、縦４８０ドット×横６４０ドット）に収まるように、オリジナルメッセージデータから当該表示用メッセージデータを生成する。また、生成部１８０１５は、表示用広告データのサイズが、第２のサイズ（たとえば、縦４８０ドット×横３８４（１０２４−６４０）ドット）に収まるように、オリジナル広告データから当該表示用広告データを生成する。さらに、生成部１８０１５は、表示用メッセージデータと表示用広告データとを含む画像データを生成する。これにより、ＡＳＰサーバ１８０００は、上記表示用画像データを得る。具体的には、ＡＳＰサーバ１８０００は、縦４８０ドット×横１０２４（６４０＋３８４）ドットの上記表示用画像データを得る。
【０３８７】
なお、第１のサイズと第２のサイズとは、たとえば、記憶装置１８０９０に予め格納されている。あるいは、第１のサイズと第２のサイズとは、液晶パネル２４０の解像度と、予め規定された比率（たとえば、縦が１対１，横が１０対６）とにより、ＡＳＰサーバ１８０００が算出してもよい。この場合、当該比率は、記憶装置１８０９０に予め格納されている。
【０３８８】
なお、広告がｎ個（ｎ：自然数）ある場合、ＡＳＰサーバ１８０００は、１つの表示用広告データを、たとえば、第２のサイズの縦のサイズ（４８０ドット）をｎで除して得られたサイズを縦のサイズとし、３８４ドットを横サイズとすればよい。たとえば、ｎが３の場合、各表示用広告データのサイズは、縦１６０ドット×横３８４ドットとなる。
【０３８９】
生成部１８０１５は、生成した表示用画像データを、第２送信部１８０１６に送る。第２送信部１８０１６は、上記生成された表示用画像データを、電子機器３６００に送信する。
【０３９０】
＜サーバ１９０００のブロック＞
図３８は、サーバ１９０００のブロックを示した図である。図３８を参照して、サーバ１９０００は、制御部１９０１０と、記憶装置１９０９０とを備える。制御部１９０１０は、受信部１９０１１と、検索部１９０１２と、送信部１９０１３とを備える。
【０３９１】
記憶装置１９０９０は、ＲＡＭ（図示せず）やハードディスク（図示せず）などにより構成される。記憶装置１９０９０は、上記オリジナルメッセージデータを、エラー情報に対応付けて格納している。
【０３９２】
受信部１９０１１は、上記エラー情報をＡＳＰサーバ１８０００から受信する。受信部１９０１１は、受信したエラー情報を検索部１９０１２に送る。検索部１９０１２は、上記エラー情報に対応付けて格納されたオリジナルメッセージデータを、記憶装置１９０９０から読み出す。検索部１９０１２は、読み出したオリジナルメッセージデータを送信部１９０１３に送る。送信部１９０１３は、当該オリジナルメッセージデータを、ＡＳＰサーバ１８０００に送信する。
【０３９３】
＜端末装置１７０００のブロック＞
図３９は、端末装置１７０００のブロックを示した図である。図３９を参照して、端末装置１７０００は、制御部１７０１０と、入力装置１７０７０と、表示装置１７０８０と、記憶装置１７０９０とを備える。制御部１７０１０は、受信部１７０１１と、送信部１７０１２とを備える。
【０３９４】
入力装置１７０７０は、マウスおよびキーボードである（図２０参照）。表示装置１７０８０は、モニタである（図２０参照）。記憶装置１７０９０は、ＲＡＭ（図示せず）やハードディスク（図示せず）などにより構成される。記憶装置１７０９０は、上記オリジナル広告データを格納している。
【０３９５】
送信部１７０１２は、ＡＳＰサーバ１８０００に、オリジナル広告データを送信する。受信部１７０１１は、ＡＳＰサーバ１８０００から実績データを受信する。なお、「実績データ」とは、電子機器３６００において表示された広告をユーザが選択した実績を示したデータである。
【０３９６】
＜データ＞
ハードウェア環境情報は、図２４に示したとおりである。このため、ハードウェア環境情報についての説明は繰り返さない。なお、本実施の形態においては、ＡＳＰサーバ１８０００は、液晶パネル２４０の識別情報として部品情報ＩＤ１２に対応付けられたデバイス情報を記憶装置１８０９０から読み出す。
【０３９７】
液晶パネル２４０のデバイス情報は、図２５に示したとおりである。このため、液晶パネル２４０についての説明は繰り返さない。ＡＳＰサーバ１８０００は、デバイス情報に含まれるこれらの各情報を基にして、上記オリジナル広告データから上記表示用広告データを生成する。
【０３９８】
＜画面の遷移＞
図４０は、表計算のアプリケーションソフトを実行している状態の電子機器３６００を示した図である。図４０を参照して、電子機器３６００は、表計算のアプリケーションソフトの操作画面１４０１を液晶パネル１４０に表示している。
【０３９９】
図４１は、電子機器３６００が表示用画像データに基づく画像を液晶パネル２４０に表示させた状態を示した図である。図４１を参照して、電子機器３６００は、表示用画像データに含まれる表示用メッセージデータに基づくメッセージを、液晶パネル２４０の表示領域２４０２に表示する。また、電子機器３６００は、表示用画像データに含まれる表示用広告データに基づく広告を、液晶パネル２４０の表示領域２４１０，２４２０，２４３０に表示する。なお、図４１は、３つの表示用広告データに基づく３つの広告が表示された状態を示している。
【０４００】
たとえば、ユーザが、表示領域２４１０内の表示領域２４１１を選択する動作を行なうと、電子機器３６００は、表示領域２４１０に表示した広告が選択されたことを示す情報と液晶パネル２４０の識別情報とＡＳＰサーバ１８０００に送る。また、ユーザが、表示領域２４２０内の表示領域２４２１を選択する動作を行なうと、電子機器３６００は、表示領域２４２０に表示した広告が選択されたことを示す情報と液晶パネル２４０の識別情報とＡＳＰサーバ１８０００に送る。さらに、ユーザが、表示領域２４３０内の領域２４３１を選択する動作を行なうと、電子機器３６００は、表示領域２４３０に表示した広告が選択されたことを示す情報と液晶パネル２４０の識別情報とＡＳＰサーバ１８０００に送る。
【０４０１】
＜通信システム１Ａにおけるシーケンス＞
図４２は、通信システム１Ａにおけるシーケンスを示した図である。図４２を参照して、ステップＳ１０２において、端末装置１７０００は、オリジナル広告データをＡＳＰサーバ１８０００に送信する。ステップＳ１０４において、電子機器３６００は、アプリケーションソフトウェアを実行している際にエラーが生じたことに基づき、ハードウェア環境情報とエラー情報とを含んだ信号をＡＳＰサーバ１８０００に送信する。
【０４０２】
ステップＳ１０６において、ＡＳＰサーバ１８０００は、受信したエラー情報をサーバ１９０００に送信する。ステップＳ１０８において、サーバ１９０００は、エラー情報の受信に基づき、オリジナルメッセージデータをＡＳＰサーバ１８０００に送信する。ステップＳ１１０において、ＡＳＰサーバ１８０００は、オリジナルメッセージデータの受信に基づき、表示用画像データを電子機器３６００に送信する。
【０４０３】
ステップＳ１１２において、電子機器３６００は、液晶パネル２４０に表示した広告が選択されたことに基づき、当該広告が選択されたことを示す情報と液晶パネル２４０の識別情報とを、ＡＳＰサーバ１８０００に送信する。ステップＳ１１４において、ＡＳＰサーバ１８０００は、上記広告が選択されたことを示す情報の受信に基づき、実績データを端末装置１７０００に送信する。
【０４０４】
＜電子機器３６００の制御構造＞
図４３は、電子機器３６００における制御構造を示したフローチャートである。図４３を参照して、ステップＳ１２２において、電子機器３６００は、アプリケーションソフトウェアを起動する。ステップＳ１２４において、電子機器３６００は、上記アプリケーションソフトウェアを実行している際にエラーが生じたか否かを判断する。
【０４０５】
電子機器３６００は、エラーが生じたと判断した場合（ステップＳ１２４においてＹＥＳ）、ステップＳ１２６において、液晶パネル１４０にエラー表示を行なう。電子機器３６００は、エラーが生じていないと判断した場合（ステップＳ１２４においてＮＯ）、ステップＳ１４０において、アプリケーションソフトウェアを終了するための指示を受付けたか否かを判断する。電子機器３６００は、アプリケーションソフトウェアを終了するための指示を受付けたと判断した場合（ステップＳ１４０においてＹＥＳ）、一連の処理を終了する。一方、電子機器３６００は、アプリケーションソフトウェアを終了するための指示を受付けていないと判断した場合（ステップＳ１４０においてＮＯ）、処理をステップＳ１２４に戻す。
【０４０６】
ステップＳ１２８において、電子機器３６００は、ハードウェア環境情報とエラー情報とを含んだ信号を生成する。ステップＳ１３０において、電子機器３６００は、当該生成した信号を、ＡＳＰサーバ１８０００に送信する。ステップＳ１３２において、電子機器３６００は、当該信号の送信に基づき、表示用画像データをＡＳＰサーバ１８０００から受信する。ステップＳ１３４において、電子機器３６００は、当該受信した表示用画像データに基づく画像を液晶パネル２４０に表示する。
【０４０７】
ステップＳ１３６において、電子機器３６００は、液晶パネル２４０に表示された広告を選択する入力を受付けたか否かを判断する。電子機器３６００は、当該入力を受付けたと判断した場合（ステップＳ１３６においてＹＥＳ）、ステップＳ１３８において、広告が選択されたことを示す情報と、液晶パネル２４０の識別情報とを、ＡＳＰサーバ１８０００に送信する。一方、電子機器３６００は、上記入力を受付けていないと判断した場合（ステップＳ１３６においてＮＯ）、ステップＳ１４２において、アプリケーションソフトウェアを終了するための指示を受付けたか否かを判断する。
【０４０８】
電子機器３６００は、アプリケーションソフトウェアを終了するための指示を受付けたと判断した場合（ステップＳ１４２においてＹＥＳ）、一連の処理を終了する。一方、電子機器３６００は、アプリケーションソフトウェアを終了するための指示を受付けていないと判断した場合（ステップＳ１４２においてＮＯ）、ステップＳ１４４において、新たなエラーが発生したか否かを判断する。
【０４０９】
電子機器３６００は、新たなエラーが発生したと判断した場合（ステップＳ１４４においてＹＥＳ）、処理をステップＳ１２６に進める。一方、電子機器３６００は、新たなエラーが発生していないと判断した場合（ステップＳ１４４においてＮＯ）、処理をステップＳ１３６に進める。
【０４１０】
＜ＡＳＰサーバ１８０００の制御構造＞
図４４は、ＡＳＰサーバ１８０００における制御構造を示したフローチャートである。図４４を参照して、ステップＳ１５２において、ＡＳＰサーバ１８０００は、端末装置１７０００からオリジナル広告データを受信する。ステップＳ１５４において、ＡＳＰサーバ１８０００は、ハードウェア環境情報とエラー情報とを含んだ信号を、電子機器３６００から受信する。ステップＳ１５６においてＡＳＰサーバ１８０００は、上記エラー情報をサーバ１９０００に送信する。ステップＳ１５８において、ＡＳＰサーバ１８０００は、上記エラー情報の送信に基づき、サーバ１９０００からオリジナルメッセージデータを受信する。
【０４１１】
ステップＳ１６０において、ＡＳＰサーバ１８０００は、ハードウェア環境情報に含まれる液晶パネル２４０の識別情報に対応付けられたデバイス情報を記憶装置１８０９０から読み出す。ステップＳ１６２において、ＡＳＰサーバ１８０００は、当該読み出したデバイス情報に基づき、オリジナル広告データとオリジナルメッセージデータとから、表示用画像データを生成する。ステップＳ１６４において、ＡＳＰサーバ１８０００は、生成した表示用画像データを電子機器３６００に送信する。
【０４１２】
＜サーバ１９０００の制御構造＞
図４５は、サーバ１９０００における制御構造を示したフローチャートである。図４５を参照して、ステップＳ１７２において、サーバ１９０００は、ＡＳＰサーバ１８０００からエラー情報を受信する。ステップＳ１７４において、サーバ１９０００は、当該受信したエラー情報に対応するオリジナルメッセージデータを記憶装置１９０９０から読み出す。ステップＳ１７６において、サーバ１９０００は、当該読み出したオリジナルメッセージデータをＡＳＰサーバ１８０００に送信する。
【０４１３】
＜端末装置１７０００の制御構造＞
図４６は、端末装置１７０００における制御構造を示したフローチャートである。図４６を参照して、ステップＳ１８２において、端末装置１７０００は、オリジナル広告データをＡＳＰサーバ１８０００に送信する。ステップＳ１８４において、端末装置１７０００は、ＡＳＰサーバ１８０００から実績データを受信する。
【０４１４】
＜第２の具体的な実現例のまとめ＞
（電子機器３６００）
（１）電子機器３６００は、少なくとも、記憶装置９０と、表示制御部３６１１と、生成部３６１４と、送信部３６１５と、受信部３６１６とを備える。記憶装置９０は、電子機器３６００で実行可能なアプリケーションソフトウェアと、ＡＳＰサーバ１８０００を特定するための特定情報と、エラーに関連するメッセージを示した表示用メッセージデータとを格納している。表示制御部３６１１は、アプリケーションソフトウェアの起動に基づき、当該アプリケーションソフトウェアの操作画面を液晶パネル１４０に表示させる。生成部３６１４は、アプリケーションソフトウェアを実行している際にエラーが生じたことに基づき、上記サーバ特定情報により特定されるＡＳＰサーバ１８０００を送信先とする、上記エラーを示すエラー情報を含んだ信号（以下、「信号Ｑ」と称する）を生成する。送信部３６１５は、ＡＳＰサーバ１８０００に、生成部３６１４が生成した信号Ｑを送信する。受信部３６１６は、当該信号Ｑの送信に基づき、広告を示した表示用広告データをＡＳＰサーバ１８０００から受信する。表示制御部３６１１は、表示用広告データに基づく画像と表示用メッセージデータに基づく画像とを液晶パネル２４０に表示させる。
【０４１５】
したがって、電子機器３６００は、アプリケーションソフトウェアの操作画面を液晶パネル１４０に表示させる。また、アプリケーションソフトウェアを実行している際にエラーが生じた場合、表示制御部３６１１は、上記エラーに関連するメッセージを示した表示用メッセージデータに基づく画像と、表示用広告データに基づく画像とを液晶パネル２４０に表示させる。
【０４１６】
それゆえ、ユーザがアプリケーションソフトウェアを利用している際にエラーが発生した場合、電子機器３６００は、表示用メッセージデータに基づく画像（ヘルプメッセージ）と表示用広告データに基づく画像（広告）とを、アプリケーションソフトウェアの操作画面を表示している液晶パネル１４０とは別の液晶パネル２４０に表示することができる。
【０４１７】
したがって、ユーザは、ヘルプメッセージを表示する液晶パネル２４０の表示画面に視線を向けた場合、電子機器３６００のユーザが所望するであろうヘルプメッセージに加え、広告も視認することになる。それゆえ、電子機器３６００は、広告効果の期待できるタイミングで広告を液晶パネル２４０に表示できる。
【０４１８】
（２）受信部３６１６は、ＡＳＰサーバ１８０００から、上記エラーに関連するメッセージを示した画像データを受信し、当該受信した画像データを、記憶装置９０に上記表示用メッセージデータとして格納する。
【０４１９】
したがって、電子機器３６００は、表示用メッセージデータを外部装置であるＡＳＰサーバ１８０００から取得できる。それゆえ、電子機器３６００は、表示用メッセージデータを、エラーが発生する前から予め記憶装置９０に格納しておかなくてよい。
【０４２０】
（３）生成部３６１４は、上記信号Ｑとして、少なくとも液晶パネル２４０の識別情報を含む信号を生成する。送信部３６１５は、ＡＳＰサーバ１８０００に液晶パネル２４０の識別情報を含んだ上記信号Ｑを送信する。受信部３６１６は、表示用メッセージデータおよび表示用広告データとして、液晶パネル２４０の識別情報に基づきＡＳＰサーバ１８０００おいて生成された表示用画像データを、ＡＳＰサーバ１８０００から受信する。
【０４２１】
したがって、電子機器３６００は、液晶パネル２４０の識別情報に基づきＡＳＰサーバ１８０００において生成された表示用画像データに基づく画像を、液晶パネル２４０に表示することができる。また、液晶パネル２４０の識別情報に基づいた当該液晶パネル２４０のデバイス情報を用いて表示用画像データが生成される場合、電子機器３６００は、液晶パネル２４０に適したサイズ等を有する表示用画像データを受信することができる。
【０４２２】
（４）検知部３６１３は、表示用広告データに基づく広告を選択する入力を受付けたことを検知する。送信部３６１５は、当該入力の検知に基づき、選択されたことを示す情報と液晶パネル２４０の識別情報とをＡＳＰサーバ１８０００に送信する。上記入力は、たとえば、液晶パネル２４０のパネル面（タッチパネル面）に対する入力である。
【０４２３】
このように、電子機器３６００は、広告が選択されたことを示す情報以外に、液晶パネル２４０の識別情報をＡＳＰサーバ１８０００に送信できる。したがって、ＡＳＰサーバ１８０００の所有者は、液晶パネル２４０の識別情報の受信の有無に基づき、広告効果を判断できる。また、ＡＳＰサーバ１８０００の所有者は、広告効果が判断できるため、広告効果に見合った報酬をサーバ１９０００の所有者に支払うことができる。
【０４２４】
（ＡＳＰサーバ１８０００）
（１）ＡＳＰサーバ１８０００は、少なくとも、記憶装置１８０９０と、第１受信部１８０１１と、第１送信部１８０１３と、第２受信部１８０１４と、生成部１８０１５と、第２送信部１８０１６とを備える。記憶装置１８０９０は、液晶パネル２４０のデバイス情報と、広告を示すオリジナル広告データとを格納している。第１受信部１８０１１は、電子機器３６００においてアプリケーションソフトウェアを実行している際に生じたエラーを示すエラー情報を含んだ信号（つまり、「信号Ｑ」）を、電子機器３６００から受信する。第１送信部１８０１３は、サーバ１９０００に、エラー情報を送信する。第２受信部１８０１４は、エラー情報の送信に基づき、サーバ１９０００から、当該エラーに関連するメッセージを示したオリジナルメッセージデータを受信する。生成部１８０１５は、デバイス情報に基づいて、オリジナルメッセージデータから表示用メッセージデータを生成する。また、生成部１８０１５は、デバイス情報に基づいて、オリジナル広告データから表示用広告データを生成する。第２送信部１８０１６は、当該表示用メッセージデータおよび表示用広告データを電子機器３６００に送信する。
【０４２５】
したがって、ＡＳＰサーバ１８０００は、電子機器３６００の液晶パネル２４０のデバイス情報に基づいて、記憶装置１８０９０に格納されたオリジナル広告データから表示用広告データを生成できる。また、ＡＳＰサーバ１８０００は、当該デバイス情報に基づいて、サーバ１９０００より受信したオリジナルメッセージデータから、表示用メッセージデータを生成できる。さらに、ＡＳＰサーバ１８０００は、生成した、表示用広告データと表示用メッセージデータとを電子機器３６００に送信することができる。
【０４２６】
これにより、電子機器３６００は、表示用広告データと表示用メッセージデータと表示可能となる。
【０４２７】
（２）また、ＡＳＰサーバ１８０００は、端末装置１７０００から、広告を示す画像データを受信し、当該受信した画像データを、記憶装置１８０９０に上記オリジナル広告データとして格納する第３受信部１８０１７をさらに備える。
【０４２８】
したがって、ＡＳＰサーバ１８０００は、サーバ１９０００から受信した画像データを、上記オリジナル広告データとして利用できる。
【０４２９】
（３）さらに、第１受信部１８０１１は、上記信号Ｑとして、少なくとも液晶パネル２４０の識別情報を含む信号を受信する。生成部１８０１５は、受信した識別情報に対応付けられたデバイス情報に基づいて、オリジナルメッセージデータから表示用メッセージデータを生成する。また、生成部１８０１５は、当該デバイス情報に基づいて、オリジナル広告データから表示用広告データを生成する。
【０４３０】
したがって、ＡＳＰサーバ１８０００は、電子機器３６００の液晶パネル２４０に適したサイズ等を有する、表示用メッセージデータと表示用広告データとを生成することができる。
【０４３１】
（サーバ１９０００）
サーバ１９０００は、少なくとも、受信部１９０１１と送信部１９０１３とを備える。受信部１９０１１は、ＡＳＰサーバ１８０００から、上記エラー情報を受信する。送信部１９０１３は、ＡＳＰサーバ１８０００に、上記オリジナルメッセージデータを送信する。
【０４３２】
したがって、ＡＳＰサーバ１８０００は、送信したエラー情報に基づくオリジナルメッセージデータを、サーバ１９０００から受信することができる。
【０４３３】
（端末装置１７０００）
端末装置１７０００は、少なくとも、受信部１７０１１と送信部１７０１２とを備える。送信部１７０１２は、ＡＳＰサーバ１８０００に、オリジナル広告データを送信する。受信部１７０１１は、ＡＳＰサーバ１８０００から上記実績データを受信する。
【０４３４】
したがって、ＡＳＰサーバ１８０００は、オリジナル広告データを端末装置１７０００から受信できる。端末装置１７０００は、実績データをＡＳＰサーバ１８０００から受信することができる。
【０４３５】
＜電子機器３６００の変形例＞
（第１の変形例）
図４７は、電子機器３６００の変形例である電子機器４７００の機能ブロックを示した図である。電子機器４７００は、広告が選択された際に、ユーザの属性情報をＡＳＰサーバ１８０００に送信する点において、ユーザの属性情報をＡＳＰサーバ１８０００に送信しない電子機器３６００と異なる。図４７を参照して、電子機器４７００は、制御部４７１０と、液晶パネル１４０，２４０と、記憶装置９０Ａとを備える。
【０４３６】
記憶装置９０Ａは、ＲＡＭ１７１やハードディスク（図示せず）により構成される。記憶装置９０Ａは、記憶装置９０が格納している情報以外に、電子機器４７００のユーザの指紋を示す画像データ（以下、「指紋画像データ」と称する）と当該ユーザの属性を示す属性情報とを当該ユーザ毎に関連付けてさらに格納している。「属性情報」とは、ユーザの年齢、性別、住所、職業などを示す情報である。属性情報は、たとえば、電子機器４７００へのユーザ入力により記憶装置９０Ａに格納される。
【０４３７】
制御部４７１０は、表示制御部３６１１と、スキャン部３６１２と、検知部３６１３と、生成部３６１４と、送信部３６１５と、受信部３６１６と、判断部３６１７とを備える。制御部４７１０は、判断部３６１７を備える点において、電子機器３６００の制御部３６１０と異なる。
【０４３８】
判断部３６１７は、スキャン部３６１２から送られてくるスキャンデータを受付ける。判断部３６１７は、スキャンデータに一致する指紋画像データが記憶装置９０Ａに格納されているか否かを判断する。判断部３６１７がスキャンデータに一致する指紋データが格納されていると判断した場合、判断部３６１７は、一致したと判断した指紋画像データに関連付けて格納された属性情報を記憶装置９０Ａから読み出す。判断部３６１７は、読み出した属性情報を生成部３６１４に送る。
【０４３９】
生成部３６１４は、ＡＳＰサーバ１８０００に送信するための上述した信号に、上記属性情報を含める。送信部３６１５は、上記属性情報を含んだ信号をＡＳＰサーバ１８０００に送信する。このように、スキャンデータに一致する指紋データを記憶装置９０Ａが格納していると判断された場合、送信部３６１５は、スキャンデータに一致したと判断された指紋データに関連付けされた属性情報をＡＳＰサーバ１８０００に送信する。
【０４４０】
以上のように、電子機器４７００は、広告を選択したことを示す情報と、液晶パネル２４０の識別情報と、広告を選択したユーザの属性情報とを、ＡＳＰサーバ１８０００に送信する。したがって、ＡＳＰサーバ１８０００は、広告を選択したユーザの属性情報についても取得できる。ＡＳＰサーバ１８０００の所有者は、当該取得した属性情報を、たとえばマーケティングの資料として活用できる。
【０４４１】
（第２の変形例）
電子機器３６００の表示制御部３６１１と受信部３６１６とを、それぞれ以下に述べる構成としてもよい。表示制御部３６１１は、第１コマンドを受付けた場合に液晶パネル２４０の表示をオンとし、第２コマンドを受付けた場合に液晶パネル２４０の表示をオフとする機能を備える。
【０４４２】
表示制御部３６１１が上記第２コマンドを受付けることによって液晶パネル２４０の表示がオフとなっている状態で、受信部３６１６が上記表示用画像データを受信したとき、受信部３６１６は、上記第１コマンドを表示制御部３６１１に送信する。表示制御部３６１１は、当該第１コマンドに基づいて、上記表示用画像データに基づく画像を液晶パネル２４０に表示させる。
【０４４３】
したがって、電子機器３６００は、液晶パネル２４０の表示機能をオフ状態としている場合であっても、ＡＳＰサーバ１８０００から表示用画像データを受信した場合には、当該表示機能をオンとする。それゆえ、ユーザが、液晶パネル２４０の表示機能がオフ状態に設定した場合であっても、電子機器３６００は、表示用画像データを受信した場合には、液晶パネル２４０にヘルプメッセージと広告とを表示できる。その結果、液晶パネル２４０の表示機能がオフ状態に設定されている場合であっても、ユーザは、液晶パネル２４０においてヘルプメッセージと広告とを視認することができる。
【０４４４】
＜その他＞
（１）上記においては、電子機器３６００は、表示用メッセージデータをＡＳＰサーバ１８０００から受信した。たとえば、電子機器３６００は、表示用メッセージデータをＡＳＰサーバ１８０００から受信するかわりに、予め表示用メッセージデータを記憶装置９０に格納するように構成されてもよい。
【０４４５】
（２）上記においては、アプリケーションソフトウェアを実行している際にエラーが生じた場合における通信システム１Ａの動作について説明した。しかしながら、通信システム１Ａは、この場合に限定されず、ＯＳを実行している際に、ＯＳ（ソフトウェア）に関するエラーが生じた場合にも上述した内容を適用できることは言うまでもない。
【０４４６】
（３）上記においては、ＡＳＰサーバ１８０００は、表示用広告データと表示用メッセージデータとを含む表示用画像データを、電子機器３６００に送信した。しかしながら、ＡＳＰサーバ１８０００は、表示用広告データと表示用メッセージデータとを、別個に、電子機器３６００に送信してもよい。なお、この場合には、２つのファイルを関係付ける情報を、いずれかのファイルあるいは、さらに他のファイルに記述しておけばよい。
【０４４７】
（４）液晶パネル２４０の製造メーカは、仕様（画面サイズ、解像度、表示色など）が異なる様々なタイプの液晶パネル２４０を、電子機器３６００を組み立てるセットメーカに供給する。このように仕様の異なる様々な液晶パネル２４０が市場に流通するような状況下において、本実施の形態において説明した広告の提供手法は、高い広告効果を得るための手法であるといえる。
【０４４８】
（５）上述した実施の形態においては、ＡＳＰサーバ１８０００は、端末装置１７０００に対して、上述した実績データを送信する。この場合、端末装置１７０００は、上記実績データの受信に基づき、上記実績データに応じた報酬額を示した報酬データを、ＡＳＰ１８０００に送信してもよい。
【０４４９】
このような構成の場合、実績データが正しい実績を示したデータであるか否かが問題となる場合もある。当該問題の発生を防ぐためには、たとえば、ＡＳＰサーバ１８０００と端末装置１７０００とを物理的に１つの装置に実装すればよい。この場合、液晶パネル２４０を販売している会社がＡＳＰサーバ１８０００と端末装置１７０００とを一体化して運営し、かつ広告依頼主が当該会社に広告を持ち込めば、当該会社は広告依頼主から利益を得ることができる。
【０４５０】
また、実績データの正当性を広告主が監視できるような装置を通信システム１Ａがさらに備えることによっても、上記問題の発生を防ぐことができる。
【０４５１】
＜＜第３の具体的な実現例＞＞
＜通信システム１の概略構成＞
図４８は、通信システム１Ｂの概略構成を示した図である。図４８を参照して、通信システム１Ｂは、電子機器４９００と、端末装置２７０００と、サーバ２８０００と、サーバ２９０００とを含む。なお、以下では、電子機器４９００がノート型のパーソナルコンピュータである場合を例に挙げて説明する。
【０４５２】
電子機器４９００は、電子機器１００と同様に、図１〜図１８に示した構成および機能を備えている。したがって、図１〜図１８に基づいて説明した内容については、ここでは繰り返さない。
【０４５３】
サーバ２８０００は、電子機器４９００と端末装置２７０００とサーバ２９０００と通信を行なう。サーバ２８０００は、たとえば、インターネットで用いる検索エンジンを運営する事業者に属する。サーバ２８０００は、検索エンジンを格納している。「検索エンジン」とは、ウェブ上で情報を検索するシステムである。検索エンジンは、当該検索に用いる情報（ＷＷＷ（World  Wide  Web）で公開されている情報等）を有している。以下では、サーバ２８０００を、「検索用サーバ２８０００」と称する。
【０４５４】
サーバ２９０００は、電子機器４９００と端末装置２７０００と検索用サーバ２８０００と通信を行なう。サーバ２９０００は、アプリケーションサービスプロバイダ（以下、「ＡＳＰ」と称する）が保有するコンピュータであって、アプリケーションサービスの提供に用いられる。あるいは、サーバ２９０００は、ストレージサービスプロバイダ（以下、「ＳＳＰ」と称する）が保有するコンピュータであって、ストレージサービスの提供に用いられる。
【０４５５】
上記アプリケーションサービスの提供や上記ストレージサービスの提供は、たとえば、電子機器の部品をセットメーカに供給する事業者が行なう。本実施の形態では、上記アプリケーションサービスの提供や上記ストレージサービスの提供は、電子機器４９００の液晶パネル２４０をセットメーカに供給する会社が行なうこととする。なお、上記アプリケーションサービスの提供や上記ストレージサービスの提供は、電子機器の部品を自社生産し、当該部品を用いて電子機器を製造する事業者が行なってもよい。
【０４５６】
なお、以下では、サーバ２９０００が、アプリケーションサービスの提供に用いられるサーバである場合を例に挙げて説明する。また、以下では、サーバ２９０００を、「ＡＳＰサーバ２９０００」と称する。
【０４５７】
＜サーバ２８０００，２９０００、および端末装置２７０００のハードウェア構成＞
検索用サーバ２８０００として機能するコンピュータシステムのハードウェア構成は、図２０に示したコンピュータシステム８１００のハードウェア構成と同じである。検索用サーバ２８０００のハードウェア構成についての説明は繰り返さない。
【０４５８】
ＡＳＰサーバ２９０００も、検索用サーバ２８０００と同様なハードウェア構成を有するため、ＡＳＰサーバ２９０００のハードウェア構成についての説明は繰り返さない。また、端末装置２７０００も、検索用サーバ２８０００と同様なハードウェア構成を有するため、端末装置２７０００のハードウェア構成についての説明は繰り返さない。
【０４５９】
＜電子機器４９００の機能ブロック＞
図４９は、電子機器４９００の機能ブロックを示した図である。図４９を参照して、電子機器４９００は、制御部４９１０と、液晶パネル１４０，２４０と、記憶装置９０とを備える。制御部４９１０は、表示制御部４９１１と、スキャン部４９１２と、検知部４９１３と、生成部４９１４と、送信部４９１５と、受信部４９１６と、検知部４９１７とを備える。
【０４６０】
記憶装置９０は、ＲＡＭ１７１やハードディスク（図示せず）により構成される。記憶装置９０は、ＷＷＷの利用に供するウェブブラウザなどのソフトウェアを格納している。また、記憶装置９０は、電子機器４９００のハードウェアの環境を示した情報（ハードウェア環境情報）を格納している。ハードウェア環境情報は、液晶パネル１４０を識別するための情報（以下、「液晶パネル１４０の識別情報」）と液晶パネル２４０の識別情報とを含む。
【０４６１】
表示制御部４９１１は、記憶装置９０内のＶＲＡＭ（図示せず）に格納された画像データに基づき、液晶パネル１４０,２４０の表示面に画像を表示させる。また、表示制御部４９１１は、液晶パネル１４０の表示面において表示されている画像の当該表示面での位置を示した位置情報と、液晶パネル２４０の表示面において表示されている画像の当該表示面での位置を示した位置情報とを、検知部４９１３に送る。
【０４６２】
スキャン部４９１２は、液晶パネル１４０，２４０にスキャンを実行させる。スキャン部４９１２は、検知部４９１３に上記スキャンデータを送る。
【０４６３】
送信部４９１５は、広告を含むウェブページを表示するための情報の送信を検索用サーバ２８０００に要求する信号（以下、「要求信号」と称する）を、検索用サーバ２８０００に送信する。なお、以下では、当該広告を「第１広告」と称する。また、当該ウェブページを表示するための情報を「ウェブページ情報」と称する。
【０４６４】
上記要求信号の送信に基づき、受信部４９１６は、上記ウェブページ情報と、上記第１広告に対応付けられた情報であって、かつＡＳＰサーバ２９０００を特定するための情報（以下、「サーバ特定情報」と称する）とを、検索用サーバ２８０００から受信する。受信部４９１６は、当該受信したウェブページ情報を表示制御部４９１１に送る。表示制御部４９１１は、上記ウェブページ情報に基づき、上記第１広告を含む上記ウェブページを液晶パネル１４０に表示させる。
【０４６５】
検知部４９１３は、スキャンデータに基づいて、電子機器４９００が入力を受付けたことを検知する。あるいは、検知部４９１３は、操作キー１７７を介して電子機器４９００が入力を受付けたことを検知する。検知部４９１３は、たとえば、液晶パネル１４０に表示された上記ウェブページにおける上記第１広告を選択する入力を電子機器４９００が受付けたことを検知する。当該第１広告を選択する入力は、たとえば、液晶パネル１４０の画面に対するユーザの操作入力に基づいた入力である。検知部４９１３は、当該入力を検知した場合、検知結果を生成部４９１４に送る。なお、「第１広告の選択」とは、たとえば、第１広告が表示された液晶パネル１４０の第１広告の表示領域を、ユーザがポインティングデバイスを用いて選択する処理である。
【０４６６】
なお、電子機器４９００の構成を、ポインティングデバイスのポイント位置が第１広告上に位置したことを条件に当該第１広告を選択する入力を受付ける構成としてもよい。つまり、電子機器４９００の構成を、ユーザによるクリック動作なしに第１広告を選択する入力を受付ける構成としてもよい。
【０４６７】
生成部４９１４は、上記第１広告を選択する入力の検知に基づき、上記サーバ特定情報により特定されるサーバを送信先とする信号を生成する。具体的には、生成部４９１４は、ハードウェア環境情報を記憶装置９０から読み出す。その後、生成部４９１４は、当該読み出したハードウェア環境情報を含んだ信号を生成する。生成部４９１４は、生成した信号を送信部４９１５に送る。
【０４６８】
送信部４９１５は、さらに、上記サーバ特定情報に基づき特定されるＡＳＰサーバ２９０００に、生成部４９１４で生成された信号を送信する。なお、ＡＳＰサーバ２９０００への当該信号の送信は、検索用サーバ２８０００を介して行なわれる。
【０４６９】
受信部４９１６は、上記信号の送信に基づき、さらに、ＡＳＰサーバ２９０００から、上記第１広告が示す情報よりも詳細な情報を含んだ画像データ（以下、「詳細広告画像データ」）を受信する。表示制御部４９１１は、上記詳細広告画像データに基づく第２広告（以下、「詳細広告」とも称する）を液晶パネル２４０に表示させる。
【０４７０】
検知部４９１７は、液晶パネル２４０に表示された詳細広告を選択する入力を受付けたことを検知する。当該詳細広告を選択する入力は、たとえば、液晶パネル２４０の画面に対するユーザの操作入力に基づいた入力である。検知部４９１７は、当該入力を検知した場合、検知結果を生成部４９１４に送る。
【０４７１】
生成部４９１４は、上記詳細広告を選択する入力の検知に基づき、上記詳細広告が選択されたことを示す情報と、液晶パネル２４０の識別情報と含む信号を生成する。送信部４９１５は、当該検知に基づき、当該生成された信号を検索用サーバ２８０００に送信する。
【０４７２】
なお、「詳細広告の選択」とは、たとえば、詳細広告が表示された液晶パネル２４０の表示領域の任意の位置または予め定められた位置を、ユーザが液晶パネル２４０などのポインティングデバイスを用いて選択する処理である。「予め定められた位置」とは、たとえば、広告として表示された商品を取得（たとえば購入）する指示をユーザから受付けるために液晶パネル２４０に表示された画像の位置である。
【０４７３】
＜検索用サーバ２８０００の機能ブロック＞
図５０は、検索用サーバ２８０００の機能ブロックを示した図である。図５０を参照して、検索用サーバ２８０００は、制御部２８０１０と、記憶装置２８０９０とを備える。制御部２８０１０は、受信部２８０１１と、送信部２８０１２とを備える。
【０４７４】
記憶装置２８０９０は、ＲＡＭ８１４０やハードディスク８１５０などにより構成される（図２０参照）。記憶装置２８０９０は、上記ウェブページ情報と、上記サーバ特定情報とを格納している。
【０４７５】
受信部２８０１１は、上記要求信号を電子機器４９００から受信する。送信部２８０１２は、上記要求信号を電子機器４９００から受信したことに基づき、上記ウェブページ情報とサーバ特定情報とを、電子機器４９００に送信する。
【０４７６】
受信部２８０１１は、上記送信に基づき、さらに上記ハードウェア環境情報を含んだ信号を電子機器４９００から受信する。送信部２８０１２は、当該ハードウェア環境情報を含んだ信号を、ＡＳＰサーバ２９０００に送信する。つまり、送信部２８０１２は、電子機器４９００の液晶パネル１４０の識別情報と液晶パネル２４０の識別情報とをＡＳＰサーバ２９０００に送信する。
【０４７７】
ＡＳＰサーバ２９０００が端末装置２７０００に後述する実績データを送信したことに基づき、受信部２８０１１は、端末装置２７０００から報酬額を示したデータ（以下、「報酬データ」と称する）を受信する。
【０４７８】
＜サーバ２９０００の機能ブロック＞
図５１は、ＡＳＰサーバ２９０００の機能ブロックを示した図である。図５１を参照して、ＡＳＰサーバ２９０００は、制御部２９０１０と、記憶装置２９０９０とを備える。制御部２９０１０は、送信部２９０１１と、受信部２９０１２と、生成部２９０１３とを備える。
【０４７９】
記憶装置２９０９０は、ＲＡＭ（図示せず）やハードディスク（図示せず）などにより構成される。記憶装置２９０９０は、事業者が供給する各液晶パネルに関する各デバイス情報を、それぞれの液晶パネルの識別情報に関連付けて格納している。記憶装置２９０９０は、上記複数のデバイス情報の１つである液晶パネル２４０のデバイス情報を、液晶パネル２４０の識別情報に関連付けて格納している。記憶装置２９０９０は、さらに、上記第１広告を示した画像データと、当該画像データに関連付けされた画像データであって、かつ上記詳細広告画像データの元となる画像データ（以下、「オリジナル詳細画像データ」と称する）とを格納している。
【０４８０】
送信部２９０１１は、上記第１広告を示した画像データを検索用サーバ２８０００に送信する。なお、検索用サーバ２８０００は、当該画像データを用いて上記ウェブページ情報を構成する。
【０４８１】
受信部２９０１２は、ハードウェア環境情報を含んだ信号を検索用サーバ２８０００から受信する。受信部２９０１２は、受信したハードウェア環境情報にメイン液晶パネルの識別情報とサブ液晶パネルの識別情報とが含まれているか否かを判断する。受信部２９０１２は、メイン液晶パネルの識別情報とサブ液晶パネルの識別情報とが含まれていると判断した場合、少なくともサブ液晶パネル（本実施の形態では液晶パネル２４０）の識別情報を生成部２９０１３に送る。
【０４８２】
生成部２９０１３は、上記液晶パネル２４０の識別情報に基づき特定した、液晶パネル２４０のデバイス情報を、記憶装置２９０９０から読み出す。生成部２９０１３は、読み出したデバイス情報に基づいて、上記選択された第１広告を示した画像データに関連付けされた上記オリジナル詳細画像データから、上記詳細広告画像データを生成する。つまり、生成部２９０１３は、オリジナル詳細画像データに基づいた画像データである詳細広告画像データを生成する。生成部２９０１３は、当該詳細広告画像データを送信部２９０１１に送る。
【０４８３】
送信部２９０１１は、上記生成部２９０１３が生成した上記詳細広告画像データを、電子機器４９００に送信する。受信部２９０１２は、さらに、上記詳細広告が選択されたことを示す情報と液晶パネル２４０の識別情報と含む信号を電子機器４９００から受信する。送信部２９０１１は、当該詳細広告が選択されたことを示す情報に基づいた、選択実績を示す実績データを、端末装置２７０００に送信する。
【０４８４】
なお、ＡＳＰサーバ２９０００は、上記デバイス情報を、図示しない他のサーバから取得する構成としてもよい。この場合、アプリケーションサービスの提供は、電子機器４９００の液晶パネル２４０をセットメーカに供給する会社が行なうのではなく、たとえば、広告を請け負う業者が行なえばよい。液晶パネル２４０をセットメーカに供給する会社あるいは当該会社に関連する会社が、当該他のサーバを所有しておけばよい。
【０４８５】
＜端末装置２７０００の機能ブロック＞
図５２は、端末装置２７０００の機能ブロックを示した図である。図５２を参照して、端末装置２７０００は、制御部２７０１０と、入力装置２７０７０と、表示装置２７０８０と、記憶装置２７０９０とを備える。制御部２７０１０は、受信部２７０１１と、送信部２７０１２とを備える。
【０４８６】
入力装置２７０７０は、マウスおよびキーボードである（図２０参照）。表示装置２７０８０は、モニタである（図２０参照）。記憶装置２７０９０は、ＲＡＭ（図示せず）やハードディスク（図示せず）などにより構成される。
【０４８７】
受信部２７０１１は、ＡＳＰサーバ２９０００から上記実績データを受信する。送信部２７０１２は、当該実績データに基づいた上記報酬データを、検索用サーバ２８０００およびＡＳＰサーバ２９０００に送信する。
【０４８８】
＜データ＞
ハードウェア環境情報は、図２４に示したとおりである。このため、ハードウェア環境情報についての説明は繰り返さない。なお、本実施の形態においては、電子機器４９００は、液晶パネル２４０の識別情報として部品情報ＩＤ１２をＡＳＰサーバ２９０００に送信する。
【０４８９】
液晶パネル２４０のデバイス情報は、図２５に示したとおりである。このため、液晶パネル２４０についての説明は繰り返さない。ＡＳＰサーバ２９０００は、デバイス情報に含まれるこれらの各情報を基にして、上記オリジナル画像データから上記詳細広告画像データを生成する。
【０４９０】
＜画面の遷移＞
図５３は、液晶パネル１４０にウェブページを表示している状態の電子機器を示した図である。図５３を参照して、電子機器４９００は、液晶パネル１４０に、第１広告１４１１を含むウェブページ１４０２を表示している。
【０４９１】
図５４は、電子機器４９００が、詳細広告画像データに基づく詳細広告を液晶パネル２４０に表示させた後の状態を示した図である。図５４を参照して、電子機器４９００は、第１広告１４１１を液晶パネル１４０に表示し、さらに第１広告が示す情報よりも詳細な情報を含んだ詳細広告２４０３を液晶パネル２４０に表示する。たとえば、ユーザが、領域２４０９を選択する動作を行なうと、電子機器４９００は、上記詳細広告が選択されたことを示す情報と液晶パネル２４０の識別情報とをＡＳＰサーバ２９０００に送る。図５４の場合、「詳細広告が選択されたことを示す情報」とは、携帯プレーヤの購入をＡＳＰサーバ２９０００に要求することを示す情報である。
【０４９２】
＜通信システム１Ｂにおけるシーケンス＞
図５５は、通信システム１Ｂにおけるシーケンスを示した図である。図５５を参照して、ステップＳ２０２において、電子機器４９００は、上述した要求信号を検索用サーバ２８０００に送信する。ステップＳ２０４において、検索用サーバ２８０００は、上記ウェブページ情報を電子機器４９００に送る。ステップＳ２０６において、電子機器４９００は、上記ハードウェア環境情報を含んだ信号を検索用サーバ２８０００に送信する。ステップＳ２０８において、検索用サーバ２８０００は、当該ハードウェア環境情報を含んだ信号をＡＳＰサーバ２９０００に転送する。
【０４９３】
ステップＳ２１０において、ＡＳＰサーバ２９０００は、上記詳細広告画像データを電子機器４９００に送信する。ステップＳ２１２において、電子機器４９００は、上記詳細広告が選択されたことを示す情報と、液晶パネル２４０の識別情報と含む信号を、ＡＳＰサーバ２９０００に送信する。ステップＳ２１４において、ＡＳＰサーバ２９０００は、上記実績データを端末装置２７０００に送信する。ステップＳ２１６において、端末装置２７０００は、上記報酬データをＡＳＰサーバ２９０００に送信する。ステップＳ２１８において、端末装置２７０００は、当該報酬データを検索用サーバ２８０００に送信する。
【０４９４】
＜電子機器４９００の制御構造＞
図５６は、電子機器４９００における制御構造を示した図である。図５６を参照して、ステップＳ２３２において、電子機器４９００は、要求信号を検索用サーバ２８０００に送信する。ステップＳ２３４において、電子機器４９００は、ウェブページ情報を検索用サーバ２８０００から受信する。ステップＳ２３６において、電子機器４９００は、液晶パネル１４０に表示した第１広告が選択されたか否かを判断する。
【０４９５】
電子機器４９００は、第１広告を選択したと判断した場合（ステップＳ２３６においてＹＥＳ）、ステップＳ２３８において、ハードウェア環境情報を含む信号を検索用サーバ２８０００に送信する。一方、電子機器４９００は、第１広告を選択したと判断しなかった場合（ステップＳ２３６においてＮＯ）、ステップＳ２４６において、ウェブブラウザを終了するための入力を受付けたか否かを判断する。電子機器４９００は、入力を受付けたと判断した場合（ステップＳ２４６においてＹＥＳ）、一連の処理を終了する。一方、電子機器４９００は、入力を受付けていないと判断した場合（ステップＳ２４６においてＮＯ）、処理をステップＳ２３６に戻す。
【０４９６】
ステップＳ２４０において、電子機器４９００は、上記詳細広告画像データをＡＳＰサーバ２９０００から受信する。ステップＳ２４２において、電子機器４９００は、上記詳細広告が選択されたか否かを判断する。電子機器４９００は、詳細広告が選択されたと判断した場合（ステップＳ２４２においてＹＥＳ）、ステップＳ２４４において、上記詳細広告が選択されたことを示す情報と液晶パネル２４０の識別情報と含む信号をＡＳＰサーバ２９０００に送信する。一方、詳細広告が選択されなかったと判断した場合（ステップＳ２４２においてＮＯ）、電子機器４９００は、一連の処理を終了する。
【０４９７】
＜検索用サーバ２８０００の制御構造＞
図５７は、検索用サーバ２８０００における制御構造を示した図である。図５７を参照して、ステップＳ２５２において、検索用サーバ２８０００は、上記要求信号を電子機器４９００から受信する。ステップＳ２５４において、検索用サーバ２８０００は、上記要求信号に応じたウェブページ情報を電子機器４９００に送信する。
【０４９８】
ステップＳ２５６において、検索用サーバ２８０００は、ハードウェア環境情報を含んだ信号を電子機器４９００から受信する。ステップＳ２５８において、検索用サーバ２８０００は、当該ハードウェア環境情報を含んだ信号を、ＡＳＰサーバ２９０００に転送する。ステップＳ２６０において、検索用サーバ２８０００は、上記報酬データを端末装置２７０００から受信する。
【０４９９】
＜サーバ２９０００の制御構造＞
図５８は、ＡＳＰサーバ２９０００における制御構造を示した図である。図５８を参照して、ステップＳ２７２において、ＡＳＰサーバ２９０００は、ハードウェア環境情報を含む信号を検索用サーバ２８０００から受信する。ステップＳ２７４において、ＡＳＰサーバ２９０００は、サブ液晶パネル（液晶パネル２４０）の識別情報がハードウェア環境情報に含まれているか否かを判断する。ＡＳＰサーバ２９０００は、液晶パネル２４０の識別情報が存在すると判断した場合（ステップＳ２７４においてＹＥＳ）、ステップＳ２７６において、デバイス情報に基づき、上記オリジナル詳細画像データから上記詳細広告画像データを生成する。ステップＳ２７８において、ＡＳＰサーバ２９０００は、生成した詳細広告画像データを電子機器４９００に送信する。ステップＳ２８０において、ＡＳＰサーバ２９０００は、上記詳細広告が選択されたことを示す情報と、液晶パネル２４０の識別情報と含む信号を、電子機器４９００から受信する。ステップＳ２８２において、ＡＳＰサーバ２９０００は、上記実績データを端末装置２７０００に送信する。
【０５００】
＜端末装置の制御構造＞
図５９は、端末装置２７０００における制御構造を示した図である。図５９を参照して、ステップＳ２９２において、端末装置２７０００は、上記実績データをＡＳＰサーバ２９０００から受信する。ステップＳ２９４において、端末装置２７０００は、報酬データを、検索用サーバ２８０００およびＡＳＰサーバ２９０００に送信する。
【０５０１】
＜第３の具体的な実現例のまとめ＞
（電子機器４９００）
（１）以上のように、電子機器４９００は、少なくとも、表示制御部４９１１と、検知部４９１３と、生成部４９１４と、送信部４９１５と、受信部４９１６とを備える。送信部４９１５は、ウェブページ情報（つまり、第１広告を含むウェブページを表示するための情報）の送信を要求する要求信号を、検索用サーバ２８０００に送信する。受信部４９１６は、上記要求信号の送信に基づき、上記ウェブページ情報と、第１広告に対応付けられたサーバ特定情報とを、検索用サーバ２８０００から受信する。
【０５０２】
表示制御部４９１１は、上記ウェブページ情報に基づき、第１広告を含むウェブページを液晶パネル１４０に表示させる。検知部４９１３は、液晶パネル１４０に表示されたウェブページにおける上記第１広告を選択する入力を電子機器４９００が受付けたこと検知する。生成部４９１４は、当該検知に基づき、サーバ特定情報により特定されるサーバ（つまりＡＳＰサーバ２９０００）を送信先とする信号（以下、「信号Ｑ」と称する）を生成する。
【０５０３】
上記検知がなされた場合、送信部４９１５は、さらに、生成部４９１４で生成された上記信号Ｑを検索用サーバ２８０００を介してＡＳＰサーバ２９０００に送信する。上記検知がなされた場合、受信部４９１６は、当該信号Ｑの送信に基づき、さらに、ＡＳＰサーバ２９０００から、上記選択された第１広告が示す情報よりも詳細な情報を含んだ詳細広告画像データを受信する。表示制御部４９１１は、詳細広告画像データに基づく詳細広告を液晶パネル２４０に表示させる。
【０５０４】
したがって、電子機器４９００は、第１広告を液晶パネル１４０に表示させる。また、第１広告が選択されたことに基づき、電子機器４９００は、当該第１広告に関連する詳細広告を液晶パネル２４０に表示させる。それゆえ、電子機器４９００は、液晶パネル１４０とは異なる液晶パネル２４０にユーザが希望する広告（つまり、第１広告に関連する詳細広告）を表示可能となる。
【０５０５】
（２）生成部４９１４は、上記信号Ｑとして、少なくとも、液晶パネル２４０の識別情報を含んだ信号を生成する。送信部４９１５は、検索用サーバ２８０００を介してＡＳＰサーバ２９０００に、液晶パネル２４０の識別情報を含んだ信号を送信する。受信部４９１６は、詳細広告画像データとして、液晶パネル２４０の識別情報に基づきＡＳＰサーバ２９０００において生成された画像データを、ＡＳＰサーバ２９０００から受信する。
【０５０６】
したがって、電子機器４９００は、液晶パネル２４０の識別情報に基づきＡＳＰサーバ２９０００において生成された詳細広告画像データを、液晶パネル２４０に詳細広告として表示することができる。液晶パネル２４０の識別情報に基づいた当該液晶パネル２４０のデバイス情報を用いて詳細広告画像データが生成される場合、電子機器４９００は、液晶パネル２４０に適したサイズ等を有する詳細広告画像データを受信することができる。
【０５０７】
（３）電子機器４９００は、液晶パネル２４０に表示された詳細広告を選択する入力を電子機器４９００が受付けたことを検知する検知部４９１７をさらに備える。生成部４９１４は、当該入力の検知に基づき、当該選択されたことを示す情報と上記液晶パネル２４０の識別情報とを含んだ信号を生成する。送信部４９１５は、当該生成された信号をＡＳＰサーバ２９０００に送信する。上記入力は、たとえば、液晶パネル２４０のパネル面（タッチパネル面）に対する入力である。
【０５０８】
このように、電子機器４９００は、詳細広告が選択されたことを示す情報以外に、液晶パネル２４０の識別情報をＡＳＰサーバ２９０００に送信できる。したがって、ＡＳＰサーバ２９０００の所有者は、液晶パネル２４０の識別情報の受信の有無に基づき、広告効果を判断できる。また、ＡＳＰサーバ２９０００が端末装置２７０００に上記実績データを送信することにより、端末装置２７０００は、当該実績に応じた報酬を示す報酬データを、検索用サーバ２８０００およびＡＳＰサーバ２９０００に送信できる。
【０５０９】
（検索用サーバ２８０００）
検索用サーバ２８０００は、少なくとも、受信部２８０１１と送信部２８０１２とを備える。送信部２８０１２は、ウェブページ情報を送信することを要求する要求信号を電子機器４９００から受信したことに基づき、ウェブページ情報とサーバ特定情報とを、電子機器４９００に送信する。受信部２８０１１は、当該送信に基づき、電子機器４９００から、少なくとも液晶パネル１４０の識別情報と液晶パネル２４０の識別情報とを含んだ信号を受信する。送信部２８０１２は、当該受信に基づき、液晶パネル１４０の識別情報と液晶パネル２４０の識別情報をＡＳＰサーバ２９０００に送信する。
【０５１０】
したがって、電子機器４９００は、ウェブページ情報とサーバ特定情報とを検索用サーバ２８０００から受信できる。それゆえ、電子機器４９００は、第１広告を含んだウェブページを表示可能となる。
【０５１１】
また、ＡＳＰサーバ２９０００は、液晶パネル１４０の識別情報と液晶パネル２４０の識別情報とを含んだ信号を受信できる。それゆえ、ＡＳＰサーバ２９０００は、液晶パネル２４０に適した詳細広告画像データを生成することができる。このため、電子機器４９００は、液晶パネル２４０に適した詳細広告画像データを受信できる。
【０５１２】
（ＡＳＰサーバ２９０００について）
ＡＳＰサーバ２９０００は、少なくとも、送信部２９０１１と、受信部２９０１２と、生成部２９０１３とを備える。受信部２９０１２は、電子機器４９００から、検索用サーバ２８０００を介して、電子機器４９００において上記第１広告が選択されたことを示した情報と、液晶パネル１４０の識別情報と、液晶パネル２４０の識別情報とを受信する。生成部２９０１３は、液晶パネル２４０の識別情報で特定される液晶パネル２４０のデバイス情報に基づいて、上記オリジナル画像データから上記詳細広告画像データを生成する。送信部２９０１１は、当該詳細広告画像データを電子機器４９００に送信する。
【０５１３】
したがって、ＡＳＰサーバ２９０００は、液晶パネル２４０に適した詳細広告画像データを生成することができる。それゆえ、電子機器４９００は、液晶パネル２４０に適した詳細広告画像データを受信できる。
【０５１４】
＜電子機器４９００の変形例＞
（第１の変形例）
図６０は、電子機器４９００の変形例である電子機器６０００の機能ブロックを示した図である。図６０を参照して、電子機器６０００は、制御部６０１０と、液晶パネル１４０，２４０と、記憶装置９０Ａとを備える。
【０５１５】
記憶装置９０Ａは、ＲＡＭ１７１やハードディスク（図示せず）により構成される。記憶装置９０Ａは、記憶装置９０が格納している情報以外に、電子機器６０００のユーザの指紋を示す画像データ（以下、「指紋画像データ」と称する）と当該ユーザの属性を示す属性情報とを当該ユーザ毎に関連付けてさらに格納している。「属性情報」とは、ユーザの年齢、性別、住所、職業などを示す情報である。属性情報は、たとえば、電子機器６０００へのユーザ入力により記憶装置９０Ａに格納される。
【０５１６】
制御部６０１０は、表示制御部４９１１と、スキャン部４９１２と、検知部４９１３と、生成部４９１４と、送信部４９１５と、受信部４９１６と、検知部４９１７と、判断部４９１８とを備える。制御部６０１０は、判断部４９１８を備える点において、電子機器４９００の制御部４９１０と異なる。
【０５１７】
判断部４９１８は、スキャン部４９１２から送られてくるスキャンデータを受付ける。判断部４９１８は、スキャンデータに一致する指紋画像データが記憶装置９０Ａに格納されているか否かを判断する。判断部４９１８がスキャンデータに一致する指紋データが格納されていると判断した場合、判断部４９１８は、一致したと判断した指紋画像データに関連付けて格納された属性情報を記憶装置９０Ａから読み出す。判断部４９１８は、読み出した属性情報を生成部４９１４に送る。
【０５１８】
生成部４９１４は、検索用サーバ２８０００に送信するための上述した信号に、上記属性情報を含める。送信部４９１５は、上記属性情報を含んだ信号を検索用サーバ２８０００に送信する。このように、スキャンデータに一致する指紋データを記憶装置９０Ａが格納していると判断された場合、送信部４９１５は、スキャンデータに一致したと判断された指紋データに関連付けされた属性情報をＡＳＰサーバ２９０００に送信する。
【０５１９】
このように、電子機器６０００は、詳細広告を選択したことを示す情報と、液晶パネル２４０の識別情報と、詳細広告を選択したユーザの属性情報とを、ＡＳＰサーバ２９０００に送信する。したがって、ＡＳＰサーバ２９０００は、詳細広告を選択したユーザの属性情報についても取得できる。ＡＳＰサーバ２９０００の所有者は、当該取得した属性情報を、たとえばマーケティングの資料として活用できる。
【０５２０】
（第２の変形例）
図６１は、電子機器４９００の他の変形例である電子機器６１００の機能ブロックを示した図である。図６１を参照して、電子機器６１００は、制御部６１１０と、液晶パネル１４０，２４０と、記憶装置９０とを備える。制御部６１１０は、表示制御部４９１１と、スキャン部４９１２と、検知部４９１３と、生成部４９１４と、送信部４９１５と、受信部４９１６と、検知部４９１７と、検知部４９１９とを備える。制御部６１１０は、検知部４９１９を備える点において、電子機器４９００の制御部４９１０と異なる。
【０５２１】
検知部４９１９は、予め定められた時間にわたり電子機器６１００を操作するための入力を受付けていないことを検知する。検知部４９１９は、たとえば１分間、キー操作入力およびタッチパネルに対する操作入力を受付けていないことを検知する。第１広告１４１１を含むウェブページ１４０２が液晶パネル１４０に表示されている場合（図５４参照）、検知部４９１９による検知がなされたとき、表示制御部４９１１は、上記詳細広告画像データに基づく詳細広告を液晶パネル２４０に表示させる。
【０５２２】
したがって、第１広告１４１１を含むウェブページ１４０２が液晶パネル１４０に表示されている状態において、予め定められた時間にわたりユーザからのキー操作や液晶パネル１４０，２４０を介した入力を受付けていないことを条件に、電子機器４９００は詳細広告を液晶パネル２４０に表示する。
【０５２３】
それゆえ、ユーザが電子機器６１００を操作していないと思われる状態において、電子機器６１００は、上記詳細広告を液晶パネル２４０に表示できる。その結果、電子機器６１００は、広告効果が得やすいタイミングで広告を表示可能となる。
【０５２４】
（第３の変形例）
電子機器４９００の表示制御部４９１１と受信部４９１６とを、それぞれ以下に述べる構成としてもよい。表示制御部４９１１は、第１コマンドを受付けた場合に液晶パネル２４０の表示をオンとし、第２コマンドを受付けた場合に液晶パネル２４０の表示をオフとする機能を備える。
【０５２５】
表示制御部４９１１が上記第２コマンドを受付けることによって液晶パネル２４０の表示がオフとなっている状態で、受信部４９１６が上記広告画像データを受信したとき、受信部４９１６は、上記第１コマンドを表示制御部４９１１に送信する。表示制御部４９１１は、当該第１コマンドに基づいて、上記詳細広告画像データに基づく広告を液晶パネル２４０に表示させる。
【０５２６】
したがって、電子機器４９００は、液晶パネル２４０の表示機能をオフ状態としている場合であっても、検索用サーバ２８０００から詳細広告画像データを受信した場合には、当該表示機能をオンとする。それゆえ、ユーザが、液晶パネル２４０の表示機能がオフ状態に設定した場合であっても、電子機器４９００は、詳細広告画像データを受信した場合には、液晶パネル２４０に広告を表示できる。その結果、液晶パネル２４０の表示機能がオフ状態に設定されている場合であっても、ユーザは、液晶パネル２４０で詳細広告を視認することができる。
【０５２７】
＜通信システム１Ｂの変形例＞
（第１の変形例）
通信システム１Ｂにおいては、ＡＳＰサーバ２９０００は、検索用サーバ２８０００を介することなく電子機器４９００に詳細広告画像データを送信した（図５５のステップＳ１０参照）。しかしながら、このような構成に限定されない。ＡＳＰサーバ２９０００は、検索用サーバ２８０００を介して電子機器４９００に詳細広告画像データを送信してもよい。
【０５２８】
つまり、検索用サーバ２８０００の送信部２８０１２が上記ハードウェア環境情報を含んだ信号を送信した場合、検索用サーバ２８０００の受信部２８０１１は、液晶パネル２４０の識別情報に基づきＡＳＰサーバ２９０００で生成された詳細広告画像データを、ＡＳＰサーバ２９０００から受信する。そして、送信部２８０１２は、受信部２８０１１が受信した詳細広告画像データを、電子機器４９００に送信する。
【０５２９】
このような構成によっても、電子機器４９００は、液晶パネル１４０とは異なる液晶パネル２４０にユーザが希望する広告（つまり、第１広告に関連する詳細広告）を表示可能となる。
【０５３０】
（第２の変形例）
図６２は、通信システム１Ｂの他の変形例におけるシーケンスを示した図である。図６２を参照して、ステップＳ３０２において、電子機器４９００は、上記ハードウェア環境情報を含めた上記要求信号を、検索用サーバ２８０００に送信する。ステップＳ３０４において、検索用サーバ２８０００は、上記ハードウェア環境情報をＡＳＰサーバ２９０００に送信する。ステップＳ３０６において、検索用サーバ２８０００は、上記ウェブページ情報を電子機器４９００に送信する。ステップＳ３０８において、ＡＳＰサーバ２９０００は、詳細広告画像データを電子機器４９００に送る。
【０５３１】
ステップＳ３１０において、電子機器４９００は、上記詳細広告が選択されたことを示す情報と、液晶パネル２４０の識別情報と含む信号を、ＡＳＰサーバ２９０００に送信する。ステップＳ３１２において、ＡＳＰサーバ２９０００は、上記実績データを端末装置２７０００に送信する。ステップＳ３１４において、端末装置２７０００は、上記報酬データをＡＳＰサーバ２９０００に送信する。ステップＳ３１６において、端末装置２７０００は、当該報酬データを検索用サーバ２８０００に送信する。
【０５３２】
なお、図６２に示したシーケンス図においては、ＡＳＰサーバ２９０００は、検索用サーバ２８０００を介せずに詳細広告画像データを電子機器４９００に送信した。しかしながら、これに限定されず、ＡＳＰサーバ２９０００は、検索用サーバ２８０００を介して詳細広告画像データを電子機器４９００に送信してもよい。この場合、検索用サーバ２８０００は、ウェブページ情報と詳細広告画像データとを同じタイミングで電子機器４９００に送信してもよい。
【０５３３】
このような通信システムを構成する電子機器４９００の受信部４９１６および表示制御部４９１１は、上述した処理に加えて以下の処理を行なう。送信部４９１５が、上記ハードウェア環境情報を含んだ要求信号を送信したことに基づき、受信部４９１６は、さらに、上記サーバ特定情報に基づき特定されるＡＳＰサーバ２９０００から、上記詳細広告画像データを受信する。検知部４９１３が、液晶パネル１４０に表示された第１広告を選択する入力を電子機器４９００が受付けたこと検知した場合、表示制御部４９１１は、上記詳細広告画像データに基づく詳細広告を液晶パネル２４０に表示させる。
【０５３４】
図６３は、当該通信システムを構成する電子機器４９００における制御構造を示した図である。図６３を参照して、ステップＳ３２２において、電子機器４９００は、上記ハードウェア環境情報を含めた要求信号を検索用サーバ２８０００に送信する。ステップＳ３２４において、電子機器４９００は、ウェブページ情報を検索用サーバ２８０００から受信する。ステップＳ３２６において、電子機器４９００は、詳細広告画像データをＡＳＰサーバ２９０００から受信する。ステップＳ３２８において、電子機器４９００は、液晶パネル１４０に表示した第１広告が選択されたか否かを判断する。
【０５３５】
電子機器４９００は、第１広告を選択したと判断した場合（ステップＳ３２８においてＹＥＳ）、ステップＳ３３０において、電子機器４９００は、上記詳細広告が選択されたか否かを判断する。一方、電子機器４９００は、第１広告を選択したと判断しなかった場合（ステップＳ３２８においてＮＯ）、ステップＳ３３４において、ウェブブラウザを終了するための入力を受付けたか否かを判断する。電子機器４９００は、入力を受付けたと判断した場合（ステップＳ３３４においてＹＥＳ）、一連の処理を終了する。一方、電子機器４９００は、入力を受付けていないと判断した場合（ステップＳ３３４においてＮＯ）、処理をステップＳ３２８に戻す。
【０５３６】
電子機器４９００は、詳細広告が選択されたと判断した場合（ステップＳ３３０においてＹＥＳ）、ステップＳ３３２において、上記詳細広告が選択されたことを示す情報と液晶パネル２４０の識別情報と含む信号をＡＳＰサーバ２９０００に送信する。一方、詳細広告が選択されなかったと判断した場合（ステップＳ３３０においてＮＯ）、電子機器４９００は、一連の処理を終了する。
【０５３７】
このような構成においても、電子機器４９００は、液晶パネル１４０とは異なる液晶パネル２４０にユーザが希望する広告（つまり、第１広告に関連する詳細広告）を表示可能となる。
【０５３８】
＜その他＞
（１）液晶パネル２４０の製造メーカは、仕様（画面サイズ、解像度、表示色など）が異なる様々なタイプの液晶パネル２４０を、電子機器４９００を組み立てるセットメーカに供給する。このようなに仕様の異なる様々な液晶パネル２４０が市場に流通するような状況下において、本実施の形態において説明した広告の提供手法は、高い広告効果を得るための手法であるといえる。
【０５３９】
（２）上述した実施の形態においては、ＡＳＰサーバ２９０００は、端末装置２７０００に対して、上述した実績データを送信する。そして、端末装置２７０００は、当該実績データに応じた報酬データをＡＳＰサーバ２９０００および検索用サーバ２８０００に送る。
【０５４０】
このような構成の場合、実績データが正しい実績を示したデータであるか否かが問題となる場合もある。当該問題の発生を防ぐためには、たとえば、ＡＳＰサーバ２９０００と端末装置２７０００とを物理的に１つの装置に実装すればよい。この場合、液晶パネル２４０を販売している会社がＡＳＰサーバ２９０００と端末装置２７０００とを一体化して運営し、かつ広告主が当該会社に広告を持ち込めば、当該会社は広告主から利益を得ることができる。
【０５４１】
また、実績データの正当性を広告主が監視できるような装置を通信システム１Ｂがさらに備えることによっても、上記問題の発生を防ぐことができる。
【０５４２】
＜＜第４の具体的な実現例＞＞
＜広告表示に関する機能について＞
電子機器６５００は、ネットワークを通じて接続されるサーバからウェブページ等のコンテンツをダウンロードし、ウェブページの閲覧等のコンテンツの再生をすることができる。このように、電子機器６５００を用いたコンテンツの再生を行なうためのシステムについて、図６４を参照して説明する。
【０５４３】
電子機器６５００は、電子機器１００と同様に、図１〜図１８に示した構成および機能を備えている。したがって、図１〜図１８に基づいて説明した内容については、ここでは繰り返さない。
【０５４４】
図６４を参照して、ネットワーク上のサーバ６４０１には、広告主６４０２から広告情報が送信され、サーバ６４０１では、コンテンツに、バナー等の態様で広告情報が合成される。そして、広告情報と合成されたコンテンツを、電子機器６５００がダウンロードし、当該電子機器６５００において再生する。図６４では、液晶パネル１４０に、コンテンツの再生画面であるウェブページの表示画面１４１０が表示されている。表示画面１４１０には、広告情報の一例であるバナー広告１４１２が含まれている。
【０５４５】
電子機器６５００では、第１ユニット１００１においてダウンロードされたコンテンツが再生されるとともに、当該コンテンツに広告情報が含まれていると判断されると、当該コンテンツの情報を処理する。電子機器６５００は、当該処理により、当該コンテンツから広告情報を抽出して、液晶パネル２４０に表示させる。図６４では、液晶パネル２４０には、バナー広告１４１２に対応する画像２４４１が表示されている。
【０５４６】
図６５は、電子機器６５００の機能構成を模式的に示す図である。図６５を参照して、電子機器６５００の機能構成を説明する。
【０５４７】
上記したように、電子機器６５００は、第１ユニット１００１と第２ユニット１００２を含む。
【０５４８】
第１ユニット１００１は、その機能として、オペレーションシステム１０１１、通信用アプリケーション１０１２、およびサブ画面連携用アプリケーション１０１３の他、複数のアプリケーション（ウェブブラウザ１０１４、アプリケーション１０１５，１０１６等）を含む。第１ユニット１００１において、図６５に示された各アプリケーション等の機能は、たとえば、各アプリケーションのプログラムが本体装置１０１にインストールされ、各プログラムをＣＰＵ１１０が実行することによって実現される。
【０５４９】
第２ユニット１００２は、その機能として、オペレーションシステム１０２１、通信用アプリケーション１０２２、およびソース記述用アプリケーション１０２３の他、複数のアプリケーション（ウェブブラウザ１０２４、アプリケーション１０２５，１０２６等）を含む。第２ユニット１００２において、図６５に示された各アプリケーション等の機能は、たとえば、本体装置１０４に各アプリケーションのプログラムがインストールされ、当該プログラムがＣＰＵ２１０によって実行されることにより、実現される。
【０５５０】
電子機器６５００では、第１ユニット１００１の本体装置１０１と第２ユニット１００２の本体装置１０４とは、通信用アプリケーション１０１２と通信用アプリケーション１０２２とによって、コマンド等の各種のデータの通信を行なっている。
【０５５１】
上記したように、電子機器６５００では、本体装置１０１は、ダウンロードしたコンテンツに広告情報が含まれている場合には、当該広告情報を第２ユニット１００２の液晶パネル２４０で表示させるための処理（サブ画面広告表示処理）を実行する。ここで、サブ画面広告表示処理の内容について、当該処理のフローチャートである図６６を参照して説明する。
【０５５２】
図６６を参照して、サブ画面広告表示処理では、ＣＰＵ１１０は、まずステップＳＡ１０で、操作キー１７７に対する操作等に基づいてサーバ６４０１からダウンロードしたコンテンツのデータの中に広告情報が含まれているか否かを判断し、含まれていると判断するとステップＳＡ２０へ処理を進める。当該コンテンツのデータとしては、たとえばＨＴＭＬ（HyperText  Markup  Language）データが挙げられる。当該コンテンツデータは、ＲＡＭ１７１に一時的に記憶される。
【０５５３】
ここで、ＣＰＵ１１０は、広告情報の有無の判断として、たとえば、コンテンツデータとしてＨＴＭＬデータをダウンロードした場合であれば、広告情報を表わすタグが、ダウンロードしたＨＴＭＬデータに含まれているか否かを判断する。
【０５５４】
より具体的には、ＣＰＵ１１０は、当該ダウンロードしたデータ中に、「<!--  start  ad  #nnnn  -->」と「<!--  end  ad  #nnnn  -->」で挟まれた部分があるか否かを判断する。「<!--  start  ad  #nnnn  -->」は、広告タグの開始タグの一例であり、「<!--  end  ad  #nnnn  -->」は、広告タグの終了タグの一例である。広告タグの具体的な記述については、これらに限定されるものではなく、図６４に示したサーバ６４０１と電子機器６５００との間で共通のものであればよい。
【０５５５】
なお、本実施の形態では、ＨＴＭＬデータ中に広告情報が当該広告情報を抽出できる態様で含まれていればよく、必ずしも上記のように広告タグに挟まれて記憶されていなくてもよい。ＨＴＭＬデータ中の広告情報を認識することができれば既存の他の態様でもよく、たとえば、既存の（標準規格のある）画像タグやアプレットタグにおいて広告コンテンツである画像や動画等を指定する記述を含み、そのファイル名等に、広告情報と認識することができるように予め定められた規則に従ったものを含める、という態様が挙げられる。当該態様において、ＣＰＵ１１０は、ＨＴＭＬデータの記述を解析することにより、画像タグやアプレットタグで指定されるファイル名に上記規則に従った記述が含まれるか否か判断する。ＣＰＵ１１０は、当該判断により、ＨＴＭＬデータに広告情報が含まれるか否かを判断することができる。
【０５５６】
図６７に、ＣＰＵ１１０がダウンロードしたＨＴＭＬデータの一例を示す。図６７に示されたＨＴＭＬデータには、記述ＤＥ０１として示されるように、広告の開始タグと終了タグが含まれ、そして、これらに挟まれた記述が含まれている。
【０５５７】
図６７に示すようなＨＴＭＬデータをＣＰＵ１１０がダウンロードした場合には、ＣＰＵ１１０は、ダウンロードしたデータに広告情報が含まれていると判断して、ステップＳＡ２０へと処理を進める。
【０５５８】
ステップＳＡ２０では、ＣＰＵ１１０は、広告表示用ソース記述生成コマンドを第２ユニット１００２へ送信して、処理を終了する。
【０５５９】
広告表示用ソース記述生成コマンドとは、液晶パネル２４０に、ダウンロードしたＨＴＭＬデータに含まれる広告情報を表示するための記述を生成させるためのコマンドである。図６８に、広告表示用ソース記述生成コマンド（種別「１１０」）の構成を、模式的に示す。
【０５６０】
図６８を参照して、広告表示用ソース記述生成コマンドは、「ウィンドウ識別情報」「ウィンドウ内識別情報」「広告用データ」の３つのフィールドを有する。
【０５６１】
「ウィンドウ識別情報」は、本体装置１０１において起動されている（単数または複数の）アプリケーションについて、各アプリケーションを特定する情報である。
【０５６２】
「ウィンドウ内識別情報」は、各アプリケーションについて表示されるべき単数または複数の広告について、各広告を特定する情報である。
【０５６３】
「広告用データ」は、各広告を表示するための具体的なデータである。
なお、「広告用データ」とは、上記した広告タグの開始タグと終了タグで挟まれたデータである。
【０５６４】
図６７に示されたＨＴＭＬデータをＣＰＵ１１０がサーバ６４０１から受信した場合には、広告用データとしては、次の記述が、広告表示用ソース記述生成コマンドに含められる。
【０５６５】
<a  herf="http://ad.address/"  border="0">
<img  src="http://ad.address/img/ad.jpg  "width="xxx"  height="yyy">
</a>
ＣＰＵ１１０は、広告表示用ソース記述生成コマンドを第２ユニット１００２に送信する場合、ヘッダＤＡ０１（図７参照）に、コマンドの種別（「１１０」）、コマンドの送信先等を書き込む。ＣＰＵ１１０は、第１フィールドＤＡ０２に、処理対象となっているアプリケーションを特定する情報として「ウィンドウ識別情報」の値を書き込む。
【０５６６】
ＣＰＵ１１０は、第２フィールドＤＡ０３に、処理対象となっているアプリケーションの表示ウィンドウ内の処理対象となっているバナー広告を特定する情報として「ウィンドウ内識別情報」の値を書き込む。
【０５６７】
ＣＰＵ１１０は、第３フィールドＤＡ０４に、処理対象となっているバナー広告を表示するためのデータとして「広告用データ」のデータを書き込む。
【０５６８】
図６９は、上記した広告表示用ソース記述生成コマンドを受信する第２ユニット１００２側の処理である広告表示用処理のフローチャートである。
【０５６９】
図６９を参照して、広告表示用処理では、ＣＰＵ２１０は、まずステップＳＢ１０で、第１ユニット１００１から広告表示用ソース記述生成コマンドを受信したか否かを判断し、受信したと判断するとステップＳＢ２０へ処理を進める。
【０５７０】
ステップＳＢ２０では、ＣＰＵ２１０は、受信した広告表示用ソース記述生成コマンドを用いて、広告表示用ソース記述を生成して、ステップＳＢ３０へ処理を進める。
【０５７１】
図７０に、ステップＳＢ２０において生成される広告表示用ソース記述の一例を示す。
図７０に示された記述の中の記述ＤＥ１１で示された部分は、第１ユニット１００１から、「広告用データ」として受信したデータが加工されて含められたものである。
【０５７２】
図６７の記述ＤＥ０１と図７０の記述ＤＥ１１とを比較すると、記述ＤＥ０１においてバナー広告の表示の大きさを表わす「"width="xxx"  height="yyy"」の部分が、記述ＤＥ１１では、「"width="xxx1"  height="yyy1"」とされている。なお、幅「xxx1」と高さ「yyy1」は、液晶パネル２４０の表示領域の寸法に対応している。つまり、ステップＳＢ２０では、ＣＰＵ２１０は、上記のようにバナー広告の表示の大きさについての記述を変更（加工）することにより、液晶パネル１４０において表示されていたバナー広告を、液晶パネル２４０の表示領域の寸法に対応した大きさに変更することとなる。
【０５７３】
なお、このような表示の大きさの変更については、ＣＰＵ２１０は、バナー広告の縦横比を変更して液晶パネル２４０の表示領域全面にバナー広告に対応する画像が表示されるようにしてもよい。また、ＣＰＵ２１０は、縦横比を維持しつつ最大限バナー広告の画像が液晶パネル２４０の表示領域に表示されるようにしてもよい。
【０５７４】
また、図７０の記述ＤＥ１１を図６７の記述ＤＥ０１と比較すると、記述ＤＥ１１では、「whichtarget="main"」という記述が追加されている。
【０５７５】
この記述は、リンク先（「a  herf=」以降に記述される「http://ad.address/」部分）を、第１ユニット１００１の液晶パネル１４０（メイン画面）に表示させることを意味する記述である。
【０５７６】
ステップＳＢ２０においてこの記述が追加されることにより、後述するように、当該広告表示用ソース記述に従った表示が液晶パネル２４０（サブ画面）においてなされているときに、当該液晶パネル２４０に対してタッチ操作がなされると、液晶パネル１４０は当該リンク先のページを表示することとなる。
【０５７７】
ステップＳＢ２０で広告表示用ソース記述を生成した後、ＣＰＵ２１０は、ステップＳＢ３０で、直前のステップＳＢ２０で生成した広告表示用ソース記述を実行して、ステップＳＢ４０へ処理を進める。
【０５７８】
これにより、ステップＳＢ３０では、図７０に示された記述全体が実行されることにより、液晶パネル２４０に画像２４４１が表示される。
【０５７９】
図６４を参照して、画像２４４１は、液晶パネル１４０のバナー広告１４１２の画像が、液晶パネル２４０の表示領域の寸法に合わせて拡大された画像となっている。このように、バナー広告１４１２と画像２４４１の縦横の寸法が異なるのは、上記したように、記述ＤＥ１１において、記述ＤＥ０１に対して画像の表示の大きさについてのデータが加工されていることに基づく。
【０５８０】
ステップＳＢ３０の処理の後、ＣＰＵ２１０は、液晶パネル２４０に対してタッチ操作がなされたか否かを判断し、なされたと判断するとステップＳＢ５０へ処理を進める。
【０５８１】
ステップＳＢ５０では、ＣＰＵ２１０は、メイン画面への表示コマンドを生成して第１ユニット１００１へ送信して、処理を終了させる。
【０５８２】
メイン画面表示コマンドの構成を、図７１に模式的に示す。
図７１を参照して、メイン画面への表示コマンドは、種別「１１１」のコマンドである。メイン画面への表示コマンドは、広告表示用ソース記述において第１ユニット１００１の液晶パネル１４０に表示させることを要求するリンク先（図７０の記述ＤＥ１１中の「http://ad.address/」）のＵＲＬ（Uniform  Resource  Locator）アドレスを含み、第１ユニット１００１に対して、当該リンク先のＵＲＬアドレスのページを液晶パネル１４０に表示させることを指示するコマンドである。
【０５８３】
第１ユニット１００１では、当該メイン画面への表示コマンドを受信すると、当該コマンドの中のリンク先のＵＲＬアドレスにアクセスし、当該アドレスに保存されたページが液晶パネル１４０に表示される。
【０５８４】
以上、図６６を主に参照して説明したサブ画面広告表示処理は、第１ユニット１００１のサブ画面連携用アプリケーション１０１３によって主に実現される。サブ画面連携用アプリケーション１０１３は、ウェブブラウザ１０１４が起動されているときにこれとともに起動され、または、オペレーションシステム１０１１と同様に第１ユニット１００１に常駐しているものとする。
【０５８５】
また、図６９を主に参照して説明した広告表示用処理は、主にソース記述用アプリケーション１０２３によって実現される。ソース記述用アプリケーション１０２３は、第２ユニット１００２において常駐していてもよいし、第１ユニットから広告表示用ソース記述生成コマンドを受信したことに基づいてオペレーションシステム１０２１が起動させるように構成されていてもよい。
【０５８６】
そして、これらの処理が実行されることにより、本実施の形態の電子機器６５００では、ウェブブラウザが起動されている期間中、液晶パネル１４０に表示されるべき当該ウェブブラウザの閲覧画面に含まれるバナー広告が、液晶パネル２４０にも表示される。
【０５８７】
＜広告表示に関する機能の第１の変形例＞
図６４等を参照して説明した広告表示に関する機能では、液晶パネル１４０にウェブページにおいて１つのバナー広告１４１２が表示される例について説明したが、図７２（Ａ）に示されるように、液晶パネル１４０にバナー広告１４１２とバナー広告１４１３のように複数のバナー広告が含まれる場合には、第１ユニット１００１では、各バナー広告について、広告表示用ソース記述生成コマンドが生成される。
【０５８８】
そしてこの場合、第２ユニット１００２において実行される広告表示用処理では、各バナー広告について広告表示用ソース記述が生成され、それらの記述が、一定時間ごとに交代で、実行される。
【０５８９】
これにより、液晶パネル２４０では、図７２（Ｂ）に示されるように、表示される画像が、バナー広告１４１２に対応した画像２４４１と、バナー広告１４１３に対応した画像２４４３が、一定時間ごとに入換えられて、表示される。
【０５９０】
画像２４４１が表示されているときに液晶パネル２４０に対してタッチ操作がなされれば、第２ユニット１００２は、画像２４４１に対応するバナー広告１４１２のリンク先のページを表示するためのコマンド（メイン画面への表示コマンド）を第１ユニット１００１に送信する。また、画像２４４３が表示されている状態で液晶パネル２４０に対してタッチ操作がなされた場合には、第２ユニット１００２は、画像２４４３に対応するバナー広告１４１３のリンク先にアクセスすることを指定するコマンド（メイン画面への表示コマンド）を第１ユニット１００１に送信する。
【０５９１】
＜広告表示に関する機能についての第２の変形例＞
図７３では、電子機器６５００において表計算アプリケーションが、起動され、液晶パネル１４０に、当該表計算アプリケーションの表示画面１４２０が表示されている状態が示されている。
【０５９２】
ここで、第１ユニット１００１では、当該表計算アプリケーションとともにウェブブラウザも起動しているが、表計算アプリケーションのみがアクティブな状態にあるものとする。つまり、液晶パネル１４０の表示画面１４２０の裏側には、図７４に概念的に示すように、ウェブブラウザの表示画面１４１０が隠れているような状態となっている。
【０５９３】
電子機器６５００では、このように、ウェブブラウザが起動され、当該ウェブブラウザの閲覧画面にはバナー広告１４１２が含まれるが、当該閲覧画面の上に、他のアプリケーションの画面が表示されている。このため、第１ユニット１００１は、当該バナー広告を含むページが表示されていない、という場合が発生したことを検出した場合でも、図６６を参照して説明した広告表示用ソース記述生成コマンドを第２ユニット１００２に送信して、液晶パネル２４０に、当該バナー広告１４１２に対応する画像２４４１を表示させることができる。
【０５９４】
第１ユニット１００１では、たとえば、サブ画面連携用アプリケーション１０１３が、オペレーションシステム１０１１のＡＰＩ（Application  Program  Interface）を呼び出し、液晶パネル１４０に表示されているウィンドウに関する情報を取得することによって、上記場合が発生したと検出される。具体的には、サブ画面連携用アプリケーション１０１３は、ＡＰＩから取得した情報において、ｉ）ウェブブラウザ１０１４が起動している、ｉｉ）ウェブブラウザ１０１４以外のアプリケーションが起動されておりアクティブ状態にある、ｉｉｉ）当該アプリケーション（ウェブブラウザ１０１４以外のアプリケーション）のウィンドウ（表示画面）が液晶パネル１４０の全画面に表示されている、というｉ）〜ｉｉｉ）の条件がすべて満たされたときに、上記場合が発生したと検出される。
【０５９５】
＜広告表示に関する機能についての第３の変形例＞
図７５は、液晶パネル１４０の表示画面の一例を示す。図７５では、電子機器６５００において表計算アプリケーションとウェブブラウザが起動され、液晶パネル１４０に、当該表計算アプリケーションの表示画面１４２０とウェブブラウザの表示画面１４１０が表示されている状態が示されている。ここで、第１ユニット１００１では、表計算アプリケーションのみがアクティブな状態にあるものとする。
【０５９６】
図７５の液晶パネル１４０では、表計算アプリケーションの表示画面１４２０が、ウェブブラウザの表示画面１４１０の上に、その一部が重なるように表示されている。なお、表示画面１４１０の、表示画面１４２０が重ねられることによって隠れている部分には、図７２（Ａ）等に示されているように、バナー広告１４１２が含まれるものとする。
【０５９７】
電子機器６５００では、このように、ウェブブラウザが起動され、当該ウェブブラウザの閲覧画面にはバナー広告１４１２が含まれるが、当該閲覧画面中のバナー広告１４１２が表示されるべき位置に、他のアプリケーションの画面が表示されている。このため、第１ユニット１００１は、当該バナー広告１４１２がユーザに見えるように表示されていない、という場合が発生しことを検出した場合でも、図６６を参照して説明した広告表示用ソース記述生成コマンドを第２ユニット１００２に送信する。これにより、液晶パネル２４０に、当該バナー広告１４１２に対応する画像２４４１を表示させることができる。
【０５９８】
第１ユニット１００１では、たとえば、サブ画面連携用アプリケーション１０１３が、オペレーションシステム１０１１のＡＰＩを呼び出し、液晶パネル１４０に表示されているウィンドウに関する情報を取得することによって、上記場合が発生したと検出する。
【０５９９】
具体的には、サブ画面連携用アプリケーション１０１３は、上記場合の発生を、ＡＰＩから取得した情報に基づいて、以下のａ）〜ｇ）に記載するような手順によって検出する。
【０６００】
ａ）ウェブブラウザ１０１４のウィンドウ（表示画面１４１０）の液晶パネル１４０中の表示位置を取得し、
ｂ）ウェブブラウザがページ取得アクションを起こすたびに流れてくるページ記述を取得すること等により、ウェブブラウザが表示させようとするウェブページのソース記述を取得し、そして、当該ウェブブラウザが利用しているレンダリングエンジンを呼び出して、当該ウェブページの画像生成動作を行ない、当該生成されたウェブページの画像の中の、上記した広告タグで挟まれた部分の座標を取得し、
ｃ）ＡＰＩから取得した情報から、ウェブページの全体（仮想ウェブページ）の中の、ウェブブラウザが表示画面１４１０に現在表示させている範囲の相対位置（たとえば四隅の座標）を取得し、
ｄ）上記ｂ）で取得した広告タグで挟まれた部分の座標と、上記ｃ）で取得した相対位置とにより、表示画面１４２０内のバナー広告１４１２の座標情報を取得し、
ｅ）上記ａ）およびｄ）で取得した結果に基づいて、液晶パネル１４０上の、広告情報の表示されるべき座標情報（図７５の表示画面１４１０に表示画面１４２０が重ねられていなければバナー広告１４１２が表示されるべき位置の座標情報）を取得する。
【０６０１】
そして、ｆ）第１ユニット１００１においてウェブブラウザ１０１４以外に起動されているアプリケーションの表示画面（表示画面１４２０）の、液晶パネル１４０上の表示位置を、上記ＡＰＩから取得した情報の中から取得し、
ｇ）上記ｅ）およびｆ）の結果から、サブ画面連携用アプリケーション１０１３は、ウェブブラウザの表示画面１４１０上のバナー広告１４１２が、それ以外の表示画面１４２０によって隠されているか否かを判断する。
【０６０２】
＜広告表示に関する機能についての第４の変形例＞
図７６は、液晶パネル１４０の表示画面の一例を示す。図７６では、電子機器６５００において表計算アプリケーションとウェブブラウザが起動され、液晶パネル１４０に、ウェブブラウザの表示画面１４１０Ａが表示されている状態が示されている。
【０６０３】
図７６の表示画面１４１０Ａは、図７２（Ａ）等に示される表示画面１４１０と同じウェブページについての表示画面であるが、ウェブページ全体の中の表示対象とされる位置が異なるものであるとする。
【０６０４】
ウェブブラウザ１０１４の起動中に、液晶パネル１４０に表示画面１４１０が表示されている状態から、操作キー１７７に対して画面をスクロールするための操作がなされた等の場合に、ウェブブラウザ１０１４の液晶パネル１４０上の閲覧画面は、表示画面１４１０から表示画面１４１０Ａに変化する。このような表示内容の変化により、表示画面１４１０では液晶パネル１４０上に表示されていたバナー広告１４１２が、表示画面１４１０Ａでは液晶パネル１４０上に表示されなくなる。
【０６０５】
第１ユニット１００１では、表示対象とされるウェブページに含まれるが実際には液晶パネル１４０に表示されていないバナー広告１４１２が存在する、という場合が発生したことを検出した場合でも、図６６を参照して説明した広告表示用ソース記述生成コマンドを第２ユニット１００２に送信する。これにより、第１ユニット１００１は、液晶パネル２４０に、当該バナー広告１４１２に対応する画像２４４１を表示することができる。
【０６０６】
サブ画面連携用アプリケーション１０１３は、オペレーションシステム１０１１のＡＰＩを呼び出し、液晶パネル１４０に表示されているウィンドウに関する情報を取得することによって、上記場合が発生したと検出する。
【０６０７】
具体的には、サブ画面連携用アプリケーション１０１３は、上記場合の発生を、ＡＰＩから取得した情報に基づいて、上記ａ）〜ｄ）の手順を実行した後、上記ａ）およびｄ）で取得した結果に基づいて、上記した広告タグで挟まれた部分の画像が表示画面１４１０内にあるか否かを判断することにより、上記場合が発生したことを検出する。
【０６０８】
＜広告表示に関する機能についての第５の変形例＞
電子機器６５００では、第１ユニット１００１に入力デバイスとしてマウス等のポインティングデバイスが搭載されているときに、当該ポインティングデバイスのポイント位置が液晶パネル１４０に表示されるバナー広告１４１２上に位置した場合の発生を条件として、図６６を参照して説明した広告表示用ソース記述生成コマンドを第２ユニット１００２に送信する。これにより、電子機器６５００は、液晶パネル２４０に、当該バナー広告１４１２に対応する画像２４４１を表示することができる。
【０６０９】
サブ画面連携用アプリケーション１０１３は、オペレーションシステム１０１１のＡＰＩを呼び出し、液晶パネル１４０に表示されているウィンドウに関する情報を取得することによって、上記場合が発生したと検出する。
【０６１０】
具体的には、サブ画面連携用アプリケーション１０１３は、上記場合の発生を、ＡＰＩから取得した情報に基づいて、上記ａ）〜ｅ）の手順を実行することにより、液晶パネル１４０上のバナー広告１４１２の表示位置（座標）を取得し、そして、当該ＡＰＩから、ポインティングデバイスのポイント位置を取得し、そして、当該ポイント位置がバナー広告１４１２の表示位置と一致したか否かを判断することにより、上記場合が発生したことを検出する。
【０６１１】
＜広告表示に関する機能についての第６の変形例＞
以上説明した本実施の形態では、電子機器６５００において、第１ユニット１００１においてウェブブラウザが起動されている場合に、当該ウェブブラウザの閲覧対象となっているウェブページに広告タグ（開始タグおよび終了タグ）が含まれる場合、当該広告タグによって表示されるべき画像（バナー広告１４１２）に対応する画像（画像２４４１）が液晶パネル２４０に表示される。
【０６１２】
なお、このように画像２４４１を液晶パネル２４０に表示させる場合、第１ユニット１００１では、図７７に示されるように、広告表示用ソース記述（図７０参照）の作成までＣＰＵ１１０が行ない、作成した記述を第２ユニット１００２に送信し、そして、第２ユニット１００２に対し、液晶パネル２４０に対してタッチ操作があった旨のイベントの発生の検出を指示しても良い。
【０６１３】
図７７は、このような変形例においてＣＰＵ１１０が実行するサブ画面広告表示処理のフローチャートである。
【０６１４】
図７７を参照して、ＣＰＵ１１０は、ステップＳＡ１０において、ウェブページに広告情報が含まれているか否かを判断する。広告情報が含まれている場合には、ＣＰＵ１１０は、ステップＳＡ１１で、ステップＳＢ２０におけるＣＰＵ２１０と同様に広告表示用ソース記述を生成し、ステップＳＡ１２で、生成した当該記述を第２ユニット１００２へ送信する。
【０６１５】
また、ＣＰＵ１１０は、さらに、ステップＳＡ１３で、第２ユニット１００２に対し、液晶パネル２４０に対するタッチ操作の有無の検出を命令する情報を送信する。これにより、第２ユニット１００２では、画像２４４１が液晶パネル２４０に表示されている期間中に液晶パネル２４０に対してタッチ操作があった場合には、その旨のイベント発生を、第１ユニット１００１へ通知する。
【０６１６】
ステップＳＡ１４では、ＣＰＵ１１０は、このような通知を待ち、そして、当該通知があると、ＣＰＵ１１０は、ステップＳＡ１４からステップＳＡ１５へ処理を進める。
【０６１７】
ステップＳＡ１５では、広告表示用ソース記述に記述されたリンク先にアクセスする。
＜電子機器の構成の変形例＞
以上説明した本実施の形態において、液晶パネル２４０を含む表示装置１０３は、電子機器６５００に搭載されていても良いし、電子機器に対して着脱可能に構成されていても良い。
【０６１８】
図７８に、電子機器６５００の構成の中の、少なくとも第２ユニット１００２の構成を含む情報処理端末７８２００と、表示装置１０２に構成を含む電子機器７８１００とによって構成される情報処理システム７８０００を示す。
【０６１９】
情報処理端末７８２００は、たとえば、電子機器７８１００に設けられた凹部１００Ｄにはめ込まれるよう構成されている。
【０６２０】
凹部１００ＤにＵＳＢコネクタ１９４が設けられ、情報処理端末７８２００は、凹部１００Ｄにはめ込まれることによりＵＳＢコネクタ２９４がＵＳＢコネクタ１９４と接続され、これにより、電子機器７８１００から電力の供給を受けるように構成されていても良い。
【０６２１】
また、情報処理端末７８２００は、内部の各構成要素に電力を供給するための蓄電池等の電源を備えていても良い。
【０６２２】
また、情報処理端末７８２００は、通話機能等、種々の機能を備えることもできる。
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０６２３】
１，１Ａ，１Ｂ  通信システム、１０  制御部、１１  表示制御部、１２  スキャン部、１３  検知部、１４  生成部、１５  送信部、１６  受信部、１７  判断部、１８  検知部、９０  記憶装置、９０Ａ  記憶装置、１００  電子機器、１００Ａ，１００Ｂ  筐体、１００Ｃ  ヒンジ、１００Ｄ  凹部、１０１  本体装置、１０２，１０２Ａ  表示装置、１０３  表示装置、１０４  本体装置、１３０  ドライバ、１３１  操作信号線駆動回路、１３２  データ信号線駆動回路、１３３  光センサ駆動回路、１３４  スイッチ、１３５  アンプ、１４０，１４０Ａ  液晶パネル、１４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリックス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７３  メモリカードリーダライタ、１７４  外部通信部、１７５  マイク、１７６  スピーカ、１７７  操作キー、１７９  バックライト、１８０  画像処理エンジン、１８１  ドライバ制御部、１８２  タイマ、１８３  信号処理部、１９１  電源スイッチ、１９２  電源回路、１９３  電源検出部、１９４  コネクタ、１９５  アンテナ、１９６  コネクタ、２３０  ドライバ、２４０  液晶パネル、２７４  外部通信部、２７９  バックライト、２８０  画像処理エンジン、２８１  ドライバ制御部、２８２  タイマ、２８３  信号処理部、２９３  電源検出部、２９４  コネクタ、２９５  アンテナ、２９７  信号強度検出部、９００  指、１００１，１００１Ａ  第１ユニット、１００２  第２ユニット、１０１１  オペレーションシステム、１０１２  通信用アプリケーション、１０１３  サブ画面連携用アプリケーション、１０１４  ウェブブラウザ、１０２１  オペレーションシステム、１０２２  通信用アプリケーション、１０２３  ソース記述生成用アプリケーション、１０２４  ウェブブラウザ、１３００  電子機器、１４１０，１４１０Ａ  画面、１４１２  バナー広告、１４１３  バナー広告、１４２０  画面、２４４１  画像、２４４３  画像、３３００  電子機器、３４００  電子機器、３６１０  制御部、３６１１  表示制御部、３６１２  スキャン部、３６１３  検知部、３６１４  生成部、３６１５  送信部、３６１６  受信部、３６１７  判断部、４７００  電子機器、４７１０  制御部、４９００  電子機器、４９１０  制御部、４９１１  表示制御部、４９１２  スキャン部、４９１３  検知部、４９１４  生成部、４９１５  送信部、４９１６  受信部、４９１７  検知部、４９１８  判断部、４９１９  検知部、６０００  電子機器、６０１０  制御部、６１００  電子機器、６１１０  制御部、６５００  電子機器、８０００  広告サーバ、８０１０  制御部、８０１１  第１受信部、８０１２  判断部、８０１３  第１送信部、８０１４  第２受信部、８０１５  生成部、８０１６  第２送信部、８０９０  記憶装置、９０００  サーバ、９０１０  制御部、９０１１  受信部、９０１２  生成部、９０１��  送信部、９０９０  記憶装置、１７０００  端末装置、７０１０  制御部、１７０１１  受信部、１７０１２  送信部、１７０７０  入力装置、１７０８０  表示装置、１７０９０  記憶装置、１８０００  サーバ、１８０１０  制御部、１８０１１  受信部、１８０１２  判断部、１８０１３  送信部、１８０１４  受信部、１８０１５  生成部、１８０１６  送信部、１８０１７  受信部、１８０９０  記憶装置、１９０００  サーバ、１９０１０  制御部、１９０１１  受信部、１９０１２  検索部、１９０１３  送信部、１９０９０  記憶装置、２７０００  端末装置、２７０１０  制御部、２７０１１  受信部、２７０１２  送信部、２７０８０  表示装置、２７０９０  記憶装置、２８０００  検索用サーバ、２８０１０  制御部、２８０１１  受信部、２８０１２  送信部、２８０９０  記憶装置、２９０００  ＡＳＰサーバ、２９０１０  制御部、２９０１１  送信部、２９０１２  受信部、２９０１３  生成部、２９０９０  記憶装置、７８０００  情報処理システム、７８２００  情報処理端末、ＤＡ０１  ヘッダ、ＤＡ０２  第１フィールド、ＤＡ０３  第２フィールド、ＤＡ０４  第３フィールド、ＤＡ０５  第４フィールド、ＤＡ０６  第５フィールド、ＤＡ０７  予備のデータ領域、ＤＡ１１〜ＤＡ１４  データ領域。
【図１】
0005559703.tif 000002
【図２】
0005559703.tif 000003
【図３】
0005559703.tif 000004
【図４】
0005559703.tif 000005
【図５】
0005559703.tif 000006
【図６】
0005559703.tif 000007
【図７】
0005559703.tif 000008
【図８】
0005559703.tif 000009
【図９】
0005559703.tif 000010
【図１０】
0005559703.tif 000011
【図１１】
0005559703.tif 000012
【図１２】
0005559703.tif 000013
【図１３】
0005559703.tif 000014
【図１４】
0005559703.tif 000015
【図１５】
0005559703.tif 000016
【図１６】
0005559703.tif 000017
【図１７】
0005559703.tif 000018
【図１８】
0005559703.tif 000019
【図１９】
0005559703.tif 000020
【図２０】
0005559703.tif 000021
【図２１】
0005559703.tif 000022
【図２２】
0005559703.tif 000023
【図２３】
0005559703.tif 000024
【図２４】
0005559703.tif 000025
【図２５】
0005559703.tif 000026
【図２６】
0005559703.tif 000027
【図２７】
0005559703.tif 000028
【図２８】
0005559703.tif 000029
【図２９】
0005559703.tif 000030
【図３０】
0005559703.tif 000031
【図３１】
0005559703.tif 000032
【図３２】
0005559703.tif 000033
【図３３】
0005559703.tif 000034
【図３４】
0005559703.tif 000035
【図３５】
0005559703.tif 000036
【図３６】
0005559703.tif 000037
【図３７】
0005559703.tif 000038
【図３８】
0005559703.tif 000039
【図３９】
0005559703.tif 000040
【図４０】
0005559703.tif 000041
【図４１】
0005559703.tif 000042
【図４２】
0005559703.tif 000043
【図４３】
0005559703.tif 000044
【図４４】
0005559703.tif 000045
【図４５】
0005559703.tif 000046
【図４６】
0005559703.tif 000047
【図４７】
0005559703.tif 000048
【図４８】
0005559703.tif 000049
【図４９】
0005559703.tif 000050
【図５０】
0005559703.tif 000051
【図５１】
0005559703.tif 000052
【図５２】
0005559703.tif 000053
【図５３】
0005559703.tif 000054
【図５４】
0005559703.tif 000055
【図５５】
0005559703.tif 000056
【図５６】
0005559703.tif 000057
【図５７】
0005559703.tif 000058
【図５８】
0005559703.tif 000059
【図５９】
0005559703.tif 000060
【図６０】
0005559703.tif 000061
【図６１】
0005559703.tif 000062
【図６２】
0005559703.tif 000063
【図６３】
0005559703.tif 000064
【図６４】
0005559703.tif 000065
【図６５】
0005559703.tif 000066
【図６６】
0005559703.tif 000067
【図６７】
0005559703.tif 000068
【図６８】
0005559703.tif 000069
【図６９】
0005559703.tif 000070
【図７０】
0005559703.tif 000071
【図７１】
0005559703.tif 000072
【図７２】
0005559703.tif 000073
【図７３】
0005559703.tif 000074
【図７４】
0005559703.tif 000075
【図７５】
0005559703.tif 000076
【図７６】
0005559703.tif 000077
【図７７】
0005559703.tif 000078
【図７８】
0005559703.tif 000079